(57)【要約】  本開示は、ランダムアクセス方法、基地局およびユーザ機器を提供する。基地局側のランダムアクセス方法において、基地局からユーザ機器に対し、競合ランダムアクセスメカニズムに基づいて初期アクセスを行うと指示した場合、ユーザ機器から送信される第１ランダムアクセスプリアンブルメッセージを、予め設定された第１ＳＣＳを用いて受信することと、予め取り決められた第２ＳＣＳまたはネットワークから設定された第３ＳＣＳを用いて、第１ランダムアクセス応答メッセージをユーザ機器に送信することと、ユーザ機器から送信される第１スケジューリング伝送メッセージを、予め取り決められた第４ＳＣＳまたはネットワークから設定された第５ＳＣＳを用いて受信することと、予め取り決められた第６ＳＣＳ又はネットワークから設定された第７ＳＣＳを用いて、第１衝突解決メッセージをユーザ機器に送信して、初期アクセスプロセスを完成させることとを含む。【選択図】  図３
2020530737.tif 000002
【特許請求の範囲】
【請求項１】
基地局に応用されるランダムアクセス方法において、
基地局からユーザ機器に対し、競合ランダムアクセスメカニズムに基づいて初期アクセスを行うと指示した場合、前記ユーザ機器から送信される第１ランダムアクセスプリアンブルメッセージを、予め設定された第１ＳＣＳ（Ｓｕｂ  Ｃａｒｒｉｅｒ  Ｓｐａｃｉｎｇ）を用いて受信することと、
前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信することと、
前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信することと、
前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させることと、
を含む、ランダムアクセス方法。
【請求項２】
前記予め取り決められた第２ＳＣＳは、
ＰＢＣＨ（Ｐｈｙｓｉｃａｌ  Ｂｒｏａｄｃａｓｔ  Ｃｈａｎｎｅｌ）の伝送に用いられるＳＣＳであり、または、ＲＭＳＩ（Ｒｅｍａｉｎｉｎｇ  Ｓｙｓｔｅｍ  Ｉｎｆｏｒｍａｔｉｏｎ）の伝送に用いられるＳＣＳである、請求項１に記載の方法。
【請求項３】
前記ネットワークから設定された第５ＳＣＳは、
ＲＭＳＩのうちのＲＡＣＨ（Ｒａｎｄｏｍ  Ａｃｃｅｓｓ  Ｃｈａｎｎｅｌ）設定パラメータに付帯され、または、前記第１ランダムアクセス応答メッセージに付帯される、請求項１に記載の方法。
【請求項４】
前記予め取り決められた第６ＳＣＳは、
ＰＢＣＨの伝送に用いられるＳＣＳであり、または、ＲＭＳＩの伝送に用いられるＳＣＳであり、または、前記第１ランダムアクセス応答メッセージに応用されるＳＣＳである、請求項１に記載の方法。
【請求項５】
基地局に応用されるランダムアクセス方法において、
基地局からユーザ機器に対し、非競合ランダムアクセスメカニズムに基づいて初期アクセスを行うと指示した場合、予め設定された第８ＳＣＳを用いて、第２ランダムアクセスプリアンブル指示メッセージを前記ユーザ機器に送信することと、
前記ユーザ機器から前記第２ランダムアクセスプリアンブル指示メッセージに基づいて送信される第４ランダムアクセスプリアンブルメッセージを、予め設定された第９ＳＣＳを用いて受信することと、
前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させることと、
を含む、ランダムアクセス方法。
【請求項６】
非競合に基づくランダムアクセスが非切り替えプロセスに用いられる場合、
前記ネットワークから設定された第１１ＳＣＳは、
前記第２ランダムアクセスプリアンブル指示メッセージのうちのＲＡＣＨ設定パラメータに付帯される、請求項５に記載の方法。
【請求項７】
非競合に基づくランダムアクセスがセル切り替えプロセスに用いられる場合、
前記ネットワークから設定された第１１ＳＣＳは、
前記第２ランダムアクセスプリアンブル指示メッセージのうちのＲＡＣＨ設定パラメータに付帯される、請求項５に記載の方法。
【請求項８】
ユーザ機器に応用されるランダムアクセス方法において、
基地局からユーザ機器に対し、競合ランダムアクセスメカニズムに基づいて初期アクセスを行うと指示した場合、予め設定された第１ＳＣＳを用いて、第１ランダムアクセスプリアンブルメッセージを前記基地局に送信することと、
前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信することと、
前記第１ランダムアクセス応答メッセージに基づいて、予め取り決められた第４ＳＣＳまたはネットワークから設定された第５ＳＣＳを用いて、第１スケジューリング伝送メッセージを前記基地局に送信することと、
前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させることと、
を含む、ランダムアクセス方法。
【請求項９】
前記予め取り決められた第２ＳＣＳは、
ＰＢＣＨの伝送に用いられるＳＣＳであり、または、ＲＭＳＩの伝送に用いられるＳＣＳである、請求項８に記載の方法。
【請求項１０】
前記ネットワークから設定された第５ＳＣＳは、
ＲＭＳＩのうちのＲＡＣＨ設定パラメータに付帯され、または、前記第１ランダムアクセス応答メッセージに付帯される、請求項８に記載の方法。
【請求項１１】
前記予め取り決められた第６ＳＣＳは、
ＰＢＣＨの伝送に用いられるＳＣＳであり、または、ＲＭＳＩの伝送に用いられるＳＣＳであり、または、前記第１ランダムアクセス応答メッセージに応用されるＳＣＳである、請求項８に記載の方法。
【請求項１２】
ユーザ機器に応用されるランダムアクセス方法において、
基地局からユーザ機器に対し、非競合ランダムアクセスメカニズムに基づいて初期アクセスを行うと指示した場合、前記基地局から送信される第２ランダムアクセスプリアンブル指示メッセージを、予め設定された第８ＳＣＳを用いて受信することと、
前記第２ランダムアクセスプリアンブル指示メッセージに基づいて、予め設定された第９ＳＣＳを用いて、第４ランダムアクセスプリアンブルメッセージを前記基地局に送信することと、
前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させることと、
を含む、ランダムアクセス方法。
【請求項１３】
非競合に基づくランダムアクセスが非切り替えプロセスに用いられる場合、
前記ネットワークから設定された第１１ＳＣＳは、
前記第２ランダムアクセスプリアンブル指示メッセージのうちのＲＡＣＨ設定パラメータに付帯される、請求項１２に記載の方法。
【請求項１４】
非競合に基づくランダムアクセスがセル切り替えプロセスに用いられる場合、
前記ネットワークから設定された第１１ＳＣＳは、
前記第２ランダムアクセスプリアンブル指示メッセージのうちのＲＡＣＨ設定パラメータに付帯される、請求項１２に記載の方法。
【請求項１５】
基地局であって、
基地局からユーザ機器に対し、競合ランダムアクセスメカニズムに基づいて初期アクセスを行うと指示した場合、前記ユーザ機器から送信される第１ランダムアクセスプリアンブルメッセージを、予め設定された第１ＳＣＳを用いて受信するための第１メッセージ受信モジュールと、
前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信するための第１メッセージ送信モジュールと、
前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信するための第２メッセージ受信モジュールと、
前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させるための第２メッセージ送信モジュールと、
を含む、基地局。
【請求項１６】
基地局であって、
基地局からユーザ機器に対し、非競合ランダムアクセスメカニズムに基づいて初期アクセスを行うと指示した場合、予め設定された第８ＳＣＳを用いて、第２ランダムアクセスプリアンブル指示メッセージを前記ユーザ機器に送信するための第７メッセージ送信モジュールと、
前記ユーザ機器から前記第２ランダムアクセスプリアンブル指示メッセージに基づいて送信される第４ランダムアクセスプリアンブルメッセージを、予め設定された第９ＳＣＳを用いて受信するための第６メッセージ受信モジュールと、
前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させるための第８メッセージ送信モジュールとを含む、基地局。
【請求項１７】
ユーザ機器であって、
基地局からユーザ機器に対し、競合ランダムアクセスメカニズムに基づいて初期アクセスを行うと指示した場合、予め設定された第１ＳＣＳを用いて、第１ランダムアクセスプリアンブルメッセージを前記基地局に送信するための第１１メッセージ送信モジュールと、
前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信するための第８メッセージ受信モジュールと、
前記第１ランダムアクセス応答メッセージに基づいて、予め取り決められた第４ＳＣＳまたはネットワークから設定された第５ＳＣＳを用いて、第１スケジューリング伝送メッセージを前記基地局に送信するための第１２メッセージ送信モジュールと、
前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させるための第９メッセージ受信モジュールと、
を含む、ユーザ機器。
【請求項１８】
ユーザ機器であって、
基地局からユーザ機器に対し、非競合ランダムアクセスメカニズムに基づいて初期アクセスを行うと指示した場合、前記基地局から送信される第２ランダムアクセスプリアンブル指示メッセージを、予め設定された第８ＳＣＳを用いて受信するための第１４メッセージ受信モジュールと、
前記第２ランダムアクセスプリアンブル指示メッセージに基づいて、予め設定された第９ＳＣＳを用いて、第４ランダムアクセスプリアンブルメッセージを前記基地局に送信するための第１６メッセージ送信モジュールと、
前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させるための第１５メッセージ受信モジュールと、
を含む、ユーザ機器。
【請求項１９】
第１メモリと、第１プロセッサと、前記第１メモリに記憶されて前記第１プロセッサで実行可能なコンピュータプログラムを含む基地局であって、
前記第１プロセッサが前記プログラムを実行すると、請求項１〜４のいずれか一項に記載の方法のステップが実現される、基地局。
【請求項２０】
第２メモリと、第２プロセッサと、前記第２メモリに記憶されて前記第２プロセッサで実行可能なコンピュータプログラムを含む基地局であって、
前記第２プロセッサが前記プログラムを実行すると、請求項５〜７のいずれか一項に記載の方法のステップが実現される、基地局。
【請求項２１】
第３メモリと、第３プロセッサと、前記第３メモリに記憶されて前記第３プロセッサで実行可能なコンピュータプログラムを含むユーザ機器であって、
前記第３プロセッサが前記プログラムを実行すると、請求項８〜１１のいずれか一項に記載の方法のステップが実現される、ユーザ機器。
【請求項２２】
第４メモリと、第４プロセッサと、前記第４メモリに記憶されて前記第４プロセッサで実行可能なコンピュータプログラムを含むユーザ機器であって、
前記第４プロセッサが前記プログラムを実行すると、請求項１２〜１４のいずれか一項に記載の方法のステップが実現される、ユーザ機器。
【請求項２３】
コンピュータプログラムが記憶されているコンピュータ読み取り可能な記憶媒体であって、
当該プログラムがプロセッサによって実行されると、請求項１〜４のいずれか一項に記載の方法のステップが実現される、コンピュータ読み取り可能な記憶媒体。
【請求項２４】
コンピュータプログラムが記憶されているコンピュータ読み取り可能な記憶媒体であって、
当該プログラムがプロセッサによって実行されると、請求項５〜７のいずれか一項に記載の方法のステップが実現される、コンピュータ読み取り可能な記憶媒体。
【請求項２５】
コンピュータプログラムが記憶されているコンピュータ読み取り可能な記憶媒体であって、
当該プログラムがプロセッサによって実行されると、請求項８〜１１のいずれか一項に記載の方法のステップが実現される、コンピュータ読み取り可能な記憶媒体。
【請求項２６】
コンピュータプログラムが記憶されているコンピュータ読み取り可能な記憶媒体であって、
当該プログラムがプロセッサによって実行されると、請求項１２〜１４のいずれか一項に記載の方法のステップが実現される、コンピュータ読み取り可能な記憶媒体。
【発明の詳細な説明】
【技術分野】
【０００１】
本願は、２０１７年８月１１日に中国特許庁に提出された中国特許出願２０１７１０６８７３１３．２の優先権を主張し、その全ての内容が援用によりここに取り込まれる。
本開示は、通信技術分野に係り、特にランダムアクセス方法、基地局およびユーザ機器に係る。
【背景技術】
【０００２】
ＬＴＥ（登録商標）（Ｌｏｎｇ  Ｔｅｒｍ  Ｅｖｏｌｕｔｉｏｎ）プロトコルでは、４ステップのランダムアクセスメカニズムが用いられる。一方、５Ｇ  ＮＲ（Ｎｅｗ  Ｒａｄｉｏ）では、競合に基づいた４ステップのランダムアクセスメカニズムおよび非競合に基づいた３ステップのランダムアクセスメカニズムがサポートされる。ここで、５Ｇ  ＮＲではアップリンク／ダウンリンクのマルチビーム操作が導入され、ＳＣＳ（Ｓｕｂ  Ｃａｒｒｉｅｒ  Ｓｐａｃｉｎｇ）などの異なるパラメータがサポートされるため、５Ｇ  ＮＲシステムにおけるランダムアクセスメッセージのＳＣＳ設定方法を考慮する必要がある。
【０００３】
具体的に、５Ｇ  ＮＲでサポートされる競合に基づいた４ステップのランダムアクセスメカニズムは、図１に示されている。図１において、Ｍｓｇ．１は、ＰＲＡＣＨ（Ｐｈｙｓｉｃａｌ  Ｒａｎｄｏｍ  Ａｃｃｅｓｓ  Ｃｈａｎｎｅｌ）で伝送され、Ｍｓｇ．２とＭｓｇ．４は、ＰＤＳＣＨ（Ｐｈｙｓｉｃａｌ  Ｄｏｗｎｌｉｎｋ  Ｓｈａｒｅｄ  Ｃｈａｎｎｅｌ）で伝送され、Ｍｓｇ．３は、ＰＵＳＣＨ（Ｐｈｙｓｉｃａｌ  Ｕｐｌｉｎｋ  Ｓｈａｒｅｄ  Ｃｈａｎｎｅｌ）で伝送される。
【０００４】
ユーザ機器ＵＥ（Ｕｓｅｒ  Ｅｑｕｉｐｍｅｎｔ）は、ダウンリンクセル検索プロセスによって、まず１つのセルを選択する場合、ＲＭＳＩ（Ｒｅｍａｉｎｉｎｇ  Ｓｙｓｔｅｍ  Ｉｎｆｏｒｍａｔｉｏｎ）のうちのＲＡＣＨ（Ｒａｎｄｏｍ  Ａｃｃｅｓｓ  Ｃｈａｎｎｅｌ）設定を受信することになり、その中から、Ｍｓｇ．１に対応するＰＲＡＣＨのＳＣＳと時間周波数リソースなどのパラメータを読み取る。ＲＭＳＩが付帯されるＰＤＳＣＨおよび対応するＰＤＣＣＨ（Ｐｈｙｓｉｃａｌ  Ｄｏｗｎｌｉｎｋ  Ｃｏｎｔｒｏｌ  Ｃｈａｎｎｅｌ）は、同じＳＣＳで送信される。
【０００５】
５Ｇ  ＮＲでサポートされる非競合に基づいた３ステップのランダムアクセスメカニズムは、図２に示されている。関連する４ステップのランダムアクセスメカニズムとの相違点がＭｓｇ．０にあり、ランダムアクセスＭｓｇ．１に用いられるプリアンブルを、予め取り決められたプリアンブル集合からＵＥによってランダムに選択するのではなく、直接的に指示する。
【０００６】
よって、５Ｇ通信システムにおいて、ランダムアクセスプロセスにおける各メッセージのＳＣＳ設定方法を考慮する必要がある。しかし、現在の５Ｇ標準では、Ｍｓｇ．１のＳＣＳがＲＭＳＩによって統一的に設定されることのみが与えられ、ランダムアクセスプロセスにおけるほかのメッセージのＳＣＳについて効果的な解決策がない。
【発明の概要】
【発明が解決しようとする課題】
【０００７】
本開示の一部の実施例は、ランダムアクセス方法、基地局およびユーザ機器を提供し、予め取り決める方式またはネットワークから設定する方式で、ランダムアクセスプロセスにおける各メッセージに対し、応用されるＳＣＳを特定することによって、ランダムアクセスプロセスにおける各メッセージのＳＣＳが特定できないという従来技術の問題を解決する。
【課題を解決するための手段】
【０００８】
第１方面において、本開示の一部の実施例は、基地局に応用されるランダムアクセス方法を提供する。
当該方法において、
基地局からユーザ機器に対し、競合ランダムアクセスメカニズムに基づいて初期アクセスを行うと指示した場合、前記ユーザ機器から送信される第１ランダムアクセスプリアンブルメッセージを、予め設定された第１ＳＣＳを用いて受信することと、
前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信することと、
前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信することと、
前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させることと、
を含む。
【０００９】
ここで、上記手段において、前記予め取り決められた第２ＳＣＳは、ＰＢＣＨの伝送に用いられるＳＣＳであり、または、ＲＭＳＩの伝送に用いられるＳＣＳである。
【００１０】
ここで、上記手段において、前記ネットワークから設定された第３ＳＣＳは、ＲＭＳＩのうちのＲＡＣＨ設定パラメータに付帯される。
【００１１】
ここで、上記手段において、前記予め取り決められた第４ＳＣＳは、ＰＢＣＨの伝送に用いられるＳＣＳであり、または、ＲＭＳＩの伝送に用いられるＳＣＳである。
【００１２】
ここで、上記手段において、前記ネットワークから設定された第５ＳＣＳは、ＲＭＳＩのうちのＲＡＣＨ設定パラメータに付帯され、または、前記第１ランダムアクセス応答メッセージに付帯される。
【００１３】
ここで、上記手段において、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【００１４】
ここで、上記手段において、前記ネットワークから設定された第７ＳＣＳは、ＲＭＳＩのうちのＲＡＣＨ設定パラメータに付帯される。
【００１５】
ここで、上記手段において、初期アクセスプロセスが完成した後に、前記方法では、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第１ランダムアクセスプリアンブル指示メッセージを前記ユーザ機器に送信することと、
前記ユーザ機器から前記第１ランダムアクセスプリアンブル指示メッセージに基づいて送信される第２ランダムアクセスプリアンブルメッセージを、予め設定された第９ＳＣＳを用いて受信することと、
前記第２ランダムアクセスプリアンブルメッセージに基づいて、前記第１ランダムアクセスプリアンブル指示メッセージの送信に応用されるＳＣＳを用いて、第２ランダムアクセス応答メッセージを前記ユーザ機器に送信して、アップリンク同期を完成させることと、
をさらに含む。
【００１６】
ここで、上記手段において、ランダム初期アクセスプロセスが完成した後に、前記方法では、
前記ユーザ機器がアップリンク非同期になり、かつ基地局から前記ユーザ機器に対し、競合ランダムアクセスメカニズムに基づいてランダムアクセスを行うと指示した場合、前記ユーザ機器から送信される第３ランダムアクセスプリアンブルメッセージを、予め設定された第１ＳＣＳを用いて受信することと、
前記第３ランダムアクセスプリアンブルメッセージに基づいて、ＲＭＳＩの伝送に応用されるＳＣＳを用いて、第３ランダムアクセス応答メッセージを前記ユーザ機器に送信することと、
前記ユーザ機器から前記第３ランダムアクセス応答メッセージに基づいて送信される第２スケジューリング伝送メッセージを、前記第１スケジューリング伝送メッセージの受信に応用されるＳＣＳを用いて受信することと、
前記第２スケジューリング伝送メッセージに基づいて、前記第１衝突解決メッセージの送信に応用されるＳＣＳを用いて、第２衝突解決メッセージを前記ユーザ機器に送信して、アップリンク同期を完成させることと、
をさらに含む。
【００１７】
第２方面において、本開示の一部の実施例は、基地局に応用されるランダムアクセス方法をさらに提供する。
当該方法において、
基地局からユーザ機器に対し、非競合ランダムアクセスメカニズムに基づいて初期アクセスを行うと指示した場合、予め設定された第８ＳＣＳを用いて、第２ランダムアクセスプリアンブル指示メッセージを前記ユーザ機器に送信することと、
前記ユーザ機器から前記第２ランダムアクセスプリアンブル指示メッセージに基づいて送信される第４ランダムアクセスプリアンブルメッセージを、予め設定された第９ＳＣＳを用いて受信することと、
前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させることと、
を含む。
【００１８】
ここで、上記手段において、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【００１９】
ここで、上記手段において、非競合に基づくランダムアクセスが非切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【００２０】
ここで、上記手段において、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【００２１】
ここで、上記手段において、切り替えプロセスにおける前記参照信号が同期信号ブロック参照信号である場合、前記予め取り決められた第１０ＳＣＳは、前記同期信号ブロック参照信号のＳＣＳであり、切り替えプロセスにおける前記参照信号がチャネル状態情報参照信号である場合、前記予め取り決められた第１０ＳＣＳは、前記チャネル状態情報参照信号のＳＣＳである。
【００２２】
ここで、上記手段において、非競合に基づくランダムアクセスがセル切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【００２３】
ここで、上記手段において、初期アクセスプロセスが完成した後に、前記方法では、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第３ランダムアクセスプリアンブル指示メッセージを前記ユーザ機器に送信することと、
前記ユーザ機器から前記第３ランダムアクセスプリアンブル指示メッセージに基づいて送信される第５ランダムアクセスプリアンブルメッセージを、予め設定された第９ＳＣＳを用いて受信することと、
前記第５ランダムアクセスプリアンブルメッセージに基づいて、前記第３ランダムアクセスプリアンブル指示メッセージの送信に応用されるＳＣＳを用いて、第５ランダムアクセス応答メッセージを前記ユーザ機器に送信して、アップリンク同期を完成させることとをさらに含む。
【００２４】
第３方面において、本開示の一部の実施例は、ユーザ機器に応用されるランダムアクセス方法をさらに提供する。
当該方法において、
基地局からユーザ機器に対し、競合ランダムアクセスメカニズムに基づいて初期アクセスを行うと指示した場合、予め設定された第１ＳＣＳを用いて、第１ランダムアクセスプリアンブルメッセージを前記基地局に送信することと、
前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信することと、
前記第１ランダムアクセス応答メッセージに基づいて、予め取り決められた第４ＳＣＳまたはネットワークから設定された第５ＳＣＳを用いて、第１スケジューリング伝送メッセージを前記基地局に送信することと、
前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させることと、
を含む。
【００２５】
ここで、上記手段において、前記予め取り決められた第２ＳＣＳは、ＰＢＣＨの伝送に用いられるＳＣＳであり、または、ＲＭＳＩの伝送に用いられるＳＣＳである。
【００２６】
ここで、上記手段において、前記ネットワークから設定された第３ＳＣＳは、ＲＭＳＩのうちのＲＡＣＨ設定パラメータに付帯される。
【００２７】
ここで、上記手段において、前記予め取り決められた第４ＳＣＳは、ＰＢＣＨの伝送に用いられるＳＣＳであり、または、ＲＭＳＩの伝送に用いられるＳＣＳである。
【００２８】
ここで、上記手段において、前記ネットワークから設定された第５ＳＣＳは、ＲＭＳＩのうちのＲＡＣＨ設定パラメータに付帯され、または、前記第１ランダムアクセス応答メッセージに付帯される。
【００２９】
ここで、上記手段において、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【００３０】
ここで、上記手段において、前記ネットワークから設定された第７ＳＣＳは、ＲＭＳＩのうちのＲＡＣＨ設定パラメータに付帯される。
【００３１】
ここで、上記手段において、初期アクセスプロセスが完成した後に、前記方法では、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第１ランダムアクセスプリアンブル指示メッセージを、予め設定された第８ＳＣＳを用いて受信することと、
前記第１ランダムアクセスプリアンブル指示メッセージに基づいて、予め設定された第９ＳＣＳを用いて第２ランダムアクセスプリアンブルメッセージを前記基地局に送信することと、
前記基地局から前記第２ランダムアクセスプリアンブルメッセージに基づいて送信される第２ランダムアクセス応答メッセージを、前記第１ランダムアクセスプリアンブル指示メッセージの受信に応用されるＳＣＳを用いて受信して、アップリンク同期を完成させることと、
をさらに含む。
【００３２】
ここで、上記手段において、ランダム初期アクセスプロセスが完成した後に、前記方法では、
前記ユーザ機器がアップリンク非同期になり、かつ基地局から前記ユーザ機器に対し、競合ランダムアクセスメカニズムに基づいてランダムアクセスを行うと指示した場合、予め設定された第１ＳＣＳを用いて第３ランダムアクセスプリアンブルメッセージを前記基地局に送信することと、
前記基地局から前記第３ランダムアクセスプリアンブルメッセージに基づいて送信される第３ランダムアクセス応答メッセージを、ＲＭＳＩの伝送に応用されるＳＣＳを用いて受信することと、
前記第３ランダムアクセス応答メッセージに基づいて、前記第１スケジューリング伝送メッセージの送信に用いられるＳＣＳを用いて第２スケジューリング伝送メッセージを前記基地局に送信することと、
前記基地局から前記第２スケジューリング伝送メッセージに基づいて送信される第２衝突解決メッセージを、前記第１衝突解決メッセージの受信に応用されるＳＣＳを用いて受信して、アップリンク同期を完成させることと、
をさらに含む。
【００３３】
第４方面において、本開示の一部の実施例は、ユーザ機器に応用されるランダムアクセス方法をさらに提供する。
当該方法において、
基地局からユーザ機器に対し、非競合ランダムアクセスメカニズムに基づいて初期アクセスを行うと指示した場合、前記基地局から送信される第２ランダムアクセスプリアンブル指示メッセージを、予め設定された第８ＳＣＳを用いて受信することと、
前記第２ランダムアクセスプリアンブル指示メッセージに基づいて、予め設定された第９ＳＣＳを用いて、第４ランダムアクセスプリアンブルメッセージを前記基地局に送信することと、
前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させることと、
を含む。
【００３４】
ここで、上記手段において、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【００３５】
ここで、上記手段において、非競合に基づくランダムアクセスが非切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【００３６】
ここで、上記手段において、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【００３７】
ここで、上記手段において、切り替えプロセスにおける前記参照信号が同期信号ブロック参照信号である場合、前記予め取り決められた第１０ＳＣＳは、前記同期信号ブロック参照信号のＳＣＳであり、切り替えプロセスにおける前記参照信号がチャネル状態情報参照信号である場合、前記予め取り決められた第１０ＳＣＳは、前記チャネル状態情報参照信号のＳＣＳである。
【００３８】
ここで、上記手段において、非競合に基づくランダムアクセスがセル切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【００３９】
ここで、上記手段において、初期アクセスプロセスが完成した後に、前記方法では、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第３ランダムアクセスプリアンブル指示メッセージを、予め設定された第８ＳＣＳを用いて受信することと、
前記第３ランダムアクセスプリアンブル指示メッセージに基づいて、予め設定された第９ＳＣＳを用いて第５ランダムアクセスプリアンブルメッセージを前記基地局に送信することと、
前記基地局から前記第５ランダムアクセスプリアンブルメッセージに基づいて送信される第５ランダムアクセス応答メッセージを、前記第３ランダムアクセスプリアンブル指示メッセージの受信に応用されるＳＣＳを用いて受信して、アップリンク同期を完成させることと、
をさらに含む。
【００４０】
第５方面において、本開示の一部の実施例は、基地局をさらに提供する。
当該基地局は、
基地局からユーザ機器に対し、競合ランダムアクセスメカニズムに基づいて初期アクセスを行うと指示した場合、前記ユーザ機器から送信される第１ランダムアクセスプリアンブルメッセージを、予め設定された第１ＳＣＳを用いて受信するための第１メッセージ受信モジュールと、
前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信するための第１メッセージ送信モジュールと、
前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信するための第２メッセージ受信モジュールと、
前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させるための第２メッセージ送信モジュールと、
を含む。
【００４１】
第６方面において、本開示の一部の実施例は、基地局をさらに提供する。
当該基地局は、
基地局からユーザ機器に対し、非競合ランダムアクセスメカニズムに基づいて初期アクセスを行うと指示した場合、予め設定された第８ＳＣＳを用いて、第２ランダムアクセスプリアンブル指示メッセージを前記ユーザ機器に送信するための第７メッセージ送信モジュールと、
前記ユーザ機器から前記第２ランダムアクセスプリアンブル指示メッセージに基づいて送信される第４ランダムアクセスプリアンブルメッセージを、予め設定された第９ＳＣＳを用いて受信するための第６メッセージ受信モジュールと、
前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させるための第８メッセージ送信モジュールと、
を含む。
【００４２】
第７方面において、本開示の一部の実施例は、ユーザ機器をさらに提供する。
当該ユーザ機器は、
基地局からユーザ機器に対し、競合ランダムアクセスメカニズムに基づいて初期アクセスを行うと指示した場合、予め設定された第１ＳＣＳを用いて、第１ランダムアクセスプリアンブルメッセージを前記基地局に送信するための第１１メッセージ送信モジュールと、
前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信するための第８メッセージ受信モジュールと、
前記第１ランダムアクセス応答メッセージに基づいて、予め取り決められた第４ＳＣＳまたはネットワークから設定された第５ＳＣＳを用いて、第１スケジューリング伝送メッセージを前記基地局に送信するための第１２メッセージ送信モジュールと、
前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させるための第９メッセージ受信モジュールと、
を含む。
【００４３】
第８方面において、本開示の一部の実施例は、ユーザ機器をさらに提供する。
当該ユーザ機器は、
基地局からユーザ機器に対し、非競合ランダムアクセスメカニズムに基づいて初期アクセスを行うと指示した場合、前記基地局から送信される第２ランダムアクセスプリアンブル指示メッセージを、予め設定された第８ＳＣＳを用いて受信するための第１４メッセージ受信モジュールと、
前記第２ランダムアクセスプリアンブル指示メッセージに基づいて、予め設定された第９ＳＣＳを用いて、第４ランダムアクセスプリアンブルメッセージを前記基地局に送信するための第１６メッセージ送信モジュールと、
前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させるための第１５メッセージ受信モジュールと、
を含む。
【００４４】
第９方面において、本開示の一部の実施例は、第１メモリと、第１プロセッサと、前記第１メモリに記憶されて前記第１プロセッサで実行可能なコンピュータプログラムを含む基地局をさらに提供する。
前記第１プロセッサが前記プログラムを実行すると、
基地局からユーザ機器に対し、競合ランダムアクセスメカニズムに基づいて初期アクセスを行うと指示した場合、前記ユーザ機器から送信される第１ランダムアクセスプリアンブルメッセージを、予め設定された第１ＳＣＳを用いて受信するステップと、
前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信するステップと、
前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信するステップと、
前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させるステップと、
を実現する。
【００４５】
第１０方面において、本開示の一部の実施例は、第２メモリと、第２プロセッサと、前記第２メモリに記憶されて前記第２プロセッサで実行可能なコンピュータプログラムを含む基地局をさらに提供する。
前記第２プロセッサが前記プログラムを実行すると、
基地局からユーザ機器に対し、非競合ランダムアクセスメカニズムに基づいて初期アクセスを行うと指示した場合、予め設定された第８ＳＣＳを用いて、第２ランダムアクセスプリアンブル指示メッセージを前記ユーザ機器に送信するステップと、
前記ユーザ機器から前記第２ランダムアクセスプリアンブル指示メッセージに基づいて送信される第４ランダムアクセスプリアンブルメッセージを、予め設定された第９ＳＣＳを用いて受信するステップと、
前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させるステップと、
を実現する。
【００４６】
第１１方面において、本開示の一部の実施例は、第３メモリと、第３プロセッサと、前記第３メモリに記憶されて前記第３プロセッサで実行可能なコンピュータプログラムを含むユーザ機器をさらに提供する。
前記第３プロセッサが前記プログラムを実行すると、
基地局からユーザ機器に対し、競合ランダムアクセスメカニズムに基づいて初期アクセスを行うと指示した場合、予め設定された第１ＳＣＳを用いて、第１ランダムアクセスプリアンブルメッセージを前記基地局に送信するステップと、
前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信するステップと、
前記第１ランダムアクセス応答メッセージに基づいて、予め取り決められた第４ＳＣＳまたはネットワークから設定された第５ＳＣＳを用いて、第１スケジューリング伝送メッセージを前記基地局に送信するステップと、
前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させるステップと、
を実現する。
【００４７】
第１１方面において、本開示の一部の実施例は、第４メモリと、第４プロセッサと、前記第４メモリに記憶されて前記第４プロセッサで実行可能なコンピュータプログラムを含むユーザ機器をさらに提供する。
前記第４プロセッサが前記プログラムを実行すると、
基地局からユーザ機器に対し、非競合ランダムアクセスメカニズムに基づいて初期アクセスを行うと指示した場合、前記基地局から送信される第２ランダムアクセスプリアンブル指示メッセージを、予め設定された第８ＳＣＳを用いて受信するステップと、
前記第２ランダムアクセスプリアンブル指示メッセージに基づいて、予め設定された第９ＳＣＳを用いて、第４ランダムアクセスプリアンブルメッセージを前記基地局に送信するステップと、
前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させるステップと、
を実現する。
【００４８】
第１２方面において、本開示の一部の実施例は、コンピュータプログラムが記憶されているコンピュータ読み取り可能な記憶媒体をさらに提供する。
当該プログラムがプロセッサによって実行されると、
基地局からユーザ機器に対し、競合ランダムアクセスメカニズムに基づいて初期アクセスを行うと指示した場合、前記ユーザ機器から送信される第１ランダムアクセスプリアンブルメッセージを、予め設定された第１ＳＣＳを用いて受信するステップと、
前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信するステップと、
前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信するステップと、
前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させるステップと、
を実現する。
【００４９】
第１３方面において、本開示の一部の実施例は、コンピュータプログラムが記憶されているコンピュータ読み取り可能な記憶媒体をさらに提供する。
当該プログラムがプロセッサによって実行されると、
基地局からユーザ機器に対し、非競合ランダムアクセスメカニズムに基づいて初期アクセスを行うと指示した場合、予め設定された第８ＳＣＳを用いて、第２ランダムアクセスプリアンブル指示メッセージを前記ユーザ機器に送信するステップと、
前記ユーザ機器から前記第２ランダムアクセスプリアンブル指示メッセージに基づいて送信される第４ランダムアクセスプリアンブルメッセージを、予め設定された第９ＳＣＳを用いて受信するステップと、
前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させるステップと、
を実現する。
【００５０】
第１４方面において、本開示の一部の実施例は、コンピュータプログラムが記憶されているコンピュータ読み取り可能な記憶媒体をさらに提供する。
当該プログラムがプロセッサによって実行されると、
基地局からユーザ機器に対し、競合ランダムアクセスメカニズムに基づいて初期アクセスを行うと指示した場合、予め設定された第１ＳＣＳを用いて、第１ランダムアクセスプリアンブルメッセージを前記基地局に送信するステップと、
前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信するステップと、
前記第１ランダムアクセス応答メッセージに基づいて、予め取り決められた第４ＳＣＳまたはネットワークから設定された第５ＳＣＳを用いて、第１スケジューリング伝送メッセージを前記基地局に送信するステップと、
前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させるステップと、
を実現する。
【００５１】
第１５方面において、本開示の一部の実施例は、コンピュータプログラムが記憶されているコンピュータ読み取り可能な記憶媒体をさらに提供する。
当該プログラムがプロセッサによって実行されると、
基地局からユーザ機器に対し、非競合ランダムアクセスメカニズムに基づいて初期アクセスを行うと指示した場合、前記基地局から送信される第２ランダムアクセスプリアンブル指示メッセージを、予め設定された第８ＳＣＳを用いて受信するステップと、
前記第２ランダムアクセスプリアンブル指示メッセージに基づいて、予め設定された第９ＳＣＳを用いて、第４ランダムアクセスプリアンブルメッセージを前記基地局に送信するステップと、
前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させるステップと、
を実現する。
【発明の効果】
【００５２】
本開示の一部実施例において、予め取り決める方式またはネットワークから設定する方式で、ランダムアクセスプロセスにおける各メッセージに対し、応用されるＳＣＳを特定することによって、５Ｇ  ＮＲの競合に基づいたランダムアクセスメカニズムでは、Ｍｓｇ．１〜Ｍｓｇ．４に異なるＳＣＳ設定を有し、５Ｇ  ＮＲの非競合に基づいたランダムアクセスメカニズムでは、Ｍｓｇ．０〜Ｍｓｇ．２にも異なるＳＣＳ設定を有する。よって、ランダムアクセスプロセスにおける各メッセージのＳＣＳが特定できないという従来技術の問題を解決し、５Ｇ  ＮＲのランダムアクセスメカニズムが正常に実行できることを保証する。
【図面の簡単な説明】
【００５３】
【図１】従来技術で５Ｇ  ＮＲにサポートされる、競合に基づいた４ステップのランダムアクセスメカニズムのフローチャートである。
【図２】従来技術で５Ｇ  ＮＲにサポートされる、非競合に基づいた３ステップのランダムアクセスメカニズムのフローチャートである。
【図３】本開示の一部実施例における基地局側の競合に基づいたランダムアクセス方法のフローチャートである。
【図４】本開示の一部実施例における基地局側の非競合に基づいたランダムアクセス方法のフローチャートである。
【図５】本開示の一部実施例におけるユーザ機器側の競合に基づいたランダムアクセス方法のフローチャートである。
【図６】本開示の一部実施例におけるユーザ機器側の非競合に基づいたランダムアクセス方法のフローチャートである。
【図７】本開示の一部実施例における基地局のモジュール図その１である。
【図８】本開示の一部実施例における基地局のモジュール図その２である。
【図９】本開示の一部実施例におけるユーザ機器のモジュール図その１である。
【図１０】本開示の一部実施例におけるユーザ機器のモジュール図その２である。
【図１１】本開示の一部実施例における基地局の構造ブロック図である。
【図１２】本開示の一部実施例におけるユーザ機器の構造ブロック図である。
【発明を実施するための形態】
【００５４】
本開示の解決しようとする技術課題、技術手段及び利点をより明確にするために、以下、図面および具体的な実施例を通じて詳細に記載する。以下の記載において、単に本開示の一部の実施例を全面的に理解してもらうことに役立つ目的で、具体的な構成や構成部品の特定の細部を示す。よって、ここに記載されている実施例に対し、本開示の範囲や趣旨を逸脱することなく、様々な変更や修正を行うことができることは、当業者にとって自明である。また、明確化と簡潔化を図るために、周知されている機能や構造に関する記載を省略している。
【００５５】
なお、明細書の全文にわたって言及されている「１つの実施例」や「一実施例」とは、実施例に関連する特定の特徴、構造または特性が本開示の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【００５６】
本開示の各実施例において、下記各プロセスの番号の大きさは、実行順の前後を意味するのではなく、各プロセスの実行順は、その機能および内在的な論理によって確定されるものであり、本開示の実施例の実施プロセスに対しいっさい限定を構成しないと理解すべきである。
【００５７】
また、本文において、「システム」と「ネットワーク」は、常に互換して使用することができる。
【００５８】
本願に提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【００５９】
具体的に、本開示の一部実施例は、ランダムアクセス方法、基地局およびユーザ機器を提供し、予め取り決める方式またはネットワークから設定する方式で、ランダムアクセスプロセスにおける各メッセージに対し、応用されるＳＣＳを特定することによって、ランダムアクセスプロセスにおける各メッセージのＳＣＳが特定できないという従来技術の問題を解決する。
【００６０】
図３に示すように、本開示の一部の実施例は、基地局に応用されるランダムアクセス方法を提供する。当該ランダムアクセス方法は、具体的に、以下のステップ３１〜３４を含む。
【００６１】
ステップ３１において、基地局からユーザ機器に対し、競合ランダムアクセスメカニズムに基づいて初期アクセスを行うと指示した場合、前記ユーザ機器から送信される第１ランダムアクセスプリアンブルメッセージを、予め設定された第１ＳＣＳを用いて受信する。
【００６２】
本開示の一部実施例は、基地局側で実行される競合に基づいたランダムアクセスプロセスである。ユーザ機器の初期アクセスが必要となると、基地局は、競合に基づいたランダムアクセスを行うか、それとも、非競合に基づいたランダムアクセスを行うかをユーザ機器に指示する。ここで、基地局からユーザ機器に対し、競合に基づいたランダムアクセスを行うと指示した場合、ランダムアクセスプリアンブルメッセージ（すなわちＭｓｇ．１）に用いられるプリアンブルは、予め定義されたプリアンブル集合からユーザ機器によってランダムに選択される。一方、基地局からユーザ機器に対し、非競合に基づいたランダムアクセスを行うと指示した場合、ランダムアクセスプリアンブルメッセージ（すなわちＭｓｇ．１）に用いられるプリアンブルは、基地局からユーザ機器に送信されるランダムアクセスプリアンブル指示メッセージ（すなわちＭｓｇ．０）で指示されるプリアンブルである。
【００６３】
また、予め設定された第１ＳＣＳは、ＲＭＳＩによって統一的に設定される。
【００６４】
ステップ３２において、前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信する。
【００６５】
選択可能に、前記予め取り決められた第２ＳＣＳは、ＰＢＣＨ（Ｐｈｙｓｉｃａｌ  Ｂｒｏａｄｃａｓｔ  Ｃｈａｎｎｅｌ）の伝送に用いられるＳＣＳであり、または、ＲＭＳＩの伝送に用いられるＳＣＳである。
【００６６】
選択可能に、前記ネットワークから設定された第３ＳＣＳは、ＲＭＳＩのうちのＲＡＣＨ（Ｒａｎｄｏｍ  Ａｃｃｅｓｓ  Ｃｈａｎｎｅｌ）設定パラメータに付帯される。
【００６７】
すなわち、基地局からユーザ機器に対し、競合ランダムアクセスメカニズムに基づいて初期アクセスを行うと指示した場合、基地局からランダムアクセス応答メッセージ（すなわちＭｓｇ．２）の送信に用いられるＳＣＳの特定方式は、以下の３種類がある。
種類１：Ｍｓｇ．２に用いられるＳＣＳは、ＰＢＣＨの伝送に用いられるＳＣＳとは同じである。
種類２：Ｍｓｇ．２に用いられるＳＣＳは、ＲＭＳＩの伝送に用いられるＳＣＳとは同じである。
種類３：Ｍｓｇ．２に用いられるＳＣＳは、ＲＭＳＩのうちのＲＡＣＨ設定パラメータで設定される。
【００６８】
ここで、上記３種類の方式について、基地局が、ＲＭＳＩ、ページング（Ｐａｇｉｎｇ）およびＲＡＲ（Ｒａｎｄｏｍ  Ａｃｃｅｓｓ  Ｒｅｓｐｏｎｓｅ）を統合的に考慮し、ＰＤＣＣＨチャネルを検索するＣＯＲＥＳＥＴ（Ｃｏｎｔｒｏｌ−ｒｅｓｏｕｒｃｅ  ｓｅｔ）を設計する際に、Ｍｓｇ．２のＳＣＳ設定は、ＰＢＣＨのＳＣＳとは異なるが、ＲＭＳＩ伝送のＳＣＳとは同じである。また、Ｍｓｇ．２のＳＣＳ設定は、ネットワークの実際の状況に応じて、ＲＭＳＩのうちのＲＡＣＨ設定パラメータで再設定することができる。
【００６９】
また、Ｍｓｇ．２とＲＭＳＩがＰＤＳＣＨチャネルで搬送されるため、基地局は、ＲＭＳＩを伝送するＰＤＳＣＨとは同じであるＳＣＳを設定することができる。すなわち、選択可能に、基地局は、Ｍｓｇ．２のＳＣＳとして、ＲＭＳＩ伝送のＳＣＳとは同じであると初期設定する。よって、シグナリングを送信してユーザ機器に通知する必要がなく、シグナリングオーバヘッドを節約する。また、基地局は、Ｍｓｇ．２のＳＣＳの変更が必要であると判断すると、ＲＭＳＩのうちのＲＡＣＨ設定パラメータでＭｓｇ．２のＳＣＳを指示してＭｓｇ．２のＳＣＳを柔軟に設定することができ、または、ＰＢＣＨとは同じＳＣＳを使用するよう、ＲＲＣハイレイヤシグナリングまたはＲＭＳＩによってユーザ機器に通知する。
【００７０】
ステップ３３において、前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信する。
【００７１】
選択可能に、前記予め取り決められた第４ＳＣＳは、ＰＢＣＨの伝送に用いられるＳＣＳであり、または、ＲＭＳＩの伝送に用いられるＳＣＳである。
【００７２】
選択可能に、前記ネットワークから設定された第５ＳＣＳは、ＲＭＳＩのうちのＲＡＣＨ設定パラメータに付帯され、または、前記第１ランダムアクセス応答メッセージに付帯される。
【００７３】
すなわち、基地局からユーザ機器に対し、競合ランダムアクセスメカニズムに基づいて初期アクセスを行うと指示した場合、基地局からスケジューリング伝送メッセージ（すなわちＭｓｇ．３）の送信に用いられるＳＣＳの特定方式は、以下の４種類がある。
種類１：Ｍｓｇ．３に用いられるＳＣＳは、ＰＢＣＨの伝送に用いられるＳＣＳとは同じである。
種類２：Ｍｓｇ．３に用いられるＳＣＳは、ＲＭＳＩの伝送に用いられるＳＣＳとは同じである。
種類３：Ｍｓｇ．３に用いられるＳＣＳは、ＲＭＳＩのうちのＲＡＣＨ設定パラメータで設定される。
種類４：Ｍｓｇ．３に用いられるＳＣＳは、Ｍｓｇ．２に含まれるパラメータで指示される。
【００７４】
Ｍｓｇ．３の４種類の特定方式について、さらに、基地局は、Ｍｓｇ．３のＳＣＳとして、ＲＭＳＩ伝送のＳＣＳとは同じであると初期設定する。よって、シグナリングを送信してユーザ機器に通知する必要がなく、シグナリングオーバヘッドを節約する。また、ネットワークにおいて、実際の必要性に応じて、ＲＭＳＩのうちのＲＡＣＨ設定パラメータでＭｓｇ．３のＳＣＳを再度指示することによって、Ｍｓｇ．３のＳＣＳを柔軟に設定することができ、または、ＰＢＣＨとは同じＳＣＳを使用するよう、ＲＲＣハイレイヤシグナリングまたはＲＭＳＩによってユーザ機器に通知し、または、Ｍｓｇ．２に含まれるパラメータでＭｓｇ．３のＳＣＳを指示する。
【００７５】
ステップ３４において、前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させる。
【００７６】
選択可能に、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【００７７】
選択可能に、前記ネットワークから設定された第７ＳＣＳは、ＲＭＳＩのうちのＲＡＣＨ設定パラメータに付帯される。
【００７８】
すなわち、基地局からユーザ機器に対し、競合ランダムアクセスメカニズムに基づいて初期アクセスを行うと指示した場合、基地局から衝突解決メッセージ（すなわちＭｓｇ．４）の送信に用いられるＳＣＳの特定方式は、以下の４種類がある。
種類１：Ｍｓｇ．４に用いられるＳＣＳは、ＰＢＣＨの伝送に用いられるＳＣＳとは同じである。
種類２：Ｍｓｇ．４に用いられるＳＣＳは、ＲＭＳＩの伝送に用いられるＳＣＳとは同じである。
種類３：Ｍｓｇ．４に用いられるＳＣＳは、Ｍｓｇ．２に用いられるＳＣＳとは同じである。
種類４：Ｍｓｇ．４に用いられるＳＣＳは、ＲＭＳＩのうちのＲＡＣＨ設定パラメータで設定される。
【００７９】
Ｍｓｇ．４の４種類の特定方式について、Ｍｓｇ．２とＭｓｇ．４がＰＤＳＣＨチャネルで伝送されるため、さらに、基地局は、Ｍｓｇ．４のＳＣＳとして、Ｍｓｇ．２のＳＣＳとは同じであると初期設定する。よって、シグナリングを送信してユーザ機器に通知する必要がなく、シグナリングオーバヘッドを節約する。
【００８０】
また、ネットワークにおいて、さらに、実際の必要性に応じて、ＲＭＳＩのうちのＲＡＣＨ設定パラメータでＭｓｇ．４のＳＣＳを再度指示することによって、Ｍｓｇ．４のＳＣＳを柔軟に設定することができ、または、ＰＢＣＨとは同じＳＣＳを使用しまたはＲＭＳＩ伝送のＳＣＳを使用するよう、ＲＲＣハイレイヤシグナリングまたはＲＭＳＩによってユーザ機器に通知する。
【００８１】
選択可能に、上記ステップ３１〜３４を経て初期アクセスプロセスが完成した後に、前記方法では、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第１ランダムアクセスプリアンブル指示メッセージを前記ユーザ機器に送信することと、
ここで、第８ＳＣＳは、ＰＢＣＨの伝送に用いられるＳＣＳを用いるように初期設定し、
前記ユーザ機器から前記第１ランダムアクセスプリアンブル指示メッセージに基づいて送信される第２ランダムアクセスプリアンブルメッセージを、予め設定された第９ＳＣＳを用いて受信することと、
ここで、第９ＳＣＳは、ＲＭＳＩによって統一的に設定され、
前記第２ランダムアクセスプリアンブルメッセージに基づいて、前記第１ランダムアクセスプリアンブル指示メッセージの送信に応用されるＳＣＳを用いて、第２ランダムアクセス応答メッセージを前記ユーザ機器に送信して、アップリンク同期を完成させることと、
をさらに含む。
【００８２】
選択可能に、上記ステップ３１〜３４を経て初期アクセスプロセスが完成した後に、前記方法では、
前記ユーザ機器がアップリンク非同期になり、かつ基地局から前記ユーザ機器に対し、競合ランダムアクセスメカニズムに基づいてランダムアクセスを行うと指示した場合、前記ユーザ機器から送信される第３ランダムアクセスプリアンブルメッセージを、予め設定された第１ＳＣＳを用いて受信することと、
ここで、第１ＳＣＳは、ＲＭＳＩによって統一的に設定され、
前記第３ランダムアクセスプリアンブルメッセージに基づいて、ＲＭＳＩの伝送に応用されるＳＣＳを用いて、第３ランダムアクセス応答メッセージを前記ユーザ機器に送信することと、
前記ユーザ機器から前記第３ランダムアクセス応答メッセージに基づいて送信される第２スケジューリング伝送メッセージを、前記第１スケジューリング伝送メッセージの受信に応用されるＳＣＳを用いて受信することと、
前記第２スケジューリング伝送メッセージに基づいて、前記第１衝突解決メッセージの送信に応用されるＳＣＳを用いて、第２衝突解決メッセージを前記ユーザ機器に送信して、アップリンク同期を完成させることとをさらに含む。
【００８３】
ＲＲＣ接続が確立すると、ユーザ機器に用いられる１つまたは複数のＢＷＰ（Ｂａｎｄ  Ｗｉｄｔｈ  Ｐａｒｔ）をＲＲＣシグナリングによって設定することができる。ここで、各ＢＷＰのＳＣＳは、ＲＲＣシグナリングによって設定されてもよい。活性化状態のＢＷＰでは、ＲＲＣ接続確立プロセスとは異なるＳＣＳを使用すると、ユーザ機器のアップリンクタイミング同期が失った（すなわちアップリンク非同期）場合、接続状態でランダムアクセスプロセスにおけるユーザ機器の行為を指定する必要がある。ここで、１つまたは複数のＢＷＰの設定にかかわらず、ＰＲＡＣＨのＳＣＳは、異なる搬送波で同じであるように設定される。
【００８４】
ユーザ機器のアップリンク同期が失うと、ユーザ機器は、ＢＷＰおよび／またはパラメータ（ｎｕｍｅｒｏｌｏｇｙ）に関する専用ＲＲＣ設定をすべて解放する。ネットワークにおいてランダムアクセスプロセスでユーザ機器が識別されると、ネットワークから、１つまたは複数のＢＷＰおよび／またはパラメータ（ｎｕｍｅｒｏｌｏｇｙ）をユーザ機器に再設定する。
【００８５】
ここで、ユーザ機器の初期アクセスには、競合に基づいたランダムアクセスメカニズムが用いられる場合、当該ユーザ機器は、アップリンク非同期が発生すると、競合に基づいたランダムアクセスメカニズムまたは非競合に基づいたランダムアクセスメカニズムを用いて、ランダムアクセスを再度に行う。
【００８６】
ユーザ機器のアップリンク非同期が発生し、競合に基づいたランダムアクセスメカニズムで再度にアクセスする場合、ネットワークから、どのユーザ機器がＰＲＡＣＨチャネルでＭｓｇ．１を送信したかの識別ができない。よって、ユーザ機器は、ＣＯＲＥＳＥＴ（Ｃｏｎｔｒｏｌ−ｒｅｓｏｕｒｃｅ  ｓｅｔ）で、ＰＤＣＣＨにスケジューリングされるＭｓｇ．２を監視する。ここで、当該ＣＯＲＥＳＥＴは、ＰＢＣＨに付帯されるＭＩＢによって設定される。また、このランダムアクセスプロセスにおいて、Ｍｓｇ．２の初期設定として、ＲＭＳＩ伝送のＳＣＳを使用するが、ＰＵＳＣＨで送信されるＭｓｇ．３は、初期アクセスプロセスとは同じＳＣＳを使用し、Ｍｓｇ．４も同様に初期アクセスプロセスとは同じＳＣＳを使用する。
【００８７】
ユーザ機器のアップリンク非同期が発生し、非競合に基づいたランダムアクセスメカニズムで再度にアクセスする場合、ＢＷＰの設定値にかかわらず、接続状態でのユーザ機器は、少なくとも、ＣＯＲＥＳＥＴに関連する検索空間を設定して、ＰＲＡＣＨ伝送をスケジューリングするＰＤＣＣＨ命令を監視する。よって、ＰＤＣＣＨ命令および対応するＭｓｇ．２をスケジューリングするＰＤＣＣＨは、同じ検索空間で監視され、すなわちＭｓｇ．２とＭｓｇ．０とは同じＳＣＳを使用する。ここで、ＲＭＳＩで提供されるＲＡＣＨ設定パラメータに基づいて、Ｍｓｇ．０のうちのＰＤＣＣＨ命令は、Ｍｓｇ．１のＳＣＳなどを含んだＰＲＡＣＨ伝送パラメータを指示している。
【００８８】
また、上記プロセスによって、アップリンク同期のＲＲＣ接続再確立が成功する（競合に基づいたランダムアクセスか否かにかかわらず）と、ネットワークにおいて、設定されているＢＷＰでは、ダウンリンク割り当て専用のスケジューリングを復帰させる。
【００８９】
以上の記載をまとめると、本開示の一部実施例において、予め取り決める方式またはネットワークから設定する方式で、ランダムアクセスプロセスにおける各メッセージに対し、応用されるＳＣＳを特定することによって、５Ｇ  ＮＲの競合に基づいたランダムアクセスメカニズムでは、Ｍｓｇ．１〜Ｍｓｇ．４には異なるＳＣＳ設定を有し、ユーザ機器のアップリンク非同期が発生して再度にアクセスするプロセスにおいて、再度アクセスプロセスにおける各メッセージに対し、応用されるＳＣＳを特定することができる。よって、ランダムアクセスプロセスにおける各メッセージのＳＣＳが特定できないという従来技術の問題を解決し、５Ｇ  ＮＲのランダムアクセスメカニズムが正常に実行できることを保証する。
【００９０】
図４に示すように、本開示の一部の実施例は、基地局に応用されるランダムアクセス方法を提供する。当該ランダムアクセス方法は、ステップ４１〜４３を含む。
【００９１】
ステップ４１において、基地局からユーザ機器に対し、非競合ランダムアクセスメカニズムに基づいて初期アクセスを行うと指示した場合、予め設定された第８ＳＣＳを用いて、第２ランダムアクセスプリアンブル指示メッセージを前記ユーザ機器に送信する。
【００９２】
本開示の一部実施例は、基地局側で実行される非競合に基づいたランダムアクセスプロセスである。ユーザ機器の初期アクセスが必要となると、基地局は、競合に基づいたランダムアクセスを行うか、それとも、非競合に基づいたランダムアクセスを行うかをユーザ機器に指示する。ここで、基地局からユーザ機器に対し、競合に基づいたランダムアクセスを行うと指示した場合、ランダムアクセスプリアンブルメッセージ（すなわちＭｓｇ．１）に用いられるプリアンブルは、予め定義されたプリアンブル集合からユーザ機器によってランダムに選択される。一方、基地局からユーザ機器に対し、非競合に基づいたランダムアクセスを行うと指示した場合、ランダムアクセスプリアンブルメッセージ（すなわちＭｓｇ．１）に用いられるプリアンブルは、基地局からユーザ機器に送信されるランダムアクセスプリアンブル指示メッセージ（すなわちＭｓｇ．０）で指示されるプリアンブルである。
【００９３】
選択可能に、第８ＳＣＳは、ＰＢＣＨの伝送に用いられるＳＣＳとは同じである。
【００９４】
ステップ４２において、前記ユーザ機器から前記第２ランダムアクセスプリアンブル指示メッセージに基づいて送信される第４ランダムアクセスプリアンブルメッセージを、予め設定された第９ＳＣＳを用いて受信する。
【００９５】
ここで、予め設定された第９ＳＣＳは、ＲＭＳＩによって統一的に設定される。
【００９６】
ステップ４３において、前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させる。
【００９７】
選択可能に、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【００９８】
選択可能に、非競合に基づくランダムアクセスが非切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【００９９】
すなわち、基地局からユーザ機器に対し、非競合ランダムアクセスメカニズムに基づいて初期アクセスを行うと指示した場合、今回のランダムアクセスが非切り替えプロセスに用いられる場合、基地局からランダムアクセス応答メッセージ（すなわちＭｓｇ．２）の送信に用いられるＳＣＳの特定方式は、以下の２種類がある。
種類１：Ｍｓｇ．２に用いられるＳＣＳは、ソースセルからのＭｓｇ．０のＳＣＳとは同じである。
種類２：Ｍｓｇ．２に用いられるＳＣＳは、Ｍｓｇ．０のうちのＲＡＣＨ設定パラメータで設定される。
【０１００】
ここで、上記の２種類の方式について、さらに、非競合のランダムアクセスプロセスが非切り替えプロセスに用いられる場合、基地局は、Ｍｓｇ．２のＳＣＳとして、ソースセルからのＭｓｇ．０のＳＣＳとは同じであると初期設定する。よって、シグナリングを送信してユーザ機器に通知する必要がなく、シグナリングオーバヘッドを節約する。また、基地局は、Ｍｓｇ．２のＳＣＳの変更が必要であると判断すると、Ｍｓｇ．０のうちのＲＡＣＨ設定パラメータでＭｓｇ．２のＳＣＳを再設定することができ、Ｍｓｇ．２のＳＣＳを柔軟に設定することができる。
【０１０１】
選択可能に、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【０１０２】
さらに、切り替えプロセスにおける前記参照信号が同期信号ブロック参照信号である場合、前記予め取り決められた第１０ＳＣＳは、前記同期信号ブロック参照信号のＳＣＳであり、
切り替えプロセスにおける前記参照信号がチャネル状態情報参照信号である場合、前記予め取り決められた第１０ＳＣＳは、前記チャネル状態情報参照信号のＳＣＳである。
【０１０３】
選択可能に、非競合に基づくランダムアクセスがセル切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【０１０４】
すなわち、基地局からユーザ機器に対し、非競合ランダムアクセスメカニズムに基づいて初期アクセスを行うと指示した場合、今回のランダムアクセスが切り替えプロセスに用いられる場合、基地局からランダムアクセス応答メッセージ（すなわちＭｓｇ．２）の送信に用いられるＳＣＳの特定方式は、以下の３種類がある。
種類１：Ｍｓｇ．２に用いられるＳＣＳは、ソースセルからのＭｓｇ．０のＳＣＳとは同じである。
種類２：切り替えプロセスが同期信号ブロック参照信号受信電力（ＳＳ−ＲＳＲＰ）の測定によってトリガーされると、Ｍｓｇ．２のＳＣＳは、ターゲットセルの同期信号ブロック参照信号（ＳＳ）を測定するＳＣＳとは同じである。切り替えプロセスがチャネル状態情報参照信号受信電力（ＣＳＩ−ＲＳＲＰ）の測定によってトリガーされると、Ｍｓｇ．２のＳＣＳは、ターゲットセルのチャネル状態情報参照信号（ＣＳＩ−ＲＳ）を測定するＳＣＳとは同じである。
種類３：Ｍｓｇ．２に用いられるＳＣＳは、Ｍｓｇ．０のうちのＲＡＣＨ設定パラメータで設定される。
【０１０５】
ここで、上記の３種類の方式について、さらに、非競合のランダムアクセスプロセスが非切り替えプロセスに用いられる場合、基地局は、Ｍｓｇ．２のＳＣＳとして、ターゲットセルで切り替えプロセスをトリガーする参照信号とは同じＳＣＳを使用すると初期設定し、シグナリングオーバヘッドを節約する。Ｍｓｇ．０のうちのＲＡＣＨ設定パラメータで再設定する以外、Ｍｓｇ．２のＳＣＳを柔軟に設定することができる。
【０１０６】
初期設定の場合について、切り替えプロセスが同期信号ブロック参照信号受信電力（ＳＳ−ＲＳＲＰ）の測定によってトリガーされると、Ｍｓｇ．２のＳＣＳは、ターゲットセルの同期信号ブロック参照信号（ＳＳ）を測定するＳＣＳとは同じである。切り替えプロセスがチャネル状態情報参照信号受信電力（ＣＳＩ−ＲＳＲＰ）の測定によってトリガーされると、Ｍｓｇ．２のＳＣＳは、ターゲットセルのチャネル状態情報参照信号（ＣＳＩ−ＲＳ）を測定するＳＣＳとは同じである。
【０１０７】
選択可能に、上記ステップ４１〜４３を経て初期アクセスプロセスが完成した後に、前記方法では、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第３ランダムアクセスプリアンブル指示メッセージを前記ユーザ機器に送信することと、
ここで、第８ＳＣＳは、ＰＢＣＨの伝送に用いられるＳＣＳを用いるように初期設定し、
前記ユーザ機器から前記第３ランダムアクセスプリアンブル指示メッセージに基づいて送信される第５ランダムアクセスプリアンブルメッセージを、予め設定された第９ＳＣＳを用いて受信することと、
ここで、第９ＳＣＳは、ＲＭＳＩによって統一的に設定され、
前記第５ランダムアクセスプリアンブルメッセージに基づいて、前記第３ランダムアクセスプリアンブル指示メッセージの送信に応用されるＳＣＳを用いて、第５ランダムアクセス応答メッセージを前記ユーザ機器に送信して、アップリンク同期を完成させることと、
をさらに含む。
【０１０８】
ＲＲＣ接続が確立すると、ユーザ機器に用いられる１つまたは複数のＢＷＰをＲＲＣシグナリングによって設定することができる。ここで、各ＢＷＰのＳＣＳは、ＲＲＣシグナリングによって設定されてもよい。活性化状態のＢＷＰでは、ＲＲＣ接続確立プロセスとは異なるＳＣＳを使用すると、ユーザ機器のアップリンクタイミング同期が失った（すなわちアップリンク非同期）場合、接続状態でランダムアクセスプロセスにおけるユーザ機器の行為を指定する必要がある。ここで、１つまたは複数のＢＷＰの設定にかかわらず、ＰＲＡＣＨのＳＣＳは、異なる搬送波で同じであるように設定される。
【０１０９】
ユーザ機器のアップリンク同期が失うと、ユーザ機器は、ＢＷＰおよび／またはパラメータ（ｎｕｍｅｒｏｌｏｇｙ）に関する専用ＲＲＣ設定をすべて解放する。ネットワークにおいてランダムアクセスプロセスでユーザ機器が識別されると、ネットワークから、１つまたは複数のＢＷＰおよび／またはパラメータ（ｎｕｍｅｒｏｌｏｇｙ）をユーザ機器に再設定する。
【０１１０】
ここで、ユーザ機器の初期アクセスには、非競合に基づいたランダムアクセスメカニズムが用いられる場合、当該ユーザ機器は、アップリンク非同期が発生すると、非競合に基づいたランダムアクセスメカニズムを用いて、ランダムアクセスを再度に行う必要がある。
【０１１１】
ユーザ機器のアップリンク非同期が発生し、非競合に基づいたランダムアクセスメカニズムで再度にアクセスする場合、ＢＷＰの設定値にかかわらず、接続状態でのユーザ機器は、少なくとも、ＣＯＲＥＳＥＴに関連する検索空間を設定して、ＰＲＡＣＨ伝送をスケジューリングするＰＤＣＣＨ命令を監視する。よって、ＰＤＣＣＨ命令および対応するＭｓｇ．２をスケジューリングするＰＤＣＣＨは、同じ検索空間で監視され、すなわちＭｓｇ．２とＭｓｇ．０とは同じＳＣＳを使用する。ここで、ＲＭＳＩで提供されるＲＡＣＨ設定パラメータに基づいて、Ｍｓｇ．０のうちのＰＤＣＣＨ命令は、Ｍｓｇ．１のＳＣＳなどを含んだＰＲＡＣＨ伝送パラメータを指示している。
【０１１２】
また、上記プロセスによって、アップリンク同期のＲＲＣ接続再確立が成功すると、ネットワークにおいて、設定されているＢＷＰでは、ダウンリンク割り当て専用のスケジューリングを復帰させる。
【０１１３】
以上の記載をまとめると、本開示の一部実施例において、予め取り決める方式またはネットワークから設定する方式で、ランダムアクセスプロセスにおける各メッセージに対し、応用されるＳＣＳを特定することによって、５Ｇ  ＮＲの非競合に基づいたランダムアクセスメカニズムでは、Ｍｓｇ．０〜Ｍｓｇ．２に異なるＳＣＳ設定を有し、ユーザ機器のアップリンク非同期が発生して再度にアクセスするプロセスにおいて、再度アクセスプロセスにおける各メッセージに対し、応用されるＳＣＳを特定することができる。よって、ランダムアクセスプロセスにおける各メッセージのＳＣＳが特定できないという従来技術の問題を解決し、５Ｇ  ＮＲのランダムアクセスメカニズムが正常に実行できることを保証する。
【０１１４】
図５に示すように、本開示の一部の実施例は、ユーザ機器に応用されるランダムアクセス方法を提供する。当該ランダムアクセス方法において、ステップ５１〜５４を含む。
【０１１５】
ステップ５１において、基地局からユーザ機器に対し、競合ランダムアクセスメカニズムに基づいて初期アクセスを行うと指示した場合、予め設定された第１ＳＣＳを用いて、第１ランダムアクセスプリアンブルメッセージを前記基地局に送信する。
【０１１６】
本開示の一部実施例は、基地局側で実行される競合に基づいたランダムアクセスプロセスである。ユーザ機器の初期アクセスが必要となると、基地局は、競合に基づいたランダムアクセスを行うか、それとも、非競合に基づいたランダムアクセスを行うかをユーザ機器に指示する。ここで、基地局からユーザ機器に対し、競合に基づいたランダムアクセスを行うと指示した場合、ランダムアクセスプリアンブルメッセージ（すなわちＭｓｇ．１）に用いられるプリアンブルは、予め定義されたプリアンブル集合からユーザ機器によってランダムに選択される。一方、基地局からユーザ機器に対し、非競合に基づいたランダムアクセスを行うと指示した場合、ランダムアクセスプリアンブルメッセージ（すなわちＭｓｇ．１）に用いられるプリアンブルは、基地局からユーザ機器に送信されるランダムアクセスプリアンブル指示メッセージ（すなわちＭｓｇ．０）で指示されるプリアンブルである。
【０１１７】
また、予め設定された第１ＳＣＳは、ＲＭＳＩによって統一的に設定される。
【０１１８】
ステップ５２において、前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信する。
【０１１９】
選択可能に、前記予め取り決められた第２ＳＣＳは、ＰＢＣＨの伝送に用いられるＳＣＳであり、または、ＲＭＳＩの伝送に用いられるＳＣＳである。
【０１２０】
選択可能に、前記ネットワークから設定された第３ＳＣＳは、ＲＭＳＩのうちのＲＡＣＨ設定パラメータに付帯される。
【０１２１】
すなわち、基地局からユーザ機器に対し、競合ランダムアクセスメカニズムに基づいて初期アクセスを行うと指示した場合、基地局からランダムアクセス応答メッセージ（すなわちＭｓｇ．２）の送信に用いられるＳＣＳの特定方式は、以下の３種類がある。
種類１：Ｍｓｇ．２に用いられるＳＣＳは、ＰＢＣＨの伝送に用いられるＳＣＳとは同じである。
種類２：Ｍｓｇ．２に用いられるＳＣＳは、ＲＭＳＩの伝送に用いられるＳＣＳとは同じである。
種類３：Ｍｓｇ．２に用いられるＳＣＳは、ＲＭＳＩのうちのＲＡＣＨ設定パラメータで設定される。
【０１２２】
ここで、上記３種類の方式について、基地局が、ＲＭＳＩ、ページング（Ｐａｇｉｎｇ）およびＲＡＲ（Ｒａｎｄｏｍ  Ａｃｃｅｓｓ  Ｒｅｓｐｏｎｓｅ）を統合的に考慮し、ＰＤＣＣＨチャネルを検索するＣＯＲＥＳＥＴ（Ｃｏｎｔｒｏｌ−ｒｅｓｏｕｒｃｅ  ｓｅｔ）を設計する際に、Ｍｓｇ．２のＳＣＳ設定は、ＰＢＣＨのＳＣＳとは異なるが、ＲＭＳＩ伝送のＳＣＳとは同じである。また、Ｍｓｇ．２のＳＣＳ設定は、ネットワークの実際の状況に応じて、ＲＭＳＩのうちのＲＡＣＨ設定パラメータで再設定することができる。
【０１２３】
また、Ｍｓｇ．２とＲＭＳＩがＰＤＳＣＨチャネルで搬送されるため、基地局は、ＲＭＳＩを伝送するＰＤＳＣＨとは同じであるＳＣＳを設定することができる。すなわち、選択可能に、基地局は、Ｍｓｇ．２のＳＣＳとして、ＲＭＳＩ伝送のＳＣＳとは同じであると初期設定する。よって、シグナリングを送信してユーザ機器に通知する必要がなく、シグナリングオーバヘッドを節約する。また、基地局は、Ｍｓｇ．２のＳＣＳの変更が必要であると判断すると、ＲＭＳＩのうちのＲＡＣＨ設定パラメータでＭｓｇ．２のＳＣＳを指示してＭｓｇ．２のＳＣＳを柔軟に設定することができ、または、ＰＢＣＨとは同じＳＣＳを使用するよう、ＲＲＣハイレイヤシグナリングまたはＲＭＳＩによってユーザ機器に通知する。
【０１２４】
ステップ５３において、前記第１ランダムアクセス応答メッセージに基づいて、予め取り決められた第４ＳＣＳまたはネットワークから設定された第５ＳＣＳを用いて、第１スケジューリング伝送メッセージを前記基地局に送信する。
【０１２５】
選択可能に、前記予め取り決められた第４ＳＣＳは、ＰＢＣＨの伝送に用いられるＳＣＳであり、または、ＲＭＳＩの伝送に用いられるＳＣＳである。
【０１２６】
選択可能に、前記ネットワークから設定された第５ＳＣＳは、ＲＭＳＩのうちのＲＡＣＨ設定パラメータに付帯され、または、前記第１ランダムアクセス応答メッセージに付帯される。
【０１２７】
すなわち、基地局からユーザ機器に対し、競合ランダムアクセスメカニズムに基づいて初期アクセスを行うと指示した場合、基地局からスケジューリング伝送メッセージ（すなわちＭｓｇ．３）の送信に用いられるＳＣＳの特定方式は、以下の４種類がある。
種類１：Ｍｓｇ．３に用いられるＳＣＳは、ＰＢＣＨの伝送に用いられるＳＣＳとは同じである。
種類２：Ｍｓｇ．３に用いられるＳＣＳは、ＲＭＳＩの伝送に用いられるＳＣＳとは同じである。
種類３：Ｍｓｇ．３に用いられるＳＣＳは、ＲＭＳＩのうちのＲＡＣＨ設定パラメータで設定される。
種類４：Ｍｓｇ．３に用いられるＳＣＳは、Ｍｓｇ．２に含まれるパラメータで指示される。
【０１２８】
Ｍｓｇ．３の４種類の特定方式について、さらに、基地局は、Ｍｓｇ．３のＳＣＳとして、ＲＭＳＩ伝送のＳＣＳとは同じであると初期設定する。よって、シグナリングを送信してユーザ機器に通知する必要がなく、シグナリングオーバヘッドを節約する。また、ネットワークにおいて、実際の必要性に応じて、ＲＭＳＩのうちのＲＡＣＨ設定パラメータでＭｓｇ．３のＳＣＳを再度指示することによって、Ｍｓｇ．３のＳＣＳを柔軟に設定することができ、または、ＰＢＣＨとは同じＳＣＳを使用するよう、ＲＲＣハイレイヤシグナリングまたはＲＭＳＩによってユーザ機器に通知し、または、Ｍｓｇ．２に含まれるパラメータでＭｓｇ．３のＳＣＳを指示する。
【０１２９】
ステップ５４において、前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させる。
【０１３０】
選択可能に、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【０１３１】
選択可能に、前記ネットワークから設定された第７ＳＣＳは、ＲＭＳＩのうちのＲＡＣＨ設定パラメータに付帯される。
【０１３２】
すなわち、基地局からユーザ機器に対し、競合ランダムアクセスメカニズムに基づいて初期アクセスを行うと指示した場合、基地局から衝突解決メッセージ（すなわちＭｓｇ．４）の送信に用いられるＳＣＳの特定方式は、以下の４種類がある。
種類１：Ｍｓｇ．４に用いられるＳＣＳは、ＰＢＣＨの伝送に用いられるＳＣＳとは同じである。
種類２：Ｍｓｇ．４に用いられるＳＣＳは、ＲＭＳＩの伝送に用いられるＳＣＳとは同じである。
種類３：Ｍｓｇ．４に用いられるＳＣＳは、Ｍｓｇ．２に用いられるＳＣＳとは同じである。
種類４：Ｍｓｇ．４に用いられるＳＣＳは、ＲＭＳＩのうちのＲＡＣＨ設定パラメータで設定される。
【０１３３】
Ｍｓｇ．４の４種類の特定方式について、Ｍｓｇ．２とＭｓｇ．４がＰＤＳＣＨチャネルで伝送されるため、さらに、基地局は、Ｍｓｇ．４のＳＣＳとして、Ｍｓｇ．２のＳＣＳとは同じであると初期設定する。よって、シグナリングを送信してユーザ機器に通知する必要がなく、シグナリングオーバヘッドを節約する。
【０１３４】
また、ネットワークにおいて、さらに、実際の必要性に応じて、ＲＭＳＩのうちのＲＡＣＨ設定パラメータでＭｓｇ．４のＳＣＳを再度指示することによって、Ｍｓｇ．４のＳＣＳを柔軟に設定することができ、または、ＰＢＣＨとは同じＳＣＳを使用しまたはＲＭＳＩ伝送のＳＣＳを使用するよう、ＲＲＣハイレイヤシグナリングまたはＲＭＳＩによってユーザ機器に通知する。
【０１３５】
選択可能に、上記ステップ５１〜５４を経て初期アクセスプロセスが完成した後に、前記方法では、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第１ランダムアクセスプリアンブル指示メッセージを、予め設定された第８ＳＣＳを用いて受信することと、
ここで、第８ＳＣＳは、ＰＢＣＨの伝送に用いられるＳＣＳを用いるように初期設定し、
前記第１ランダムアクセスプリアンブル指示メッセージに基づいて、予め設定された第９ＳＣＳを用いて第２ランダムアクセスプリアンブルメッセージを前記基地局に送信することと、
ここで、第９ＳＣＳは、ＲＭＳＩによって統一的に設定され、
前記基地局から前記第２ランダムアクセスプリアンブルメッセージに基づいて送信される第２ランダムアクセス応答メッセージを、前記第１ランダムアクセスプリアンブル指示メッセージの受信に応用されるＳＣＳを用いて受信して、アップリンク同期を完成させることと、
をさらに含む。
【０１３６】
選択可能に、上記ステップ５１〜５４を経て初期アクセスプロセスが完成した後に、前記方法では、
前記ユーザ機器がアップリンク非同期になり、かつ基地局から前記ユーザ機器に対し、競合ランダムアクセスメカニズムに基づいてランダムアクセスを行うと指示した場合、予め設定された第１ＳＣＳを用いて第３ランダムアクセスプリアンブルメッセージを前記基地局に送信することと、
ここで、第１ＳＣＳは、ＲＭＳＩによって統一的に設定され、
前記基地局から前記第３ランダムアクセスプリアンブルメッセージに基づいて送信される第３ランダムアクセス応答メッセージを、ＲＭＳＩの伝送に応用されるＳＣＳを用いて受信することと、
前記第３ランダムアクセス応答メッセージに基づいて、前記第１スケジューリング伝送メッセージの送信に用いられるＳＣＳを用いて第２スケジューリング伝送メッセージを前記基地局に送信することと、
前記基地局から前記第２スケジューリング伝送メッセージに基づいて送信される第２衝突解決メッセージを、前記第１衝突解決メッセージの受信に応用されるＳＣＳを用いて受信して、アップリンク同期を完成させることと、
をさらに含む。
【０１３７】
ＲＲＣ接続が確立すると、ユーザ機器に用いられる１つまたは複数のＢＷＰをＲＲＣシグナリングによって設定することができる。ここで、各ＢＷＰのＳＣＳは、ＲＲＣシグナリングによって設定されてもよい。活性化状態のＢＷＰでは、ＲＲＣ接続確立プロセスとは異なるＳＣＳを使用すると、ユーザ機器のアップリンクタイミング同期が失った（すなわちアップリンク非同期）場合、接続状態でランダムアクセスプロセスにおけるユーザ機器の行為を指定する必要がある。ここで、１つまたは複数のＢＷＰの設定にかかわらず、ＰＲＡＣＨのＳＣＳは、異なる搬送波で同じであるように設定される。
【０１３８】
ユーザ機器のアップリンク同期が失うと、ユーザ機器は、ＢＷＰおよび／またはパラメータ（ｎｕｍｅｒｏｌｏｇｙ）に関する専用ＲＲＣ設定をすべて解放する。ネットワークにおいてランダムアクセスプロセスでユーザ機器が識別されると、ネットワークから、１つまたは複数のＢＷＰおよび／またはパラメータ（ｎｕｍｅｒｏｌｏｇｙ）をユーザ機器に再設定する。
【０１３９】
ここで、ユーザ機器の初期アクセスには、競合に基づいたランダムアクセスメカニズムが用いられる場合、当該ユーザ機器は、アップリンク非同期が発生すると、競合に基づいたランダムアクセスメカニズムまたは非競合に基づいたランダムアクセスメカニズムを用いて、ランダムアクセスを再度に行う。
【０１４０】
ユーザ機器のアップリンク非同期が発生し、競合に基づいたランダムアクセスメカニズムで再度にアクセスする場合、ネットワークから、どのユーザ機器がＰＲＡＣＨチャネルでＭｓｇ．１を送信したかの識別ができない。よって、ユーザ機器は、ＣＯＲＥＳＥＴで、ＰＤＣＣＨにスケジューリングされるＭｓｇ．２を監視する。ここで、当該ＣＯＲＥＳＥＴは、ＰＢＣＨに付帯されるＭＩＢによって設定される。また、このランダムアクセスプロセスにおいて、Ｍｓｇ．２の初期設定として、ＲＭＳＩ伝送のＳＣＳを使用するが、ＰＵＳＣＨで送信されるＭｓｇ．３は、初期アクセスプロセスとは同じＳＣＳを使用し、Ｍｓｇ．４も同様に初期アクセスプロセスとは同じＳＣＳを使用する。
【０１４１】
ユーザ機器のアップリンク非同期が発生し、非競合に基づいたランダムアクセスメカニズムで再度にアクセスする場合、ＢＷＰの設定値にかかわらず、接続状態でのユーザ機器は、少なくとも、ＣＯＲＥＳＥＴに関連する検索空間を設定して、ＰＲＡＣＨ伝送をスケジューリングするＰＤＣＣＨ命令を監視する。よって、ＰＤＣＣＨ命令および対応するＭｓｇ．２をスケジューリングするＰＤＣＣＨは、同じ検索空間で監視され、すなわちＭｓｇ．２とＭｓｇ．０とは同じＳＣＳを使用する。ここで、ＲＭＳＩで提供されるＲＡＣＨ設定パラメータに基づいて、Ｍｓｇ．０のうちのＰＤＣＣＨ命令は、Ｍｓｇ．１のＳＣＳなどを含んだＰＲＡＣＨ伝送パラメータを指示している。
【０１４２】
また、上記プロセスによって、アップリンク同期のＲＲＣ接続再確立が成功する（競合に基づいたランダムアクセスか否かにかかわらず）と、ネットワークにおいて、設定されているＢＷＰでは、ダウンリンク割り当て専用のスケジューリングを復帰させる。
【０１４３】
以上の記載をまとめると、本開示の一部実施例において、予め取り決める方式またはネットワークから設定する方式で、ランダムアクセスプロセスにおける各メッセージに対し、応用されるＳＣＳを特定することによって、５Ｇ  ＮＲの競合に基づいたランダムアクセスメカニズムでは、Ｍｓｇ．１〜Ｍｓｇ．４に異なるＳＣＳ設定を有し、ユーザ機器のアップリンク非同期が発生して再度にアクセスするプロセスにおいて、再度アクセスプロセスにおける各メッセージに対し、応用されるＳＣＳを特定することができる。よって、ランダムアクセスプロセスにおける各メッセージのＳＣＳが特定できないという従来技術の問題を解決し、５Ｇ  ＮＲのランダムアクセスメカニズムが正常に実行できることを保証する。
【０１４４】
図６に示すように、本開示の一部の実施例は、ユーザ機器に応用されるランダムアクセス方法を提供する。当該ランダムアクセス方法において、ステップ６１〜６３を含む。
【０１４５】
ステップ６１において、基地局からユーザ機器に対し、非競合ランダムアクセスメカニズムに基づいて初期アクセスを行うと指示した場合、前記基地局から送信される第２ランダムアクセスプリアンブル指示メッセージを、予め設定された第８ＳＣＳを用いて受信する。
【０１４６】
本開示の一部実施例は、基地局側で実行される競合に基づいたランダムアクセスプロセスである。ユーザ機器の初期アクセスが必要となると、基地局は、競合に基づいたランダムアクセスを行うか、それとも、非競合に基づいたランダムアクセスを行うかをユーザ機器に指示する。ここで、基地局からユーザ機器に対し、競合に基づいたランダムアクセスを行うと指示した場合、ランダムアクセスプリアンブルメッセージ（すなわちＭｓｇ．１）に用いられるプリアンブルは、予め定義されたプリアンブル集合からユーザ機器によってランダムに選択される。一方、基地局からユーザ機器に対し、非競合に基づいたランダムアクセスを行うと指示した場合、ランダムアクセスプリアンブルメッセージ（すなわちＭｓｇ．１）に用いられるプリアンブルは、基地局からユーザ機器に送信されるランダムアクセスプリアンブル指示メッセージ（すなわちＭｓｇ．０）で指示されるプリアンブルである。
【０１４７】
選択可能に、第８ＳＣＳは、ＰＢＣＨの伝送に用いられるＳＣＳとは同じである。
【０１４８】
ステップ６２において、前記第２ランダムアクセスプリアンブル指示メッセージに基づいて、予め設定された第９ＳＣＳを用いて、第４ランダムアクセスプリアンブルメッセージを前記基地局に送信する。
【０１４９】
ここで、予め設定された第９ＳＣＳは、ＲＭＳＩによって統一的に設定される。
【０１５０】
ステップ６３において、前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させる。
【０１５１】
選択可能に、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【０１５２】
選択可能に、非競合に基づくランダムアクセスが非切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【０１５３】
すなわち、基地局からユーザ機器に対し、非競合ランダムアクセスメカニズムに基づいて初期アクセスを行うと指示した場合、今回のランダムアクセスが非切り替えプロセスに用いられる場合、基地局からランダムアクセス応答メッセージ（すなわちＭｓｇ．２）の送信に用いられるＳＣＳの特定方式は、以下の２種類がある。
種類１：Ｍｓｇ．２に用いられるＳＣＳは、ソースセルからのＭｓｇ．０のＳＣＳとは同じである。
種類２：Ｍｓｇ．２に用いられるＳＣＳは、Ｍｓｇ．０のうちのＲＡＣＨ設定パラメータで設定される。
【０１５４】
ここで、上記の２種類の方式について、さらに、非競合のランダムアクセスプロセスが非切り替えプロセスに用いられる場合、基地局は、Ｍｓｇ．２のＳＣＳとして、ソースセルからのＭｓｇ．０のＳＣＳとは同じであると初期設定する。よって、シグナリングを送信してユーザ機器に通知する必要がなく、シグナリングオーバヘッドを節約する。基地局は、Ｍｓｇ．２のＳＣＳの変更が必要であると判断すると、Ｍｓｇ．０のうちのＲＡＣＨ設定パラメータでＭｓｇ．２のＳＣＳを再設定することができ、Ｍｓｇ．２のＳＣＳを柔軟に設定することができる。
【０１５５】
選択可能に、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【０１５６】
さらに、切り替えプロセスにおける前記参照信号が同期信号ブロック参照信号である場合、前記予め取り決められた第１０ＳＣＳは、前記同期信号ブロック参照信号のＳＣＳであり、
切り替えプロセスにおける前記参照信号がチャネル状態情報参照信号である場合、前記予め取り決められた第１０ＳＣＳは、前記チャネル状態情報参照信号のＳＣＳである。
【０１５７】
選択可能に、非競合に基づくランダムアクセスがセル切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【０１５８】
すなわち、基地局からユーザ機器に対し、非競合ランダムアクセスメカニズムに基づいて初期アクセスを行うと指示した場合、今回のランダムアクセスが切り替えプロセスに用いられる場合、基地局からランダムアクセス応答メッセージ（すなわちＭｓｇ．２）の送信に用いられるＳＣＳの特定方式は、以下の３種類がある。
種類１：Ｍｓｇ．２に用いられるＳＣＳは、ソースセルからのＭｓｇ．０のＳＣＳとは同じである。
種類２：切り替えプロセスが同期信号ブロック参照信号受信電力（ＳＳ−ＲＳＲＰ）の測定によってトリガーされると、Ｍｓｇ．２のＳＣＳは、ターゲットセルの同期信号ブロック参照信号（ＳＳ）を測定するＳＣＳとは同じである。切り替えプロセスがチャネル状態情報参照信号受信電力（ＣＳＩ−ＲＳＲＰ）の測定によってトリガーされると、Ｍｓｇ．２のＳＣＳは、ターゲットセルのチャネル状態情報参照信号（ＣＳＩ−ＲＳ）を測定するＳＣＳとは同じである。
種類３：Ｍｓｇ．２に用いられるＳＣＳは、Ｍｓｇ．０のうちのＲＡＣＨ設定パラメータで設定される。
【０１５９】
ここで、上記の３種類の方式について、さらに、非競合のランダムアクセスプロセスが非切り替えプロセスに用いられる場合、基地局は、Ｍｓｇ．２のＳＣＳとして、ターゲットセルで切り替えプロセスをトリガーする参照信号とは同じＳＣＳを使用すると初期設定し、シグナリングオーバヘッドを節約する。Ｍｓｇ．０のうちのＲＡＣＨ設定パラメータで再設定する以外、Ｍｓｇ．２のＳＣＳを柔軟に設定することができる。
【０１６０】
初期設定の場合について、切り替えプロセスが同期信号ブロック参照信号受信電力（ＳＳ−ＲＳＲＰ）の測定によってトリガーされると、Ｍｓｇ．２のＳＣＳは、ターゲットセルの同期信号ブロック参照信号（ＳＳ）を測定するＳＣＳとは同じである。切り替えプロセスがチャネル状態情報参照信号受信電力（ＣＳＩ−ＲＳＲＰ）の測定によってトリガーされると、Ｍｓｇ．２のＳＣＳは、ターゲットセルのチャネル状態情報参照信号（ＣＳＩ−ＲＳ）を測定するＳＣＳとは同じである。
【０１６１】
選択可能に、上記ステップ６１〜６３を経て初期アクセスプロセスが完成すると、前記方法では、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第３ランダムアクセスプリアンブル指示メッセージを、予め設定された第８ＳＣＳを用いて受信することと、
前記第３ランダムアクセスプリアンブル指示メッセージに基づいて、予め設定された第９ＳＣＳを用いて第５ランダムアクセスプリアンブルメッセージを前記基地局に送信することと、
前記基地局から前記第５ランダムアクセスプリアンブルメッセージに基づいて送信される第５ランダムアクセス応答メッセージを、前記第３ランダムアクセスプリアンブル指示メッセージの受信に応用されるＳＣＳを用いて受信して、アップリンク同期を完成させることと、
をさらに含む。
【０１６２】
ＲＲＣ接続が確立すると、ユーザ機器に用いられる１つまたは複数のＢＷＰをＲＲＣシグナリングによって設定することができる。ここで、各ＢＷＰのＳＣＳは、ＲＲＣシグナリングによって設定されてもよい。活性化状態のＢＷＰでは、ＲＲＣ接続確立プロセスとは異なるＳＣＳを使用すると、ユーザ機器のアップリンクタイミング同期が失った（すなわちアップリンク非同期）場合、接続状態でランダムアクセスプロセスにおけるユーザ機器の行為を指定する必要がある。ここで、１つまたは複数のＢＷＰの設定にかかわらず、ＰＲＡＣＨのＳＣＳは、異なる搬送波で同じであるように設定される。
【０１６３】
ユーザ機器のアップリンク同期が失うと、ユーザ機器は、ＢＷＰおよび／またはパラメータ（ｎｕｍｅｒｏｌｏｇｙ）に関する専用ＲＲＣ設定をすべて解放する。ネットワークにおいてランダムアクセスプロセスでユーザ機器が識別されると、ネットワークから、１つまたは複数のＢＷＰおよび／またはパラメータ（ｎｕｍｅｒｏｌｏｇｙ）をユーザ機器に再設定する。
【０１６４】
ここで、ユーザ機器の初期アクセスには、非競合に基づいたランダムアクセスメカニズムが用いられる場合、当該ユーザ機器は、アップリンク非同期が発生すると、非競合に基づいたランダムアクセスメカニズムを用いて、ランダムアクセスを再度に行う必要がある。
【０１６５】
ユーザ機器のアップリンク非同期が発生し、非競合に基づいたランダムアクセスメカニズムで再度にアクセスする場合、ＢＷＰの設定値にかかわらず、接続状態でのユーザ機器は、少なくとも、ＣＯＲＥＳＥＴに関連する検索空間を設定して、ＰＲＡＣＨ伝送をスケジューリングするＰＤＣＣＨ命令を監視する。よって、ＰＤＣＣＨ命令および対応するＭｓｇ．２をスケジューリングするＰＤＣＣＨは、同じ検索空間で監視され、すなわちＭｓｇ．２とＭｓｇ．０とは同じＳＣＳを使用する。ここで、ＲＭＳＩで提供されるＲＡＣＨ設定パラメータに基づいて、Ｍｓｇ．０のうちのＰＤＣＣＨ命令は、Ｍｓｇ．１のＳＣＳなどを含んだＰＲＡＣＨ伝送パラメータを指示している。
【０１６６】
また、上記プロセスによって、アップリンク同期のＲＲＣ接続再確立が成功すると、ネットワークにおいて、設定されているＢＷＰでは、ダウンリンク割り当て専用のスケジューリングを復帰させる。
【０１６７】
以上の記載をまとめると、本開示の一部実施例において、予め取り決める方式またはネットワークから設定する方式で、ランダムアクセスプロセスにおける各メッセージに対し、応用されるＳＣＳを特定することによって、５Ｇ  ＮＲの非競合に基づいたランダムアクセスメカニズムでは、Ｍｓｇ．０〜Ｍｓｇ．２に異なるＳＣＳ設定を有し、ユーザ機器のアップリンク非同期が発生して再度にアクセスするプロセスにおいて、再度アクセスプロセスにおける各メッセージに対し、応用されるＳＣＳを特定することができる。よって、ランダムアクセスプロセスにおける各メッセージのＳＣＳが特定できないという従来技術の問題を解決し、５Ｇ  ＮＲのランダムアクセスメカニズムが正常に実行できることを保証する。
【０１６８】
なお、上記実施例１〜実施例４には、競合に基づいた初期ランダムアクセスプロセスと、その後にユーザ機器のアップリンク非同期になる場合の非競合に基づいたランダムアクセスプロセスとユーザ機器のアップリンク非同期になる場合の競合に基づいたランダムアクセスプロセス、および、非競合に基づいたランダムアクセスプロセスと、その後にユーザ機器のアップリンク非同期になる場合の非競合に基づいたランダムアクセスプロセスを含む。上記の異なるプロセスで現れる各メッセージを区別するために、同一種類のメッセージに対し、それぞれ異なる名称が用いられている。
【０１６９】
すなわち、上記記載に現れる「第１ランダムアクセスプリアンブルメッセージ」、「第２ランダムアクセスプリアンブルメッセージ」、「第３ランダムアクセスプリアンブルメッセージ」、「第４ランダムアクセスプリアンブルメッセージ」、「第５ランダムアクセスプリアンブルメッセージ」は、いずれもＭｓｇ．１を指す。
上記記載に現れる「第１ランダムアクセス応答メッセージ」、「第２ランダムアクセス応答メッセージ」、「第３ランダムアクセス応答メッセージ」、「第４ランダムアクセス応答メッセージ」、「第５ランダムアクセス応答メッセージ」は、いずれもＭｓｇ．２を指す。
上記記載に現れる「第１スケジューリング伝送メッセージ」、「第２スケジューリング伝送メッセージ」は、いずれもＭｓｇ．３を指す。
上記記載に現れる「第１衝突解決メッセージ」、「第２衝突解決メッセージ」は、いずれもＭｓｇ．４を指す。
上記記載に現れる「第１ランダムアクセスプリアンブル指示メッセージ」、「第２ランダムアクセスプリアンブル指示メッセージ」、「第３ランダムアクセスプリアンブル指示メッセージ」は、いずれもＭｓｇ．０を指す。
【０１７０】
本開示の一部の実施例は、基地局を提供する。図７に示すように、当該基地局７００は、
基地局からユーザ機器に対し、競合ランダムアクセスメカニズムに基づいて初期アクセスを行うと指示した場合、前記ユーザ機器から送信される第１ランダムアクセスプリアンブルメッセージを、予め設定された第１ＳＣＳを用いて受信するための第１メッセージ受信モジュール７０１と、
前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信するための第１メッセージ送信モジュール７０２と、
前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信するための第２メッセージ受信モジュール７０３と、
前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させるための第２メッセージ送信モジュール７０４と、
を含む。
【０１７１】
選択可能に、前記予め取り決められた第２ＳＣＳは、ＰＢＣＨの伝送に用いられるＳＣＳであり、または、ＲＭＳＩの伝送に用いられるＳＣＳである。
【０１７２】
選択可能に、前記ネットワークから設定された第３ＳＣＳは、ＲＭＳＩのうちのＲＡＣＨ設定パラメータに付帯される。
【０１７３】
選択可能に、前記予め取り決められた第４ＳＣＳは、ＰＢＣＨの伝送に用いられるＳＣＳであり、または、ＲＭＳＩの伝送に用いられるＳＣＳである。
【０１７４】
選択可能に、前記ネットワークから設定された第５ＳＣＳは、ＲＭＳＩのうちのＲＡＣＨ設定パラメータに付帯され、または、前記第１ランダムアクセス応答メッセージに付帯される。
【０１７５】
選択可能に、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【０１７６】
選択可能に、前記ネットワークから設定された第７ＳＣＳは、ＲＭＳＩのうちのＲＡＣＨ設定パラメータに付帯される。
【０１７７】
選択可能に、初期アクセスプロセスが完成した後に、前記基地局は、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第１ランダムアクセスプリアンブル指示メッセージを前記ユーザ機器に送信するための第３メッセージ送信モジュールと、
前記ユーザ機器から前記第１ランダムアクセスプリアンブル指示メッセージに基づいて送信される第２ランダムアクセスプリアンブルメッセージを、予め設定された第９ＳＣＳを用いて受信するための第３メッセージ受信モジュールと、
前記第２ランダムアクセスプリアンブルメッセージに基づいて、前記第１ランダムアクセスプリアンブル指示メッセージの送信に応用されるＳＣＳを用いて、第２ランダムアクセス応答メッセージを前記ユーザ機器に送信して、アップリンク同期を完成させるための第４メッセージ送信モジュールと、
をさらに含む。
【０１７８】
選択可能に、ランダム初期アクセスプロセスが完成した後に、前記基地局は、
前記ユーザ機器がアップリンク非同期になり、かつ基地局から前記ユーザ機器に対し、競合ランダムアクセスメカニズムに基づいてランダムアクセスを行うと指示した場合、前記ユーザ機器から送信される第３ランダムアクセスプリアンブルメッセージを、予め設定された第１ＳＣＳを用いて受信するための第４メッセージ受信モジュールと、
前記第３ランダムアクセスプリアンブルメッセージに基づいて、ＲＭＳＩの伝送に応用されるＳＣＳを用いて、第３ランダムアクセス応答メッセージを前記ユーザ機器に送信するための第５メッセージ送信モジュールと、
前記ユーザ機器から前記第３ランダムアクセス応答メッセージに基づいて送信される第２スケジューリング伝送メッセージを、前記第１スケジューリング伝送メッセージの受信に応用されるＳＣＳを用いて受信するための第５メッセージ受信モジュールと、
前記第２スケジューリング伝送メッセージに基づいて、前記第１衝突解決メッセージの送信に応用されるＳＣＳを用いて、第２衝突解決メッセージを前記ユーザ機器に送信して、アップリンク同期を完成させるため第６メッセージ送信モジュールと、
をさらに含む。
【０１７９】
以上の記載によれば、本開示の一部実施例において、予め取り決める方式またはネットワークから設定する方式で、ランダムアクセスプロセスにおける各メッセージに対し、応用されるＳＣＳを特定することによって、５Ｇ  ＮＲの競合に基づいたランダムアクセスメカニズムでは、Ｍｓｇ．１〜Ｍｓｇ．４に異なるＳＣＳ設定を有する。よって、ランダムアクセスプロセスにおける各メッセージのＳＣＳが特定できないという従来技術の問題を解決し、５Ｇ  ＮＲのランダムアクセスメカニズムが正常に実行できることを保証する。
【０１８０】
本開示の一部の実施例は、基地局をさらに提供する。図８に示すように、当該基地局８００は、
基地局からユーザ機器に対し、非競合ランダムアクセスメカニズムに基づいて初期アクセスを行うと指示した場合、予め設定された第８ＳＣＳを用いて、第２ランダムアクセスプリアンブル指示メッセージを前記ユーザ機器に送信するための第７メッセージ送信モジュール８０１と、
前記ユーザ機器から前記第２ランダムアクセスプリアンブル指示メッセージに基づいて送信される第４ランダムアクセスプリアンブルメッセージを、予め設定された第９ＳＣＳを用いて受信するための第６メッセージ受信モジュール８０２と、
前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させるための第８メッセージ送信モジュール８０３と、
を含む。
【０１８１】
選択可能に、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【０１８２】
選択可能に、非競合に基づくランダムアクセスが非切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【０１８３】
選択可能に、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【０１８４】
選択可能に、切り替えプロセスにおける前記参照信号が同期信号ブロック参照信号である場合、前記予め取り決められた第１０ＳＣＳは、前記同期信号ブロック参照信号のＳＣＳであり、切り替えプロセスにおける前記参照信号がチャネル状態情報参照信号である場合、前記予め取り決められた第１０ＳＣＳは、前記チャネル状態情報参照信号のＳＣＳである。
【０１８５】
選択可能に、非競合に基づくランダムアクセスがセル切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【０１８６】
選択可能に、初期アクセスプロセスが完成した後に、前記基地局は、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第３ランダムアクセスプリアンブル指示メッセージを前記ユーザ機器に送信するための第９メッセージ送信モジュールと、
前記ユーザ機器から前記第３ランダムアクセスプリアンブル指示メッセージに基づいて送信される第５ランダムアクセスプリアンブルメッセージを、予め設定された第９ＳＣＳを用いて受信するための第７メッセージ受信モジュールと、
前記第５ランダムアクセスプリアンブルメッセージに基づいて、前記第３ランダムアクセスプリアンブル指示メッセージの送信に応用されるＳＣＳを用いて、第５ランダムアクセス応答メッセージを前記ユーザ機器に送信して、アップリンク同期を完成させるための第１０メッセージ送信モジュールと、
をさらに含む。
【０１８７】
以上の記載によれば、本開示の一部実施例において、予め取り決める方式またはネットワークから設定する方式で、ランダムアクセスプロセスにおける各メッセージに対し、応用されるＳＣＳを特定することによって、５Ｇ  ＮＲの非競合に基づいたランダムアクセスメカニズムでは、Ｍｓｇ．０〜Ｍｓｇ．２に異なるＳＣＳ設定を有する。よって、ランダムアクセスプロセスにおける各メッセージのＳＣＳが特定できないという従来技術の問題を解決し、５Ｇ  ＮＲのランダムアクセスメカニズムが正常に実行できることを保証する。
【０１８８】
本開示の一部の実施例は、ユーザ機器をさらに提供する。図９に示すように、当該ユーザ機器９００は、
基地局からユーザ機器に対し、競合ランダムアクセスメカニズムに基づいて初期アクセスを行うと指示した場合、予め設定された第１ＳＣＳを用いて、第１ランダムアクセスプリアンブルメッセージを前記基地局に送信するための第１１メッセージ送信モジュール９０１と、
前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信するための第８メッセージ受信モジュール９０２と、
前記第１ランダムアクセス応答メッセージに基づいて、予め取り決められた第４ＳＣＳまたはネットワークから設定された第５ＳＣＳを用いて、第１スケジューリング伝送メッセージを前記基地局に送信するための第１２メッセージ送信モジュール９０３と、
前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させるための第９メッセージ受信モジュール９０４と、
を含む。
【０１８９】
選択可能に、前記予め取り決められた第２ＳＣＳは、ＰＢＣＨの伝送に用いられるＳＣＳであり、または、ＲＭＳＩの伝送に用いられるＳＣＳである。
【０１９０】
選択可能に、前記ネットワークから設定された第３ＳＣＳは、ＲＭＳＩのうちのＲＡＣＨ設定パラメータに付帯される。
【０１９１】
選択可能に、前記予め取り決められた第４ＳＣＳは、ＰＢＣＨの伝送に用いられるＳＣＳであり、または、ＲＭＳＩの伝送に用いられるＳＣＳである。
【０１９２】
選択可能に、前記ネットワークから設定された第５ＳＣＳは、ＲＭＳＩのうちのＲＡＣＨ設定パラメータに付帯され、または、前記第１ランダムアクセス応答メッセージに付帯される。
【０１９３】
選択可能に、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【０１９４】
選択可能に、前記ネットワークから設定された第７ＳＣＳは、ＲＭＳＩのうちのＲＡＣＨ設定パラメータに付帯される。
【０１９５】
選択可能に、初期アクセスプロセスが完成した後に、前記ユーザ機器は、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第１ランダムアクセスプリアンブル指示メッセージを、予め設定された第８ＳＣＳを用いて受信するための第１０メッセージ受信モジュールと、
前記第１ランダムアクセスプリアンブル指示メッセージに基づいて、予め設定された第９ＳＣＳを用いて第２ランダムアクセスプリアンブルメッセージを前記基地局に送信するための第１３メッセージ送信モジュールと、
前記基地局から前記第２ランダムアクセスプリアンブルメッセージに基づいて送信される第２ランダムアクセス応答メッセージを、前記第１ランダムアクセスプリアンブル指示メッセージの受信に応用されるＳＣＳを用いて受信して、アップリンク同期を完成させるための第１１メッセージ受信モジュールと、
をさらに含む。
【０１９６】
選択可能に、ランダム初期アクセスプロセスが完成した後に、前記ユーザ機器は、
前記ユーザ機器がアップリンク非同期になり、かつ基地局から前記ユーザ機器に対し、競合ランダムアクセスメカニズムに基づいてランダムアクセスを行うと指示した場合、予め設定された第１ＳＣＳを用いて第３ランダムアクセスプリアンブルメッセージを前記基地局に送信するための第１４メッセージ送信モジュールと、
前記基地局から前記第３ランダムアクセスプリアンブルメッセージに基づいて送信される第３ランダムアクセス応答メッセージを、ＲＭＳＩの伝送に応用されるＳＣＳを用いて受信するための第１２メッセージ受信モジュールと、
前記第３ランダムアクセス応答メッセージに基づいて、前記第１スケジューリング伝送メッセージの送信に用いられるＳＣＳを用いて第２スケジューリング伝送メッセージを前記基地局に送信するための第１５メッセージ送信モジュールと、
前記基地局から前記第２スケジューリング伝送メッセージに基づいて送信される第２衝突解決メッセージを、前記第１衝突解決メッセージの受信に応用されるＳＣＳを用いて受信して、アップリンク同期を完成させるための第１３メッセージ受信モジュールと、
をさらに含む。
【０１９７】
以上の記載によれば、本開示の一部実施例において、予め取り決める方式またはネットワークから設定する方式で、ランダムアクセスプロセスにおける各メッセージに対し、応用されるＳＣＳを特定することによって、５Ｇ  ＮＲの競合に基づいたランダムアクセスメカニズムでは、Ｍｓｇ．１〜Ｍｓｇ．４に異なるＳＣＳ設定を有する。よって、ランダムアクセスプロセスにおける各メッセージのＳＣＳが特定できないという従来技術の問題を解決し、５Ｇ  ＮＲのランダムアクセスメカニズムが正常に実行できることを保証する。
【０１９８】
本開示の一部の実施例は、ユーザ機器をさらに提供する。図１０に示すように、当該ユーザ機器１０００は、
基地局からユーザ機器に対し、非競合ランダムアクセスメカニズムに基づいて初期アクセスを行うと指示した場合、前記基地局から送信される第２ランダムアクセスプリアンブル指示メッセージを、予め設定された第８ＳＣＳを用いて受信するための第１４メッセージ受信モジュール１００１と、
前記第２ランダムアクセスプリアンブル指示メッセージに基づいて、予め設定された第９ＳＣＳを用いて、第４ランダムアクセスプリアンブルメッセージを前記基地局に送信するための第１６メッセージ送信モジュール１００２と、
前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させるための第１５メッセージ受信モジュール１００３と、
を含む。
【０１９９】
選択可能に、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【０２００】
選択可能に、非競合に基づくランダムアクセスが非切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【０２０１】
選択可能に、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【０２０２】
選択可能に、切り替えプロセスにおける前記参照信号が同期信号ブロック参照信号である場合、前記予め取り決められた第１０ＳＣＳは、前記同期信号ブロック参照信号のＳＣＳであり、切り替えプロセスにおける前記参照信号がチャネル状態情報参照信号である場合、前記予め取り決められた第１０ＳＣＳは、前記チャネル状態情報参照信号のＳＣＳである。
【０２０３】
選択可能に、非競合に基づくランダムアクセスがセル切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【０２０４】
選択可能に、初期アクセスプロセスが完成した後に、前記ユーザ機器は、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第３ランダムアクセスプリアンブル指示メッセージを、予め設定された第８ＳＣＳを用いて受信するための第１６メッセージ受信モジュールと、
前記第３ランダムアクセスプリアンブル指示メッセージに基づいて、予め設定された第９ＳＣＳを用いて第５ランダムアクセスプリアンブルメッセージを前記基地局に送信するための第１７メッセージ送信モジュールと、
前記基地局から前記第５ランダムアクセスプリアンブルメッセージに基づいて送信される第５ランダムアクセス応答メッセージを、前記第３ランダムアクセスプリアンブル指示メッセージの受信に応用されるＳＣＳを用いて受信して、アップリンク同期を完成させるための第１７メッセージ受信モジュールと、
をさらに含む。
【０２０５】
本開示の一部実施例において、予め取り決める方式またはネットワークから設定する方式で、ランダムアクセスプロセスにおける各メッセージに対し、応用されるＳＣＳを特定することによって、５Ｇ  ＮＲの非競合に基づいたランダムアクセスメカニズムでは、Ｍｓｇ．０〜Ｍｓｇ．２に異なるＳＣＳ設定を有する。よって、ランダムアクセスプロセスにおける各メッセージのＳＣＳが特定できないという従来技術の問題を解決し、５Ｇ  ＮＲのランダムアクセスメカニズムが正常に実行できることを保証する。
【０２０６】
図１１に示すように、本開示の一部の実施例は、第１メモリ１１２０と、第１プロセッサ１１００と、前記第１メモリ１１２０に記憶されて前記第１プロセッサで実行可能なコンピュータプログラムを含む基地局を提供する。
第１プロセッサ１１００は、第１メモリ１１２０からプログラムを読み取って、下記のように第１トランシーバ１１１０を制御する。基地局からユーザ機器に対し、競合ランダムアクセスメカニズムに基づいて初期アクセスを行うと指示した場合、まず、前記ユーザ機器から送信される第１ランダムアクセスプリアンブルメッセージを、予め設定された第１ＳＣＳを用いて受信する。次に、前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信する。さらに、前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信する。最後に、前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させる。
【０２０７】
ここで、図１１において、バスアーキテクチャは、任意数の相互接続するバスとブリッジを含み、具体的に、第１プロセッサ１１００をはじめとする１つ又は複数のプロセッサと第１メモリ１１２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。第１トランシーバ１１１０は、複数の部品であってもよく、即ち送信機と受信機を含み、伝送媒体でほかの各種類の装置と通信するユニットとして提供される。第１プロセッサ１１００は、バスアーキテクチャと通常の処理を管理する。第１メモリ１１２０は、第１プロセッサ１１００による操作実行に使用されるデータを記憶できる。
【０２０８】
ここで、前記予め取り決められた第２ＳＣＳは、ＰＢＣＨの伝送に用いられるＳＣＳであり、または、ＲＭＳＩの伝送に用いられるＳＣＳである。
【０２０９】
ここで、前記ネットワークから設定された第３ＳＣＳは、ＲＭＳＩのうちのＲＡＣＨ設定パラメータに付帯される。
【０２１０】
ここで、前記予め取り決められた第４ＳＣＳは、ＰＢＣＨの伝送に用いられるＳＣＳであり、または、ＲＭＳＩの伝送に用いられるＳＣＳである。
【０２１１】
ここで、前記ネットワークから設定された第５ＳＣＳは、ＲＭＳＩのうちのＲＡＣＨ設定パラメータに付帯され、または、前記第１ランダムアクセス応答メッセージに付帯される。
【０２１２】
ここで、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【０２１３】
ここで、前記ネットワークから設定された第７ＳＣＳは、ＲＭＳＩのうちのＲＡＣＨ設定パラメータに付帯される。
【０２１４】
ここで、初期アクセスプロセスが完成した後に、第１トランシーバ１１１０は、さらに、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第１ランダムアクセスプリアンブル指示メッセージを前記ユーザ機器に送信することと、
前記ユーザ機器から前記第１ランダムアクセスプリアンブル指示メッセージに基づいて送信される第２ランダムアクセスプリアンブルメッセージを、予め設定された第９ＳＣＳを用いて受信することと、
前記第２ランダムアクセスプリアンブルメッセージに基づいて、前記第１ランダムアクセスプリアンブル指示メッセージの送信に応用されるＳＣＳを用いて、第２ランダムアクセス応答メッセージを前記ユーザ機器に送信して、アップリンク同期を完成させることと、
に用いられる。
【０２１５】
ここで、ランダム初期アクセスプロセスが完成した後に、第１トランシーバ１１１０は、さらに、
前記ユーザ機器がアップリンク非同期になり、かつ基地局から前記ユーザ機器に対し、競合ランダムアクセスメカニズムに基づいてランダムアクセスを行うと指示した場合、前記ユーザ機器から送信される第３ランダムアクセスプリアンブルメッセージを、予め設定された第１ＳＣＳを用いて受信することと、
前記第３ランダムアクセスプリアンブルメッセージに基づいて、ＲＭＳＩの伝送に応用されるＳＣＳを用いて、第３ランダムアクセス応答メッセージを前記ユーザ機器に送信することと、
前記ユーザ機器から前記第３ランダムアクセス応答メッセージに基づいて送信される第２スケジューリング伝送メッセージを、前記第１スケジューリング伝送メッセージの受信に応用されるＳＣＳを用いて受信することと、
前記第２スケジューリング伝送メッセージに基づいて、前記第１衝突解決メッセージの送信に応用されるＳＣＳを用いて、第２衝突解決メッセージを前記ユーザ機器に送信して、アップリンク同期を完成させることと、
に用いられる。
【０２１６】
また、本開示の一部実施例の別の方面において、第１プロセッサ１１００は、さらに、第１メモリ１１２０からプログラムを読み取って、下記のように第１トランシーバ１１１０を制御する。基地局からユーザ機器に対し、非競合ランダムアクセスメカニズムに基づいて初期アクセスを行うと指示した場合、まず、予め設定された第８ＳＣＳを用いて、第２ランダムアクセスプリアンブル指示メッセージを前記ユーザ機器に送信する。次に、前記ユーザ機器から前記第２ランダムアクセスプリアンブル指示メッセージに基づいて送信される第４ランダムアクセスプリアンブルメッセージを、予め設定された第９ＳＣＳを用いて受信する。最後に、前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させる。
【０２１７】
ここで、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【０２１８】
ここで、非競合に基づくランダムアクセスが非切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【０２１９】
ここで、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【０２２０】
ここで、切り替えプロセスにおける前記参照信号が同期信号ブロック参照信号である場合、前記予め取り決められた第１０ＳＣＳは、前記同期信号ブロック参照信号のＳＣＳであり、切り替えプロセスにおける前記参照信号がチャネル状態情報参照信号である場合、前記予め取り決められた第１０ＳＣＳは、前記チャネル状態情報参照信号のＳＣＳである。
【０２２１】
ここで、非競合に基づくランダムアクセスがセル切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【０２２２】
ここで、初期アクセスプロセスが完成した後に、第１トランシーバ１１１０は、さらに、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第３ランダムアクセスプリアンブル指示メッセージを前記ユーザ機器に送信することと、
前記ユーザ機器から前記第３ランダムアクセスプリアンブル指示メッセージに基づいて送信される第５ランダムアクセスプリアンブルメッセージを、予め設定された第９ＳＣＳを用いて受信することと、
前記第５ランダムアクセスプリアンブルメッセージに基づいて、前記第３ランダムアクセスプリアンブル指示メッセージの送信に応用されるＳＣＳを用いて、第５ランダムアクセス応答メッセージを前記ユーザ機器に送信して、アップリンク同期を完成させることと、
に用いられる。
【０２２３】
上記の目的をさらに実現するために、図１２に示すように、本開示は、第２プロセッサ１２１０と、バスインタフェース１２２０を介して前記第２プロセッサ１２１０に接続され、前記第２プロセッサ１２１０の操作実行に用いられるプログラムとデータを記憶するための第２メモリ１２３０と、バスインタフェース１２２０を介して前記第２プロセッサ１２１０に接続され、第２プロセッサ１２１０による制御でデータを送受信するための第２トランシーバ１２４０とを含むユーザ機器をさらに提供する。
【０２２４】
ここで、本開示の一部実施例の一方面において、第２トランシーバ１２４０は、基地局からユーザ機器に対し、競合ランダムアクセスメカニズムに基づいて初期アクセスを行うと指示した場合、まず、予め設定された第１ＳＣＳを用いて、第１ランダムアクセスプリアンブルメッセージを前記基地局に送信する。次に、前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信する。さらに、前記第１ランダムアクセス応答メッセージに基づいて、予め取り決められた第４ＳＣＳまたはネットワークから設定された第５ＳＣＳを用いて、第１スケジューリング伝送メッセージを前記基地局に送信する。最後に、前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させる。
【０２２５】
ここで、前記予め取り決められた第２ＳＣＳは、ＰＢＣＨの伝送に用いられるＳＣＳであり、または、ＲＭＳＩの伝送に用いられるＳＣＳである。
【０２２６】
ここで、前記ネットワークから設定された第３ＳＣＳは、ＲＭＳＩのうちのＲＡＣＨ設定パラメータに付帯される。
【０２２７】
ここで、前記予め取り決められた第４ＳＣＳは、ＰＢＣＨの伝送に用いられるＳＣＳであり、または、ＲＭＳＩの伝送に用いられるＳＣＳである。
【０２２８】
ここで、前記ネットワークから設定された第５ＳＣＳは、ＲＭＳＩのうちのＲＡＣＨ設定パラメータに付帯され、または、前記第１ランダムアクセス応答メッセージに付帯される。
【０２２９】
ここで、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【０２３０】
ここで、前記ネットワークから設定された第７ＳＣＳは、ＲＭＳＩのうちのＲＡＣＨ設定パラメータに付帯される。
【０２３１】
ここで、初期アクセスプロセスが完成した後に、第２トランシーバ１２４０は、さらに、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第１ランダムアクセスプリアンブル指示メッセージを、予め設定された第８ＳＣＳを用いて受信することと、
前記第１ランダムアクセスプリアンブル指示メッセージに基づいて、予め設定された第９ＳＣＳを用いて第２ランダムアクセスプリアンブルメッセージを前記基地局に送信することと、
前記基地局から前記第２ランダムアクセスプリアンブルメッセージに基づいて送信される第２ランダムアクセス応答メッセージを、前記第１ランダムアクセスプリアンブル指示メッセージの受信に応用されるＳＣＳを用いて受信して、アップリンク同期を完成させることと、に用いられる。
【０２３２】
ここで、ランダム初期アクセスプロセスが完成した後に、第２トランシーバ１２４０は、さらに、
前記ユーザ機器がアップリンク非同期になり、かつ基地局から前記ユーザ機器に対し、競合ランダムアクセスメカニズムに基づいてランダムアクセスを行うと指示した場合、予め設定された第１ＳＣＳを用いて第３ランダムアクセスプリアンブルメッセージを前記基地局に送信することと、
前記基地局から前記第３ランダムアクセスプリアンブルメッセージに基づいて送信される第３ランダムアクセス応答メッセージを、ＲＭＳＩの伝送に応用されるＳＣＳを用いて受信することと、
前記第３ランダムアクセス応答メッセージに基づいて、前記第１スケジューリング伝送メッセージの送信に用いられるＳＣＳを用いて第２スケジューリング伝送メッセージを前記基地局に送信することと、
前記基地局から前記第２スケジューリング伝送メッセージに基づいて送信される第２衝突解決メッセージを、前記第１衝突解決メッセージの受信に応用されるＳＣＳを用いて受信して、アップリンク同期を完成させることと、
に用いられる。
【０２３３】
本開示の一部実施例の別の方面において、第２トランシーバ１２４０は、さらに、基地局からユーザ機器に対し、非競合ランダムアクセスメカニズムに基づいて初期アクセスを行うと指示した場合、まず、前記基地局から送信される第２ランダムアクセスプリアンブル指示メッセージを、予め設定された第８ＳＣＳを用いて受信する。次に、前記第２ランダムアクセスプリアンブル指示メッセージに基づいて、予め設定された第９ＳＣＳを用いて、第４ランダムアクセスプリアンブルメッセージを前記基地局に送信する。最後に、前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させる。
【０２３４】
ここで、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【０２３５】
ここで、非競合に基づくランダムアクセスが非切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【０２３６】
ここで、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【０２３７】
ここで、切り替えプロセスにおける前記参照信号が同期信号ブロック参照信号である場合、前記予め取り決められた第１０ＳＣＳは、前記同期信号ブロック参照信号のＳＣＳであり、切り替えプロセスにおける前記参照信号がチャネル状態情報参照信号である場合、前記予め取り決められた第１０ＳＣＳは、前記チャネル状態情報参照信号のＳＣＳである。
【０２３８】
ここで、非競合に基づくランダムアクセスがセル切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【０２３９】
ここで、初期アクセスプロセスが完成した後に、第２トランシーバ１２４０は、さらに、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第３ランダムアクセスプリアンブル指示メッセージを、予め設定された第８ＳＣＳを用いて受信することと、
前記第３ランダムアクセスプリアンブル指示メッセージに基づいて、予め設定された第９ＳＣＳを用いて第５ランダムアクセスプリアンブルメッセージを前記基地局に送信することと、
前記基地局から前記第５ランダムアクセスプリアンブルメッセージに基づいて送信される第５ランダムアクセス応答メッセージを、前記第３ランダムアクセスプリアンブル指示メッセージの受信に応用されるＳＣＳを用いて受信して、アップリンク同期を完成させることと、
に用いられる。
【０２４０】
なお、図１２において、バスアーキテクチャは、任意数の相互接続するバスとブリッジを含み、具体的に、第２プロセッサ１２１０をはじめとする１つ又は複数のプロセッサと第２メモリ１２３０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。第２トランシーバ１２４０は、複数の部品であってもよく、即ち送信機と受信機を含み、伝送媒体でほかの各種類の装置と通信するユニットとして提供される。ユーザ端末によっては、ユーザインタフェース１２５０は、内部接続や外部接続する機器のインタフェースであってもよい。接続する機器は、キーパッド、ディスプレイ、スピーカ、マイクロフォン、ジョイスティックなどを含むが、それらに限られない。第２プロセッサ１２１０は、バスアーキテクチャと通常の処理を管理する。第２メモリ１２３０は、第２プロセッサ１２１０による操作実行に使用されるデータを記憶できる。
【０２４１】
上記実施例を実現するすべてまたは一部のステップは、ハードウェアによって実現されてもよく、コンピュータプログラムで関連ハードウェアに指示して行ってもよい。前記のコンピュータプログラムは、上記方法の一部またはすべてのステップを実行する指令を含む。かつ当該コンピュータプログラムは、読み取り可能な記憶媒体に格納される。記憶媒体は、揮発性の記憶媒体または非揮発性の記憶媒体など、あらゆる形態の記憶媒体である。
【０２４２】
なお、本開示の装置と方法において、明らかに、各部品または各ステップは、分解および／または再度の組み合わせが可能である。これらの分解および／または再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、または、互いに独立に実行されてもよい。当業者にとって、本開示の方法および装置のすべてまたは任意のステップや部品は、任意の計算装置（プロセッサ、記憶媒体などを含む）や計算装置のネットワークでハードウェア、ファームウェア、ソフトウェアまたはそれらの組み合わせによって実現されうることが理解できる。これは、当業者が本開示の説明を閲読して基本的なプログラミング技能を活用して実現できることである。
【０２４３】
したがって、本開示の目的は、任意の計算装置で１つまたは一連のプログラムを実行することによっても実現されうる。前記計算装置は、周知されている汎用装置である。したがって、本開示の目的は、前記方法または装置を実現するプログラムコードを含むプログラムプロダクトの提供のみでも実現されうる。すなわち、このようなプログラムプロダクトも本開示を構成し、しかもこのようなプログラムプロダクトを記憶した記憶媒体も本開示を構成する。明らかに、前記記憶媒体は、任意の周知される記憶媒体または将来開発されうる任意の記憶媒体である。なお、本開示の装置と方法において、各部品または各ステップは、分解および／または再度の組み合わせが可能である。これらの分解および／または再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、または、互いに独立に実行されてもよい。
【０２４４】
本開示の一部実施例は、コンピュータプログラムが記憶されているコンピュータ読み取り可能な記憶媒体をさらに提供する。
当該プログラムがプロセッサによって実行されると、
基地局からユーザ機器に対し、競合ランダムアクセスメカニズムに基づいて初期アクセスを行うと指示した場合、前記ユーザ機器から送信される第１ランダムアクセスプリアンブルメッセージを、予め設定された第１ＳＣＳを用いて受信するステップと、
前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信するステップと、
前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信するステップと、
前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させるステップと、
を実現する。
【０２４５】
ここで、前記予め取り決められた第２ＳＣＳは、ＰＢＣＨの伝送に用いられるＳＣＳであり、または、ＲＭＳＩの伝送に用いられるＳＣＳである。
【０２４６】
ここで、前記ネットワークから設定された第３ＳＣＳは、ＲＭＳＩのうちのＲＡＣＨ設定パラメータに付帯される。
【０２４７】
ここで、前記予め取り決められた第４ＳＣＳは、ＰＢＣＨの伝送に用いられるＳＣＳであり、または、ＲＭＳＩの伝送に用いられるＳＣＳである。
【０２４８】
ここで、前記ネットワークから設定された第５ＳＣＳは、ＲＭＳＩのうちのＲＡＣＨ設定パラメータに付帯され、または、前記第１ランダムアクセス応答メッセージに付帯される。
【０２４９】
ここで、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【０２５０】
ここで、前記ネットワークから設定された第７ＳＣＳは、ＲＭＳＩのうちのＲＡＣＨ設定パラメータに付帯される。
【０２５１】
ここで、初期アクセスプロセスが完成した後に、上記ステップは、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第１ランダムアクセスプリアンブル指示メッセージを前記ユーザ機器に送信することと、
前記ユーザ機器から前記第１ランダムアクセスプリアンブル指示メッセージに基づいて送信される第２ランダムアクセスプリアンブルメッセージを、予め設定された第９ＳＣＳを用いて受信することと、
前記第２ランダムアクセスプリアンブルメッセージに基づいて、前記第１ランダムアクセスプリアンブル指示メッセージの送信に応用されるＳＣＳを用いて、第２ランダムアクセス応答メッセージを前記ユーザ機器に送信して、アップリンク同期を完成させることと、
をさらに含む。
【０２５２】
ここで、ランダム初期アクセスプロセスが完成した後に、上記ステップは、
前記ユーザ機器がアップリンク非同期になり、かつ基地局から前記ユーザ機器に対し、競合ランダムアクセスメカニズムに基づいてランダムアクセスを行うと指示した場合、前記ユーザ機器から送信される第３ランダムアクセスプリアンブルメッセージを、予め設定された第１ＳＣＳを用いて受信することと、
前記第３ランダムアクセスプリアンブルメッセージに基づいて、ＲＭＳＩの伝送に応用されるＳＣＳを用いて、第３ランダムアクセス応答メッセージを前記ユーザ機器に送信することと、
前記ユーザ機器から前記第３ランダムアクセス応答メッセージに基づいて送信される第２スケジューリング伝送メッセージを、前記第１スケジューリング伝送メッセージの受信に応用されるＳＣＳを用いて受信することと、
前記第２スケジューリング伝送メッセージに基づいて、前記第１衝突解決メッセージの送信に応用されるＳＣＳを用いて、第２衝突解決メッセージを前記ユーザ機器に送信して、アップリンク同期を完成させることと、
をさらに含む。
【０２５３】
本開示の一部実施例は、コンピュータプログラムが記憶されているコンピュータ読み取り可能な記憶媒体をさらに提供する。
当該プログラムがプロセッサによって実行されると、
基地局からユーザ機器に対し、非競合ランダムアクセスメカニズムに基づいて初期アクセスを行うと指示した場合、予め設定された第８ＳＣＳを用いて、第２ランダムアクセスプリアンブル指示メッセージを前記ユーザ機器に送信するステップと、
前記ユーザ機器から前記第２ランダムアクセスプリアンブル指示メッセージに基づいて送信される第４ランダムアクセスプリアンブルメッセージを、予め設定された第９ＳＣＳを用いて受信するステップと、
前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させるステップと、
を実現する。
【０２５４】
ここで、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【０２５５】
ここで、非競合に基づくランダムアクセスが非切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【０２５６】
ここで、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【０２５７】
ここで、切り替えプロセスにおける前記参照信号が同期信号ブロック参照信号である場合、前記予め取り決められた第１０ＳＣＳは、前記同期信号ブロック参照信号のＳＣＳであり、切り替えプロセスにおける前記参照信号がチャネル状態情報参照信号である場合、前記予め取り決められた第１０ＳＣＳは、前記チャネル状態情報参照信号のＳＣＳである。
【０２５８】
ここで、非競合に基づくランダムアクセスがセル切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【０２５９】
ここで、初期アクセスプロセスが完成した後に、上記ステップは、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第３ランダムアクセスプリアンブル指示メッセージを前記ユーザ機器に送信することと、
前記ユーザ機器から前記第３ランダムアクセスプリアンブル指示メッセージに基づいて送信される第５ランダムアクセスプリアンブルメッセージを、予め設定された第９ＳＣＳを用いて受信することと、
前記第５ランダムアクセスプリアンブルメッセージに基づいて、前記第３ランダムアクセスプリアンブル指示メッセージの送信に応用されるＳＣＳを用いて、第５ランダムアクセス応答メッセージを前記ユーザ機器に送信して、アップリンク同期を完成させることと、
をさらに含む。
【０２６０】
本開示の一部の実施例は、コンピュータプログラムが記憶されているコンピュータ読み取り可能な記憶媒体をさらに提供する。
当該プログラムがプロセッサによって実行されると、
基地局からユーザ機器に対し、競合ランダムアクセスメカニズムに基づいて初期アクセスを行うと指示した場合、予め設定された第１ＳＣＳを用いて、第１ランダムアクセスプリアンブルメッセージを前記基地局に送信するステップと、
前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信するステップと、
前記第１ランダムアクセス応答メッセージに基づいて、予め取り決められた第４ＳＣＳまたはネットワークから設定された第５ＳＣＳを用いて、第１スケジューリング伝送メッセージを前記基地局に送信するステップと、
前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させるステップと、
を実現する。
【０２６１】
ここで、前記予め取り決められた第２ＳＣＳは、ＰＢＣＨの伝送に用いられるＳＣＳであり、または、ＲＭＳＩの伝送に用いられるＳＣＳである。
【０２６２】
ここで、前記ネットワークから設定された第３ＳＣＳは、ＲＭＳＩのうちのＲＡＣＨ設定パラメータに付帯される。
【０２６３】
ここで、前記予め取り決められた第４ＳＣＳは、ＰＢＣＨの伝送に用いられるＳＣＳであり、または、ＲＭＳＩの伝送に用いられるＳＣＳである。
【０２６４】
ここで、前記ネットワークから設定された第５ＳＣＳは、ＲＭＳＩのうちのＲＡＣＨ設定パラメータに付帯され、または、前記第１ランダムアクセス応答メッセージに付帯される。
【０２６５】
ここで、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【０２６６】
ここで、前記ネットワークから設定された第７ＳＣＳは、ＲＭＳＩのうちのＲＡＣＨ設定パラメータに付帯される。
【０２６７】
ここで、初期アクセスプロセスが完成した後に、上記ステップは、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第１ランダムアクセスプリアンブル指示メッセージを、予め設定された第８ＳＣＳを用いて受信することと、
前記第１ランダムアクセスプリアンブル指示メッセージに基づいて、予め設定された第９ＳＣＳを用いて第２ランダムアクセスプリアンブルメッセージを前記基地局に送信することと、
前記基地局から前記第２ランダムアクセスプリアンブルメッセージに基づいて送信される第２ランダムアクセス応答メッセージを、前記第１ランダムアクセスプリアンブル指示メッセージの受信に応用されるＳＣＳを用いて受信して、アップリンク同期を完成させることと、
をさらに含む。
【０２６８】
ここで、ランダム初期アクセスプロセスが完成した後に、上記ステップは、
前記ユーザ機器がアップリンク非同期になり、かつ基地局から前記ユーザ機器に対し、競合ランダムアクセスメカニズムに基づいてランダムアクセスを行うと指示した場合、予め設定された第１ＳＣＳを用いて第３ランダムアクセスプリアンブルメッセージを前記基地局に送信することと、
前記基地局から前記第３ランダムアクセスプリアンブルメッセージに基づいて送信される第３ランダムアクセス応答メッセージを、ＲＭＳＩの伝送に応用されるＳＣＳを用いて受信することと、
前記第３ランダムアクセス応答メッセージに基づいて、前記第１スケジューリング伝送メッセージの送信に用いられるＳＣＳを用いて第２スケジューリング伝送メッセージを前記基地局に送信することと、
前記基地局から前記第２スケジューリング伝送メッセージに基づいて送信される第２衝突解決メッセージを、前記第１衝突解決メッセージの受信に応用されるＳＣＳを用いて受信して、アップリンク同期を完成させることと、
をさらに含む。
【０２６９】
本開示の一部の実施例は、コンピュータプログラムが記憶されているコンピュータ読み取り可能な記憶媒体をさらに提供する。
当該プログラムがプロセッサによって実行されると、
基地局からユーザ機器に対し、非競合ランダムアクセスメカニズムに基づいて初期アクセスを行うと指示した場合、前記基地局から送信される第２ランダムアクセスプリアンブル指示メッセージを、予め設定された第８ＳＣＳを用いて受信するステップと、
前記第２ランダムアクセスプリアンブル指示メッセージに基づいて、予め設定された第９ＳＣＳを用いて、第４ランダムアクセスプリアンブルメッセージを前記基地局に送信するステップと、
前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させるステップと、
を実現する。
【０２７０】
ここで、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【０２７１】
ここで、非競合に基づくランダムアクセスが非切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【０２７２】
ここで、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【０２７３】
ここで、切り替えプロセスにおける前記参照信号が同期信号ブロック参照信号である場合、前記予め取り決められた第１０ＳＣＳは、前記同期信号ブロック参照信号のＳＣＳであり、切り替えプロセスにおける前記参照信号がチャネル状態情報参照信号である場合、前記予め取り決められた第１０ＳＣＳは、前記チャネル状態情報参照信号のＳＣＳである。
【０２７４】
ここで、非競合に基づくランダムアクセスがセル切り替えプロセスに用いられる場合、前記ネットワークから設定された第１１ＳＣＳは、前記第２ランダムアクセスプリアンブル指示メッセージのうちのＲＡＣＨ設定パラメータに付帯される。
【０２７５】
ここで、初期アクセスプロセスが完成した後に、上記ステップは、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第３ランダムアクセスプリアンブル指示メッセージを、予め設定された第８ＳＣＳを用いて受信することと、
前記第３ランダムアクセスプリアンブル指示メッセージに基づいて、予め設定された第９ＳＣＳを用いて第５ランダムアクセスプリアンブルメッセージを前記基地局に送信することと、
前記基地局から前記第５ランダムアクセスプリアンブルメッセージに基づいて送信される第５ランダムアクセス応答メッセージを、前記第３ランダムアクセスプリアンブル指示メッセージの受信に応用されるＳＣＳを用いて受信して、アップリンク同期を完成させることと、
をさらに含む。
【０２７６】
以上記載されたのは、本開示の選択可能な実施形態である。なお、当業者は、本開示に記載されている原理を逸脱せずに様々な改良や修飾をすることもできる。これらの改良や修飾も、本開示の保護範囲内にある。
【図１】
2020530737.tif 000003
【図２】
2020530737.tif 000004
【図３】
2020530737.tif 000005
【図４】
2020530737.tif 000006
【図５】
2020530737.tif 000007
【図６】
2020530737.tif 000008
【図７】
2020530737.tif 000009
【図８】
2020530737.tif 000010
【図９】
2020530737.tif 000011
【図１０】
2020530737.tif 000012
【図１１】
2020530737.tif 000013
【図１２】
2020530737.tif 000014
【手続補正書】
【提出日】令和2年4月17日(2020.4.17)
【手続補正１】
【補正対象書類名】明細書
【補正対象項目名】全文
【補正方法】変更
【補正の内容】
【発明の詳細な説明】
【技術分野】
【０００１】
本願は、２０１７年８月１１日に中国特許庁に提出された中国特許出願２０１７１０６８７３１３．２の優先権を主張し、その全ての内容が援用によりここに取り込まれる。
本開示は、通信技術分野に係り、特にランダムアクセス方法、基地局およびユーザ機器に係る。
【背景技術】
【０００２】
ＬＴＥ（登録商標）（Ｌｏｎｇ  Ｔｅｒｍ  Ｅｖｏｌｕｔｉｏｎ）プロトコルでは、４ステップのランダムアクセスメカニズムが用いられる。一方、５Ｇ  ＮＲ（Ｎｅｗ  Ｒａｄｉｏ）では、競合に基づいた４ステップのランダムアクセスメカニズムおよび非競合に基づいた３ステップのランダムアクセスメカニズムがサポートされる。ここで、５Ｇ  ＮＲではアップリンク／ダウンリンクのマルチビーム操作が導入され、ＳＣＳ（Ｓｕｂ  Ｃａｒｒｉｅｒ  Ｓｐａｃｉｎｇ）などの異なるパラメータがサポートされるため、５Ｇ  ＮＲシステムにおけるランダムアクセスメッセージのＳＣＳ設定方法を考慮する必要がある。
【０００３】
具体的に、５Ｇ  ＮＲでサポートされる競合に基づいた４ステップのランダムアクセスメカニズムは、図１に示されている。図１において、Ｍｓｇ．１は、ＰＲＡＣＨ（Ｐｈｙｓｉｃａｌ  Ｒａｎｄｏｍ  Ａｃｃｅｓｓ  Ｃｈａｎｎｅｌ）で伝送され、Ｍｓｇ．２とＭｓｇ．４は、ＰＤＳＣＨ（Ｐｈｙｓｉｃａｌ  Ｄｏｗｎｌｉｎｋ  Ｓｈａｒｅｄ  Ｃｈａｎｎｅｌ）で伝送され、Ｍｓｇ．３は、ＰＵＳＣＨ（Ｐｈｙｓｉｃａｌ  Ｕｐｌｉｎｋ  Ｓｈａｒｅｄ  Ｃｈａｎｎｅｌ）で伝送される。
【０００４】
ユーザ機器ＵＥ（Ｕｓｅｒ  Ｅｑｕｉｐｍｅｎｔ）は、ダウンリンクセル検索プロセスによって、まず１つのセルを選択する場合、ＲＭＳＩ（Ｒｅｍａｉｎｉｎｇ  Ｓｙｓｔｅｍ  Ｉｎｆｏｒｍａｔｉｏｎ）のうちのＰＲＡＣＨ設定を受信することになり、その中から、Ｍｓｇ．１に対応するＰＲＡＣＨのＳＣＳと時間周波数リソースなどのパラメータを読み取る。ＲＭＳＩが付帯されるＰＤＳＣＨおよび対応するＰＤＣＣＨ（Ｐｈｙｓｉｃａｌ  Ｄｏｗｎｌｉｎｋ  Ｃｏｎｔｒｏｌ  Ｃｈａｎｎｅｌ）は、同じＳＣＳで送信される。
【０００５】
５Ｇ  ＮＲでサポートされる非競合に基づいた３ステップのランダムアクセスメカニズムは、図２に示されている。関連する４ステップのランダムアクセスメカニズムとの相違点がＭｓｇ．０にあり、ランダムアクセスＭｓｇ．１に用いられるプリアンブルを、予め取り決められたプリアンブル集合からＵＥによってランダムに選択するのではなく、直接的に指示する。
【０００６】
よって、５Ｇ通信システムにおいて、ランダムアクセスプロセスにおける各メッセージのＳＣＳ設定方法を考慮する必要がある。しかし、現在の５Ｇ標準では、Ｍｓｇ．１のＳＣＳがＲＭＳＩによって統一的に設定されることのみが与えられ、ランダムアクセスプロセスにおけるほかのメッセージのＳＣＳについて効果的な解決策がない。
【発明の概要】
【発明が解決しようとする課題】
【０００７】
本開示の一部の実施例は、ランダムアクセス方法、基地局およびユーザ機器を提供し、予め取り決める方式またはネットワークから設定する方式で、ランダムアクセスプロセスにおける各メッセージに対し、応用されるＳＣＳを特定することによって、ランダムアクセスプロセスにおける各メッセージのＳＣＳが特定できないという従来技術の問題を解決する。
【課題を解決するための手段】
【０００８】
第１方面において、本開示の一部の実施例は、基地局に応用されるランダムアクセス方法を提供する。
当該方法において、
基地局からユーザ機器に対し、競合ランダムアクセスメカニズムに基づいて初期アクセスを行うと指示した場合、前記ユーザ機器から送信される第１ランダムアクセスプリアンブルメッセージを、予め設定された第１ＳＣＳを用いて受信することと、
前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信することと、
前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信することと、
前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させることと、
を含む。
【０００９】
ここで、上記手段において、前記予め取り決められた第２ＳＣＳは、ＰＢＣＨの伝送に用いられるＳＣＳであり、または、ＲＭＳＩの伝送に用いられるＳＣＳである。
【００１０】
ここで、上記手段において、前記ネットワークから設定された第３ＳＣＳは、ＲＭＳＩのうちのＰＲＡＣＨ設定パラメータに付帯される。
【００１１】
ここで、上記手段において、前記予め取り決められた第４ＳＣＳは、ＰＢＣＨの伝送に用いられるＳＣＳであり、または、ＲＭＳＩの伝送に用いられるＳＣＳである。
【００１２】
ここで、上記手段において、前記ネットワークから設定された第５ＳＣＳは、ＲＭＳＩのうちのＰＲＡＣＨ設定パラメータに付帯され、または、前記第１ランダムアクセス応答メッセージに付帯される。
【００１３】
ここで、上記手段において、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【００１４】
ここで、上記手段において、前記ネットワークから設定された第７ＳＣＳは、ＲＭＳＩのうちのＰＲＡＣＨ設定パラメータに付帯される。
【００１５】
ここで、上記手段において、初期アクセスプロセスが完成した後に、前記方法では、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第１ランダムアクセスプリアンブル指示メッセージを前記ユーザ機器に送信することと、
前記ユーザ機器から前記第１ランダムアクセスプリアンブル指示メッセージに基づいて送信される第２ランダムアクセスプリアンブルメッセージを、予め設定された第９ＳＣＳを用いて受信することと、
前記第２ランダムアクセスプリアンブルメッセージに基づいて、前記第１ランダムアクセスプリアンブル指示メッセージの送信に応用されるＳＣＳを用いて、第２ランダムアクセス応答メッセージを前記ユーザ機器に送信して、アップリンク同期を完成させることと、
をさらに含む。
【００１６】
ここで、上記手段において、ランダム初期アクセスプロセスが完成した後に、前記方法では、
前記ユーザ機器がアップリンク非同期になり、かつ基地局から前記ユーザ機器に対し、競合ランダムアクセスメカニズムに基づいてランダムアクセスを行うと指示した場合、前記ユーザ機器から送信される第３ランダムアクセスプリアンブルメッセージを、予め設定された第１ＳＣＳを用いて受信することと、
前記第３ランダムアクセスプリアンブルメッセージに基づいて、ＲＭＳＩの伝送に応用されるＳＣＳを用いて、第３ランダムアクセス応答メッセージを前記ユーザ機器に送信することと、
前記ユーザ機器から前記第３ランダムアクセス応答メッセージに基づいて送信される第２スケジューリング伝送メッセージを、前記第１スケジューリング伝送メッセージの受信に応用されるＳＣＳを用いて受信することと、
前記第２スケジューリング伝送メッセージに基づいて、前記第１衝突解決メッセージの送信に応用されるＳＣＳを用いて、第２衝突解決メッセージを前記ユーザ機器に送信して、アップリンク同期を完成させることと、
をさらに含む。
【００１７】
第２方面において、本開示の一部の実施例は、基地局に応用されるランダムアクセス方法をさらに提供する。
当該方法において、
基地局からユーザ機器に対し、非競合ランダムアクセスメカニズムに基づいて初期アクセスを行うと指示した場合、予め設定された第８ＳＣＳを用いて、第２ランダムアクセスプリアンブル指示メッセージを前記ユーザ機器に送信することと、
前記ユーザ機器から前記第２ランダムアクセスプリアンブル指示メッセージに基づいて送信される第４ランダムアクセスプリアンブルメッセージを、予め設定された第９ＳＣＳを用いて受信することと、
前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させることと、
を含む。
【００１８】
ここで、上記手段において、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【００１９】
ここで、上記手段において、非競合に基づくランダムアクセスが非切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【００２０】
ここで、上記手段において、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【００２１】
ここで、上記手段において、切り替えプロセスにおける前記参照信号が同期信号ブロック参照信号である場合、前記予め取り決められた第１０ＳＣＳは、前記同期信号ブロック参照信号のＳＣＳであり、切り替えプロセスにおける前記参照信号がチャネル状態情報参照信号である場合、前記予め取り決められた第１０ＳＣＳは、前記チャネル状態情報参照信号のＳＣＳである。
【００２２】
ここで、上記手段において、非競合に基づくランダムアクセスがセル切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【００２３】
ここで、上記手段において、初期アクセスプロセスが完成した後に、前記方法では、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第３ランダムアクセスプリアンブル指示メッセージを前記ユーザ機器に送信することと、
前記ユーザ機器から前記第３ランダムアクセスプリアンブル指示メッセージに基づいて送信される第５ランダムアクセスプリアンブルメッセージを、予め設定された第９ＳＣＳを用いて受信することと、
前記第５ランダムアクセスプリアンブルメッセージに基づいて、前記第３ランダムアクセスプリアンブル指示メッセージの送信に応用されるＳＣＳを用いて、第５ランダムアクセス応答メッセージを前記ユーザ機器に送信して、アップリンク同期を完成させることとをさらに含む。
【００２４】
第３方面において、本開示の一部の実施例は、ユーザ機器に応用されるランダムアクセス方法をさらに提供する。
当該方法において、
基地局からユーザ機器に対し、競合ランダムアクセスメカニズムに基づいて初期アクセスを行うと指示した場合、予め設定された第１ＳＣＳを用いて、第１ランダムアクセスプリアンブルメッセージを前記基地局に送信することと、
前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信することと、
前記第１ランダムアクセス応答メッセージに基づいて、予め取り決められた第４ＳＣＳまたはネットワークから設定された第５ＳＣＳを用いて、第１スケジューリング伝送メッセージを前記基地局に送信することと、
前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させることと、
を含む。
【００２５】
ここで、上記手段において、前記予め取り決められた第２ＳＣＳは、ＰＢＣＨの伝送に用いられるＳＣＳであり、または、ＲＭＳＩの伝送に用いられるＳＣＳである。
【００２６】
ここで、上記手段において、前記ネットワークから設定された第３ＳＣＳは、ＲＭＳＩのうちのＰＲＡＣＨ設定パラメータに付帯される。
【００２７】
ここで、上記手段において、前記予め取り決められた第４ＳＣＳは、ＰＢＣＨの伝送に用いられるＳＣＳであり、または、ＲＭＳＩの伝送に用いられるＳＣＳである。
【００２８】
ここで、上記手段において、前記ネットワークから設定された第５ＳＣＳは、ＲＭＳＩのうちのＰＲＡＣＨ設定パラメータに付帯され、または、前記第１ランダムアクセス応答メッセージに付帯される。
【００２９】
ここで、上記手段において、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【００３０】
ここで、上記手段において、前記ネットワークから設定された第７ＳＣＳは、ＲＭＳＩのうちのＰＲＡＣＨ設定パラメータに付帯される。
【００３１】
ここで、上記手段において、初期アクセスプロセスが完成した後に、前記方法では、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第１ランダムアクセスプリアンブル指示メッセージを、予め設定された第８ＳＣＳを用いて受信することと、
前記第１ランダムアクセスプリアンブル指示メッセージに基づいて、予め設定された第９ＳＣＳを用いて第２ランダムアクセスプリアンブルメッセージを前記基地局に送信することと、
前記基地局から前記第２ランダムアクセスプリアンブルメッセージに基づいて送信される第２ランダムアクセス応答メッセージを、前記第１ランダムアクセスプリアンブル指示メッセージの受信に応用されるＳＣＳを用いて受信して、アップリンク同期を完成させることと、
をさらに含む。
【００３２】
ここで、上記手段において、ランダム初期アクセスプロセスが完成した後に、前記方法では、
前記ユーザ機器がアップリンク非同期になり、かつ基地局から前記ユーザ機器に対し、競合ランダムアクセスメカニズムに基づいてランダムアクセスを行うと指示した場合、予め設定された第１ＳＣＳを用いて第３ランダムアクセスプリアンブルメッセージを前記基地局に送信することと、
前記基地局から前記第３ランダムアクセスプリアンブルメッセージに基づいて送信される第３ランダムアクセス応答メッセージを、ＲＭＳＩの伝送に応用されるＳＣＳを用いて受信することと、
前記第３ランダムアクセス応答メッセージに基づいて、前記第１スケジューリング伝送メッセージの送信に用いられるＳＣＳを用いて第２スケジューリング伝送メッセージを前記基地局に送信することと、
前記基地局から前記第２スケジューリング伝送メッセージに基づいて送信される第２衝突解決メッセージを、前記第１衝突解決メッセージの受信に応用されるＳＣＳを用いて受信して、アップリンク同期を完成させることと、
をさらに含む。
【００３３】
第４方面において、本開示の一部の実施例は、ユーザ機器に応用されるランダムアクセス方法をさらに提供する。
当該方法において、
基地局からユーザ機器に対し、非競合ランダムアクセスメカニズムに基づいて初期アクセスを行うと指示した場合、前記基地局から送信される第２ランダムアクセスプリアンブル指示メッセージを、予め設定された第８ＳＣＳを用いて受信することと、
前記第２ランダムアクセスプリアンブル指示メッセージに基づいて、予め設定された第９ＳＣＳを用いて、第４ランダムアクセスプリアンブルメッセージを前記基地局に送信することと、
前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させることと、
を含む。
【００３４】
ここで、上記手段において、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【００３５】
ここで、上記手段において、非競合に基づくランダムアクセスが非切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【００３６】
ここで、上記手段において、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【００３７】
ここで、上記手段において、切り替えプロセスにおける前記参照信号が同期信号ブロック参照信号である場合、前記予め取り決められた第１０ＳＣＳは、前記同期信号ブロック参照信号のＳＣＳであり、切り替えプロセスにおける前記参照信号がチャネル状態情報参照信号である場合、前記予め取り決められた第１０ＳＣＳは、前記チャネル状態情報参照信号のＳＣＳである。
【００３８】
ここで、上記手段において、非競合に基づくランダムアクセスがセル切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【００３９】
ここで、上記手段において、初期アクセスプロセスが完成した後に、前記方法では、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第３ランダムアクセスプリアンブル指示メッセージを、予め設定された第８ＳＣＳを用いて受信することと、
前記第３ランダムアクセスプリアンブル指示メッセージに基づいて、予め設定された第９ＳＣＳを用いて第５ランダムアクセスプリアンブルメッセージを前記基地局に送信することと、
前記基地局から前記第５ランダムアクセスプリアンブルメッセージに基づいて送信される第５ランダムアクセス応答メッセージを、前記第３ランダムアクセスプリアンブル指示メッセージの受信に応用されるＳＣＳを用いて受信して、アップリンク同期を完成させることと、
をさらに含む。
【００４０】
第５方面において、本開示の一部の実施例は、基地局をさらに提供する。
当該基地局は、
基地局からユーザ機器に対し、競合ランダムアクセスメカニズムに基づいて初期アクセスを行うと指示した場合、前記ユーザ機器から送信される第１ランダムアクセスプリアンブルメッセージを、予め設定された第１ＳＣＳを用いて受信するための第１メッセージ受信モジュールと、
前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信するための第１メッセージ送信モジュールと、
前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信するための第２メッセージ受信モジュールと、
前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させるための第２メッセージ送信モジュールと、
を含む。
【００４１】
第６方面において、本開示の一部の実施例は、基地局をさらに提供する。
当該基地局は、
基地局からユーザ機器に対し、非競合ランダムアクセスメカニズムに基づいて初期アクセスを行うと指示した場合、予め設定された第８ＳＣＳを用いて、第２ランダムアクセスプリアンブル指示メッセージを前記ユーザ機器に送信するための第７メッセージ送信モジュールと、
前記ユーザ機器から前記第２ランダムアクセスプリアンブル指示メッセージに基づいて送信される第４ランダムアクセスプリアンブルメッセージを、予め設定された第９ＳＣＳを用いて受信するための第６メッセージ受信モジュールと、
前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させるための第８メッセージ送信モジュールと、
を含む。
【００４２】
第７方面において、本開示の一部の実施例は、ユーザ機器をさらに提供する。
当該ユーザ機器は、
基地局からユーザ機器に対し、競合ランダムアクセスメカニズムに基づいて初期アクセスを行うと指示した場合、予め設定された第１ＳＣＳを用いて、第１ランダムアクセスプリアンブルメッセージを前記基地局に送信するための第１１メッセージ送信モジュールと、
前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信するための第８メッセージ受信モジュールと、
前記第１ランダムアクセス応答メッセージに基づいて、予め取り決められた第４ＳＣＳまたはネットワークから設定された第５ＳＣＳを用いて、第１スケジューリング伝送メッセージを前記基地局に送信するための第１２メッセージ送信モジュールと、
前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させるための第９メッセージ受信モジュールと、
を含む。
【００４３】
第８方面において、本開示の一部の実施例は、ユーザ機器をさらに提供する。
当該ユーザ機器は、
基地局からユーザ機器に対し、非競合ランダムアクセスメカニズムに基づいて初期アクセスを行うと指示した場合、前記基地局から送信される第２ランダムアクセスプリアンブル指示メッセージを、予め設定された第８ＳＣＳを用いて受信するための第１４メッセージ受信モジュールと、
前記第２ランダムアクセスプリアンブル指示メッセージに基づいて、予め設定された第９ＳＣＳを用いて、第４ランダムアクセスプリアンブルメッセージを前記基地局に送信するための第１６メッセージ送信モジュールと、
前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させるための第１５メッセージ受信モジュールと、
を含む。
【００４４】
第９方面において、本開示の一部の実施例は、第１メモリと、第１プロセッサと、前記第１メモリに記憶されて前記第１プロセッサで実行可能なコンピュータプログラムを含む基地局をさらに提供する。
前記第１プロセッサが前記プログラムを実行すると、
基地局からユーザ機器に対し、競合ランダムアクセスメカニズムに基づいて初期アクセスを行うと指示した場合、前記ユーザ機器から送信される第１ランダムアクセスプリアンブルメッセージを、予め設定された第１ＳＣＳを用いて受信するステップと、
前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信するステップと、
前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信するステップと、
前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させるステップと、
を実現する。
【００４５】
第１０方面において、本開示の一部の実施例は、第２メモリと、第２プロセッサと、前記第２メモリに記憶されて前記第２プロセッサで実行可能なコンピュータプログラムを含む基地局をさらに提供する。
前記第２プロセッサが前記プログラムを実行すると、
基地局からユーザ機器に対し、非競合ランダムアクセスメカニズムに基づいて初期アクセスを行うと指示した場合、予め設定された第８ＳＣＳを用いて、第２ランダムアクセスプリアンブル指示メッセージを前記ユーザ機器に送信するステップと、
前記ユーザ機器から前記第２ランダムアクセスプリアンブル指示メッセージに基づいて送信される第４ランダムアクセスプリアンブルメッセージを、予め設定された第９ＳＣＳを用いて受信するステップと、
前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させるステップと、
を実現する。
【００４６】
第１１方面において、本開示の一部の実施例は、第３メモリと、第３プロセッサと、前記第３メモリに記憶されて前記第３プロセッサで実行可能なコンピュータプログラムを含むユーザ機器をさらに提供する。
前記第３プロセッサが前記プログラムを実行すると、
基地局からユーザ機器に対し、競合ランダムアクセスメカニズムに基づいて初期アクセスを行うと指示した場合、予め設定された第１ＳＣＳを用いて、第１ランダムアクセスプリアンブルメッセージを前記基地局に送信するステップと、
前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信するステップと、
前記第１ランダムアクセス応答メッセージに基づいて、予め取り決められた第４ＳＣＳまたはネットワークから設定された第５ＳＣＳを用いて、第１スケジューリング伝送メッセージを前記基地局に送信するステップと、
前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させるステップと、
を実現する。
【００４７】
第１１方面において、本開示の一部の実施例は、第４メモリと、第４プロセッサと、前記第４メモリに記憶されて前記第４プロセッサで実行可能なコンピュータプログラムを含むユーザ機器をさらに提供する。
前記第４プロセッサが前記プログラムを実行すると、
基地局からユーザ機器に対し、非競合ランダムアクセスメカニズムに基づいて初期アクセスを行うと指示した場合、前記基地局から送信される第２ランダムアクセスプリアンブル指示メッセージを、予め設定された第８ＳＣＳを用いて受信するステップと、
前記第２ランダムアクセスプリアンブル指示メッセージに基づいて、予め設定された第９ＳＣＳを用いて、第４ランダムアクセスプリアンブルメッセージを前記基地局に送信するステップと、
前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させるステップと、
を実現する。
【００４８】
第１２方面において、本開示の一部の実施例は、コンピュータプログラムが記憶されているコンピュータ読み取り可能な記憶媒体をさらに提供する。
当該プログラムがプロセッサによって実行されると、
基地局からユーザ機器に対し、競合ランダムアクセスメカニズムに基づいて初期アクセスを行うと指示した場合、前記ユーザ機器から送信される第１ランダムアクセスプリアンブルメッセージを、予め設定された第１ＳＣＳを用いて受信するステップと、
前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信するステップと、
前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信するステップと、
前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させるステップと、
を実現する。
【００４９】
第１３方面において、本開示の一部の実施例は、コンピュータプログラムが記憶されているコンピュータ読み取り可能な記憶媒体をさらに提供する。
当該プログラムがプロセッサによって実行されると、
基地局からユーザ機器に対し、非競合ランダムアクセスメカニズムに基づいて初期アクセスを行うと指示した場合、予め設定された第８ＳＣＳを用いて、第２ランダムアクセスプリアンブル指示メッセージを前記ユーザ機器に送信するステップと、
前記ユーザ機器から前記第２ランダムアクセスプリアンブル指示メッセージに基づいて送信される第４ランダムアクセスプリアンブルメッセージを、予め設定された第９ＳＣＳを用いて受信するステップと、
前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させるステップと、
を実現する。
【００５０】
第１４方面において、本開示の一部の実施例は、コンピュータプログラムが記憶されているコンピュータ読み取り可能な記憶媒体をさらに提供する。
当該プログラムがプロセッサによって実行されると、
基地局からユーザ機器に対し、競合ランダムアクセスメカニズムに基づいて初期アクセスを行うと指示した場合、予め設定された第１ＳＣＳを用いて、第１ランダムアクセスプリアンブルメッセージを前記基地局に送信するステップと、
前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信するステップと、
前記第１ランダムアクセス応答メッセージに基づいて、予め取り決められた第４ＳＣＳまたはネットワークから設定された第５ＳＣＳを用いて、第１スケジューリング伝送メッセージを前記基地局に送信するステップと、
前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させるステップと、
を実現する。
【００５１】
第１５方面において、本開示の一部の実施例は、コンピュータプログラムが記憶されているコンピュータ読み取り可能な記憶媒体をさらに提供する。
当該プログラムがプロセッサによって実行されると、
基地局からユーザ機器に対し、非競合ランダムアクセスメカニズムに基づいて初期アクセスを行うと指示した場合、前記基地局から送信される第２ランダムアクセスプリアンブル指示メッセージを、予め設定された第８ＳＣＳを用いて受信するステップと、
前記第２ランダムアクセスプリアンブル指示メッセージに基づいて、予め設定された第９ＳＣＳを用いて、第４ランダムアクセスプリアンブルメッセージを前記基地局に送信するステップと、
前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させるステップと、
を実現する。
【発明の効果】
【００５２】
本開示の一部実施例において、予め取り決める方式またはネットワークから設定する方式で、ランダムアクセスプロセスにおける各メッセージに対し、応用されるＳＣＳを特定することによって、５Ｇ  ＮＲの競合に基づいたランダムアクセスメカニズムでは、Ｍｓｇ．１〜Ｍｓｇ．４に異なるＳＣＳ設定を有し、５Ｇ  ＮＲの非競合に基づいたランダムアクセスメカニズムでは、Ｍｓｇ．０〜Ｍｓｇ．２にも異なるＳＣＳ設定を有する。よって、ランダムアクセスプロセスにおける各メッセージのＳＣＳが特定できないという従来技術の問題を解決し、５Ｇ  ＮＲのランダムアクセスメカニズムが正常に実行できることを保証する。
【図面の簡単な説明】
【００５３】
【図１】従来技術で５Ｇ  ＮＲにサポートされる、競合に基づいた４ステップのランダムアクセスメカニズムのフローチャートである。
【図２】従来技術で５Ｇ  ＮＲにサポートされる、非競合に基づいた３ステップのランダムアクセスメカニズムのフローチャートである。
【図３】本開示の一部実施例における基地局側の競合に基づいたランダムアクセス方法のフローチャートである。
【図４】本開示の一部実施例における基地局側の非競合に基づいたランダムアクセス方法のフローチャートである。
【図５】本開示の一部実施例におけるユーザ機器側の競合に基づいたランダムアクセス方法のフローチャートである。
【図６】本開示の一部実施例におけるユーザ機器側の非競合に基づいたランダムアクセス方法のフローチャートである。
【図７】本開示の一部実施例における基地局のモジュール図その１である。
【図８】本開示の一部実施例における基地局のモジュール図その２である。
【図９】本開示の一部実施例におけるユーザ機器のモジュール図その１である。
【図１０】本開示の一部実施例におけるユーザ機器のモジュール図その２である。
【図１１】本開示の一部実施例における基地局の構造ブロック図である。
【図１２】本開示の一部実施例におけるユーザ機器の構造ブロック図である。
【発明を実施するための形態】
【００５４】
本開示の解決しようとする技術課題、技術手段及び利点をより明確にするために、以下、図面および具体的な実施例を通じて詳細に記載する。以下の記載において、単に本開示の一部の実施例を全面的に理解してもらうことに役立つ目的で、具体的な構成や構成部品の特定の細部を示す。よって、ここに記載されている実施例に対し、本開示の範囲や趣旨を逸脱することなく、様々な変更や修正を行うことができることは、当業者にとって自明である。また、明確化と簡潔化を図るために、周知されている機能や構造に関する記載を省略している。
【００５５】
なお、明細書の全文にわたって言及されている「１つの実施例」や「一実施例」とは、実施例に関連する特定の特徴、構造または特性が本開示の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【００５６】
本開示の各実施例において、下記各プロセスの番号の大きさは、実行順の前後を意味するのではなく、各プロセスの実行順は、その機能および内在的な論理によって確定されるものであり、本開示の実施例の実施プロセスに対しいっさい限定を構成しないと理解すべきである。
【００５７】
また、本文において、「システム」と「ネットワーク」は、常に互換して使用することができる。
【００５８】
本願に提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【００５９】
具体的に、本開示の一部実施例は、ランダムアクセス方法、基地局およびユーザ機器を提供し、予め取り決める方式またはネットワークから設定する方式で、ランダムアクセスプロセスにおける各メッセージに対し、応用されるＳＣＳを特定することによって、ランダムアクセスプロセスにおける各メッセージのＳＣＳが特定できないという従来技術の問題を解決する。
【００６０】
図３に示すように、本開示の一部の実施例は、基地局に応用されるランダムアクセス方法を提供する。当該ランダムアクセス方法は、具体的に、以下のステップ３１〜３４を含む。
【００６１】
ステップ３１において、基地局からユーザ機器に対し、競合ランダムアクセスメカニズムに基づいて初期アクセスを行うと指示した場合、前記ユーザ機器から送信される第１ランダムアクセスプリアンブルメッセージを、予め設定された第１ＳＣＳを用いて受信する。
【００６２】
本開示の一部実施例は、基地局側で実行される競合に基づいたランダムアクセスプロセスである。ユーザ機器の初期アクセスが必要となると、基地局は、競合に基づいたランダムアクセスを行うか、それとも、非競合に基づいたランダムアクセスを行うかをユーザ機器に指示する。ここで、基地局からユーザ機器に対し、競合に基づいたランダムアクセスを行うと指示した場合、ランダムアクセスプリアンブルメッセージ（すなわちＭｓｇ．１）に用いられるプリアンブルは、予め定義されたプリアンブル集合からユーザ機器によってランダムに選択される。一方、基地局からユーザ機器に対し、非競合に基づいたランダムアクセスを行うと指示した場合、ランダムアクセスプリアンブルメッセージ（すなわちＭｓｇ．１）に用いられるプリアンブルは、基地局からユーザ機器に送信されるランダムアクセスプリアンブル指示メッセージ（すなわちＭｓｇ．０）で指示されるプリアンブルである。
【００６３】
また、予め設定された第１ＳＣＳは、ＲＭＳＩによって統一的に設定される。
【００６４】
ステップ３２において、前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信する。
【００６５】
選択可能に、前記予め取り決められた第２ＳＣＳは、ＰＢＣＨ（Ｐｈｙｓｉｃａｌ  Ｂｒｏａｄｃａｓｔ  Ｃｈａｎｎｅｌ）の伝送に用いられるＳＣＳであり、または、ＲＭＳＩの伝送に用いられるＳＣＳである。
【００６６】
選択可能に、前記ネットワークから設定された第３ＳＣＳは、ＲＭＳＩのうちのＰＲＡＣＨ設定パラメータに付帯される。
【００６７】
すなわち、基地局からユーザ機器に対し、競合ランダムアクセスメカニズムに基づいて初期アクセスを行うと指示した場合、基地局からランダムアクセス応答メッセージ（すなわちＭｓｇ．２）の送信に用いられるＳＣＳの特定方式は、以下の３種類がある。
種類１：Ｍｓｇ．２に用いられるＳＣＳは、ＰＢＣＨの伝送に用いられるＳＣＳとは同じである。
種類２：Ｍｓｇ．２に用いられるＳＣＳは、ＲＭＳＩの伝送に用いられるＳＣＳとは同じである。
種類３：Ｍｓｇ．２に用いられるＳＣＳは、ＲＭＳＩのうちのＰＲＡＣＨ設定パラメータで設定される。
【００６８】
ここで、上記３種類の方式について、基地局が、ＲＭＳＩ、ページング（Ｐａｇｉｎｇ）およびＲＡＲ（Ｒａｎｄｏｍ  Ａｃｃｅｓｓ  Ｒｅｓｐｏｎｓｅ）を統合的に考慮し、ＰＤＣＣＨチャネルを検索するＣＯＲＥＳＥＴ（Ｃｏｎｔｒｏｌ−ｒｅｓｏｕｒｃｅ  ｓｅｔ）を設計する際に、Ｍｓｇ．２のＳＣＳ設定は、ＰＢＣＨのＳＣＳとは異なるが、ＲＭＳＩ伝送のＳＣＳとは同じである。また、Ｍｓｇ．２のＳＣＳ設定は、ネットワークの実際の状況に応じて、ＲＭＳＩのうちのＰＲＡＣＨ設定パラメータで再設定することができる。
【００６９】
また、Ｍｓｇ．２とＲＭＳＩがＰＤＳＣＨチャネルで搬送されるため、基地局は、ＲＭＳＩを伝送するＰＤＳＣＨとは同じであるＳＣＳを設定することができる。すなわち、選択可能に、基地局は、Ｍｓｇ．２のＳＣＳとして、ＲＭＳＩ伝送のＳＣＳとは同じであると初期設定する。よって、シグナリングを送信してユーザ機器に通知する必要がなく、シグナリングオーバヘッドを節約する。また、基地局は、Ｍｓｇ．２のＳＣＳの変更が必要であると判断すると、ＲＭＳＩのうちのＰＲＡＣＨ設定パラメータでＭｓｇ．２のＳＣＳを指示してＭｓｇ．２のＳＣＳを柔軟に設定することができ、または、ＰＢＣＨとは同じＳＣＳを使用するよう、ＲＲＣハイレイヤシグナリングまたはＲＭＳＩによってユーザ機器に通知する。
【００７０】
ステップ３３において、前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信する。
【００７１】
選択可能に、前記予め取り決められた第４ＳＣＳは、ＰＢＣＨの伝送に用いられるＳＣＳであり、または、ＲＭＳＩの伝送に用いられるＳＣＳである。
【００７２】
選択可能に、前記ネットワークから設定された第５ＳＣＳは、ＲＭＳＩのうちのＰＲＡＣＨ設定パラメータに付帯され、または、前記第１ランダムアクセス応答メッセージに付帯される。
【００７３】
すなわち、基地局からユーザ機器に対し、競合ランダムアクセスメカニズムに基づいて初期アクセスを行うと指示した場合、基地局からスケジューリング伝送メッセージ（すなわちＭｓｇ．３）の送信に用いられるＳＣＳの特定方式は、以下の４種類がある。
種類１：Ｍｓｇ．３に用いられるＳＣＳは、ＰＢＣＨの伝送に用いられるＳＣＳとは同じである。
種類２：Ｍｓｇ．３に用いられるＳＣＳは、ＲＭＳＩの伝送に用いられるＳＣＳとは同じである。
種類３：Ｍｓｇ．３に用いられるＳＣＳは、ＲＭＳＩのうちのＰＲＡＣＨ設定パラメータで設定される。
種類４：Ｍｓｇ．３に用いられるＳＣＳは、Ｍｓｇ．２に含まれるパラメータで指示される。
【００７４】
Ｍｓｇ．３の４種類の特定方式について、さらに、基地局は、Ｍｓｇ．３のＳＣＳとして、ＲＭＳＩ伝送のＳＣＳとは同じであると初期設定する。よって、シグナリングを送信してユーザ機器に通知する必要がなく、シグナリングオーバヘッドを節約する。また、ネットワークにおいて、実際の必要性に応じて、ＲＭＳＩのうちのＰＲＡＣＨ設定パラメータでＭｓｇ．３のＳＣＳを再度指示することによって、Ｍｓｇ．３のＳＣＳを柔軟に設定することができ、または、ＰＢＣＨとは同じＳＣＳを使用するよう、ＲＲＣハイレイヤシグナリングまたはＲＭＳＩによってユーザ機器に通知し、または、Ｍｓｇ．２に含まれるパラメータでＭｓｇ．３のＳＣＳを指示する。
【００７５】
ステップ３４において、前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させる。
【００７６】
選択可能に、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【００７７】
選択可能に、前記ネットワークから設定された第７ＳＣＳは、ＲＭＳＩのうちのＰＲＡＣＨ設定パラメータに付帯される。
【００７８】
すなわち、基地局からユーザ機器に対し、競合ランダムアクセスメカニズムに基づいて初期アクセスを行うと指示した場合、基地局から衝突解決メッセージ（すなわちＭｓｇ．４）の送信に用いられるＳＣＳの特定方式は、以下の４種類がある。
種類１：Ｍｓｇ．４に用いられるＳＣＳは、ＰＢＣＨの伝送に用いられるＳＣＳとは同じである。
種類２：Ｍｓｇ．４に用いられるＳＣＳは、ＲＭＳＩの伝送に用いられるＳＣＳとは同じである。
種類３：Ｍｓｇ．４に用いられるＳＣＳは、Ｍｓｇ．２に用いられるＳＣＳとは同じである。
種類４：Ｍｓｇ．４に用いられるＳＣＳは、ＲＭＳＩのうちのＰＲＡＣＨ設定パラメータで設定される。
【００７９】
Ｍｓｇ．４の４種類の特定方式について、Ｍｓｇ．２とＭｓｇ．４がＰＤＳＣＨチャネルで伝送されるため、さらに、基地局は、Ｍｓｇ．４のＳＣＳとして、Ｍｓｇ．２のＳＣＳとは同じであると初期設定する。よって、シグナリングを送信してユーザ機器に通知する必要がなく、シグナリングオーバヘッドを節約する。
【００８０】
また、ネットワークにおいて、さらに、実際の必要性に応じて、ＲＭＳＩのうちのＰＲＡＣＨ設定パラメータでＭｓｇ．４のＳＣＳを再度指示することによって、Ｍｓｇ．４のＳＣＳを柔軟に設定することができ、または、ＰＢＣＨとは同じＳＣＳを使用しまたはＲＭＳＩ伝送のＳＣＳを使用するよう、ＲＲＣハイレイヤシグナリングまたはＲＭＳＩによってユーザ機器に通知する。
【００８１】
選択可能に、上記ステップ３１〜３４を経て初期アクセスプロセスが完成した後に、前記方法では、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第１ランダムアクセスプリアンブル指示メッセージを前記ユーザ機器に送信することと、
ここで、第８ＳＣＳは、ＰＢＣＨの伝送に用いられるＳＣＳを用いるように初期設定し、
前記ユーザ機器から前記第１ランダムアクセスプリアンブル指示メッセージに基づいて送信される第２ランダムアクセスプリアンブルメッセージを、予め設定された第９ＳＣＳを用いて受信することと、
ここで、第９ＳＣＳは、ＲＭＳＩによって統一的に設定され、
前記第２ランダムアクセスプリアンブルメッセージに基づいて、前記第１ランダムアクセスプリアンブル指示メッセージの送信に応用されるＳＣＳを用いて、第２ランダムアクセス応答メッセージを前記ユーザ機器に送信して、アップリンク同期を完成させることと、
をさらに含む。
【００８２】
選択可能に、上記ステップ３１〜３４を経て初期アクセスプロセスが完成した後に、前記方法では、
前記ユーザ機器がアップリンク非同期になり、かつ基地局から前記ユーザ機器に対し、競合ランダムアクセスメカニズムに基づいてランダムアクセスを行うと指示した場合、前記ユーザ機器から送信される第３ランダムアクセスプリアンブルメッセージを、予め設定された第１ＳＣＳを用いて受信することと、
ここで、第１ＳＣＳは、ＲＭＳＩによって統一的に設定され、
前記第３ランダムアクセスプリアンブルメッセージに基づいて、ＲＭＳＩの伝送に応用されるＳＣＳを用いて、第３ランダムアクセス応答メッセージを前記ユーザ機器に送信することと、
前記ユーザ機器から前記第３ランダムアクセス応答メッセージに基づいて送信される第２スケジューリング伝送メッセージを、前記第１スケジューリング伝送メッセージの受信に応用されるＳＣＳを用いて受信することと、
前記第２スケジューリング伝送メッセージに基づいて、前記第１衝突解決メッセージの送信に応用されるＳＣＳを用いて、第２衝突解決メッセージを前記ユーザ機器に送信して、アップリンク同期を完成させることとをさらに含む。
【００８３】
ＲＲＣ接続が確立すると、ユーザ機器に用いられる１つまたは複数のＢＷＰ（Ｂａｎｄ  Ｗｉｄｔｈ  Ｐａｒｔ）をＲＲＣシグナリングによって設定することができる。ここで、各ＢＷＰのＳＣＳは、ＲＲＣシグナリングによって設定されてもよい。活性化状態のＢＷＰでは、ＲＲＣ接続確立プロセスとは異なるＳＣＳを使用すると、ユーザ機器のアップリンクタイミング同期が失った（すなわちアップリンク非同期）場合、接続状態でランダムアクセスプロセスにおけるユーザ機器の行為を指定する必要がある。ここで、１つまたは複数のＢＷＰの設定にかかわらず、ＰＲＡＣＨのＳＣＳは、異なる搬送波で同じであるように設定される。
【００８４】
ユーザ機器のアップリンク同期が失うと、ユーザ機器は、ＢＷＰおよび／またはパラメータ（ｎｕｍｅｒｏｌｏｇｙ）に関する専用ＲＲＣ設定をすべて解放する。ネットワークにおいてランダムアクセスプロセスでユーザ機器が識別されると、ネットワークから、１つまたは複数のＢＷＰおよび／またはパラメータ（ｎｕｍｅｒｏｌｏｇｙ）をユーザ機器に再設定する。
【００８５】
ここで、ユーザ機器の初期アクセスには、競合に基づいたランダムアクセスメカニズムが用いられる場合、当該ユーザ機器は、アップリンク非同期が発生すると、競合に基づいたランダムアクセスメカニズムまたは非競合に基づいたランダムアクセスメカニズムを用いて、ランダムアクセスを再度に行う。
【００８６】
ユーザ機器のアップリンク非同期が発生し、競合に基づいたランダムアクセスメカニズムで再度にアクセスする場合、ネットワークから、どのユーザ機器がＰＲＡＣＨチャネルでＭｓｇ．１を送信したかの識別ができない。よって、ユーザ機器は、ＣＯＲＥＳＥＴ（Ｃｏｎｔｒｏｌ−ｒｅｓｏｕｒｃｅ  ｓｅｔ）で、ＰＤＣＣＨにスケジューリングされるＭｓｇ．２を監視する。ここで、当該ＣＯＲＥＳＥＴは、ＰＢＣＨに付帯されるＭＩＢによって設定される。また、このランダムアクセスプロセスにおいて、Ｍｓｇ．２の初期設定として、ＲＭＳＩ伝送のＳＣＳを使用するが、ＰＵＳＣＨで送信されるＭｓｇ．３は、初期アクセスプロセスとは同じＳＣＳを使用し、Ｍｓｇ．４も同様に初期アクセスプロセスとは同じＳＣＳを使用する。
【００８７】
ユーザ機器のアップリンク非同期が発生し、非競合に基づいたランダムアクセスメカニズムで再度にアクセスする場合、ＢＷＰの設定値にかかわらず、接続状態でのユーザ機器は、少なくとも、ＣＯＲＥＳＥＴに関連する検索空間を設定して、ＰＲＡＣＨ伝送をスケジューリングするＰＤＣＣＨ命令を監視する。よって、ＰＤＣＣＨ命令および対応するＭｓｇ．２をスケジューリングするＰＤＣＣＨは、同じ検索空間で監視され、すなわちＭｓｇ．２とＭｓｇ．０とは同じＳＣＳを使用する。ここで、ＲＭＳＩで提供されるＰＲＡＣＨ設定パラメータに基づいて、Ｍｓｇ．０のうちのＰＤＣＣＨ命令は、Ｍｓｇ．１のＳＣＳなどを含んだＰＲＡＣＨ伝送パラメータを指示している。
【００８８】
また、上記プロセスによって、アップリンク同期のＲＲＣ接続再確立が成功する（競合に基づいたランダムアクセスか否かにかかわらず）と、ネットワークにおいて、設定されているＢＷＰでは、ダウンリンク割り当て専用のスケジューリングを復帰させる。
【００８９】
以上の記載をまとめると、本開示の一部実施例において、予め取り決める方式またはネットワークから設定する方式で、ランダムアクセスプロセスにおける各メッセージに対し、応用されるＳＣＳを特定することによって、５Ｇ  ＮＲの競合に基づいたランダムアクセスメカニズムでは、Ｍｓｇ．１〜Ｍｓｇ．４には異なるＳＣＳ設定を有し、ユーザ機器のアップリンク非同期が発生して再度にアクセスするプロセスにおいて、再度アクセスプロセスにおける各メッセージに対し、応用されるＳＣＳを特定することができる。よって、ランダムアクセスプロセスにおける各メッセージのＳＣＳが特定できないという従来技術の問題を解決し、５Ｇ  ＮＲのランダムアクセスメカニズムが正常に実行できることを保証する。
【００９０】
図４に示すように、本開示の一部の実施例は、基地局に応用されるランダムアクセス方法を提供する。当該ランダムアクセス方法は、ステップ４１〜４３を含む。
【００９１】
ステップ４１において、基地局からユーザ機器に対し、非競合ランダムアクセスメカニズムに基づいて初期アクセスを行うと指示した場合、予め設定された第８ＳＣＳを用いて、第２ランダムアクセスプリアンブル指示メッセージを前記ユーザ機器に送信する。
【００９２】
本開示の一部実施例は、基地局側で実行される非競合に基づいたランダムアクセスプロセスである。ユーザ機器の初期アクセスが必要となると、基地局は、競合に基づいたランダムアクセスを行うか、それとも、非競合に基づいたランダムアクセスを行うかをユーザ機器に指示する。ここで、基地局からユーザ機器に対し、競合に基づいたランダムアクセスを行うと指示した場合、ランダムアクセスプリアンブルメッセージ（すなわちＭｓｇ．１）に用いられるプリアンブルは、予め定義されたプリアンブル集合からユーザ機器によってランダムに選択される。一方、基地局からユーザ機器に対し、非競合に基づいたランダムアクセスを行うと指示した場合、ランダムアクセスプリアンブルメッセージ（すなわちＭｓｇ．１）に用いられるプリアンブルは、基地局からユーザ機器に送信されるランダムアクセスプリアンブル指示メッセージ（すなわちＭｓｇ．０）で指示されるプリアンブルである。
【００９３】
選択可能に、第８ＳＣＳは、ＰＢＣＨの伝送に用いられるＳＣＳとは同じである。
【００９４】
ステップ４２において、前記ユーザ機器から前記第２ランダムアクセスプリアンブル指示メッセージに基づいて送信される第４ランダムアクセスプリアンブルメッセージを、予め設定された第９ＳＣＳを用いて受信する。
【００９５】
ここで、予め設定された第９ＳＣＳは、ＲＭＳＩによって統一的に設定される。
【００９６】
ステップ４３において、前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させる。
【００９７】
選択可能に、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【００９８】
選択可能に、非競合に基づくランダムアクセスが非切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【００９９】
すなわち、基地局からユーザ機器に対し、非競合ランダムアクセスメカニズムに基づいて初期アクセスを行うと指示した場合、今回のランダムアクセスが非切り替えプロセスに用いられる場合、基地局からランダムアクセス応答メッセージ（すなわちＭｓｇ．２）の送信に用いられるＳＣＳの特定方式は、以下の２種類がある。
種類１：Ｍｓｇ．２に用いられるＳＣＳは、ソースセルからのＭｓｇ．０のＳＣＳとは同じである。
種類２：Ｍｓｇ．２に用いられるＳＣＳは、Ｍｓｇ．０のうちのＰＲＡＣＨ設定パラメータで設定される。
【０１００】
ここで、上記の２種類の方式について、さらに、非競合のランダムアクセスプロセスが非切り替えプロセスに用いられる場合、基地局は、Ｍｓｇ．２のＳＣＳとして、ソースセルからのＭｓｇ．０のＳＣＳとは同じであると初期設定する。よって、シグナリングを送信してユーザ機器に通知する必要がなく、シグナリングオーバヘッドを節約する。また、基地局は、Ｍｓｇ．２のＳＣＳの変更が必要であると判断すると、Ｍｓｇ．０のうちのＰＲＡＣＨ設定パラメータでＭｓｇ．２のＳＣＳを再設定することができ、Ｍｓｇ．２のＳＣＳを柔軟に設定することができる。
【０１０１】
選択可能に、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【０１０２】
さらに、切り替えプロセスにおける前記参照信号が同期信号ブロック参照信号である場合、前記予め取り決められた第１０ＳＣＳは、前記同期信号ブロック参照信号のＳＣＳであり、
切り替えプロセスにおける前記参照信号がチャネル状態情報参照信号である場合、前記予め取り決められた第１０ＳＣＳは、前記チャネル状態情報参照信号のＳＣＳである。
【０１０３】
選択可能に、非競合に基づくランダムアクセスがセル切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【０１０４】
すなわち、基地局からユーザ機器に対し、非競合ランダムアクセスメカニズムに基づいて初期アクセスを行うと指示した場合、今回のランダムアクセスが切り替えプロセスに用いられる場合、基地局からランダムアクセス応答メッセージ（すなわちＭｓｇ．２）の送信に用いられるＳＣＳの特定方式は、以下の３種類がある。
種類１：Ｍｓｇ．２に用いられるＳＣＳは、ソースセルからのＭｓｇ．０のＳＣＳとは同じである。
種類２：切り替えプロセスが同期信号ブロック参照信号受信電力（ＳＳ−ＲＳＲＰ）の測定によってトリガーされると、Ｍｓｇ．２のＳＣＳは、ターゲットセルの同期信号ブロック参照信号（ＳＳ）を測定するＳＣＳとは同じである。切り替えプロセスがチャネル状態情報参照信号受信電力（ＣＳＩ−ＲＳＲＰ）の測定によってトリガーされると、Ｍｓｇ．２のＳＣＳは、ターゲットセルのチャネル状態情報参照信号（ＣＳＩ−ＲＳ）を測定するＳＣＳとは同じである。
種類３：Ｍｓｇ．２に用いられるＳＣＳは、Ｍｓｇ．０のうちのＰＲＡＣＨ設定パラメータで設定される。
【０１０５】
ここで、上記の３種類の方式について、さらに、非競合のランダムアクセスプロセスが非切り替えプロセスに用いられる場合、基地局は、Ｍｓｇ．２のＳＣＳとして、ターゲットセルで切り替えプロセスをトリガーする参照信号とは同じＳＣＳを使用すると初期設定し、シグナリングオーバヘッドを節約する。Ｍｓｇ．０のうちのＰＲＡＣＨ設定パラメータで再設定する以外、Ｍｓｇ．２のＳＣＳを柔軟に設定することができる。
【０１０６】
初期設定の場合について、切り替えプロセスが同期信号ブロック参照信号受信電力（ＳＳ−ＲＳＲＰ）の測定によってトリガーされると、Ｍｓｇ．２のＳＣＳは、ターゲットセルの同期信号ブロック参照信号（ＳＳ）を測定するＳＣＳとは同じである。切り替えプロセスがチャネル状態情報参照信号受信電力（ＣＳＩ−ＲＳＲＰ）の測定によってトリガーされると、Ｍｓｇ．２のＳＣＳは、ターゲットセルのチャネル状態情報参照信号（ＣＳＩ−ＲＳ）を測定するＳＣＳとは同じである。
【０１０７】
選択可能に、上記ステップ４１〜４３を経て初期アクセスプロセスが完成した後に、前記方法では、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第３ランダムアクセスプリアンブル指示メッセージを前記ユーザ機器に送信することと、
ここで、第８ＳＣＳは、ＰＢＣＨの伝送に用いられるＳＣＳを用いるように初期設定し、
前記ユーザ機器から前記第３ランダムアクセスプリアンブル指示メッセージに基づいて送信される第５ランダムアクセスプリアンブルメッセージを、予め設定された第９ＳＣＳを用いて受信することと、
ここで、第９ＳＣＳは、ＲＭＳＩによって統一的に設定され、
前記第５ランダムアクセスプリアンブルメッセージに基づいて、前記第３ランダムアクセスプリアンブル指示メッセージの送信に応用されるＳＣＳを用いて、第５ランダムアクセス応答メッセージを前記ユーザ機器に送信して、アップリンク同期を完成させることと、
をさらに含む。
【０１０８】
ＲＲＣ接続が確立すると、ユーザ機器に用いられる１つまたは複数のＢＷＰをＲＲＣシグナリングによって設定することができる。ここで、各ＢＷＰのＳＣＳは、ＲＲＣシグナリングによって設定されてもよい。活性化状態のＢＷＰでは、ＲＲＣ接続確立プロセスとは異なるＳＣＳを使用すると、ユーザ機器のアップリンクタイミング同期が失った（すなわちアップリンク非同期）場合、接続状態でランダムアクセスプロセスにおけるユーザ機器の行為を指定する必要がある。ここで、１つまたは複数のＢＷＰの設定にかかわらず、ＰＲＡＣＨのＳＣＳは、異なる搬送波で同じであるように設定される。
【０１０９】
ユーザ機器のアップリンク同期が失うと、ユーザ機器は、ＢＷＰおよび／またはパラメータ（ｎｕｍｅｒｏｌｏｇｙ）に関する専用ＲＲＣ設定をすべて解放する。ネットワークにおいてランダムアクセスプロセスでユーザ機器が識別されると、ネットワークから、１つまたは複数のＢＷＰおよび／またはパラメータ（ｎｕｍｅｒｏｌｏｇｙ）をユーザ機器に再設定する。
【０１１０】
ここで、ユーザ機器の初期アクセスには、非競合に基づいたランダムアクセスメカニズムが用いられる場合、当該ユーザ機器は、アップリンク非同期が発生すると、非競合に基づいたランダムアクセスメカニズムを用いて、ランダムアクセスを再度に行う必要がある。
【０１１１】
ユーザ機器のアップリンク非同期が発生し、非競合に基づいたランダムアクセスメカニズムで再度にアクセスする場合、ＢＷＰの設定値にかかわらず、接続状態でのユーザ機器は、少なくとも、ＣＯＲＥＳＥＴに関連する検索空間を設定して、ＰＲＡＣＨ伝送をスケジューリングするＰＤＣＣＨ命令を監視する。よって、ＰＤＣＣＨ命令および対応するＭｓｇ．２をスケジューリングするＰＤＣＣＨは、同じ検索空間で監視され、すなわちＭｓｇ．２とＭｓｇ．０とは同じＳＣＳを使用する。ここで、ＲＭＳＩで提供されるＰＲＡＣＨ設定パラメータに基づいて、Ｍｓｇ．０のうちのＰＤＣＣＨ命令は、Ｍｓｇ．１のＳＣＳなどを含んだＰＲＡＣＨ伝送パラメータを指示している。
【０１１２】
また、上記プロセスによって、アップリンク同期のＲＲＣ接続再確立が成功すると、ネットワークにおいて、設定されているＢＷＰでは、ダウンリンク割り当て専用のスケジューリングを復帰させる。
【０１１３】
以上の記載をまとめると、本開示の一部実施例において、予め取り決める方式またはネットワークから設定する方式で、ランダムアクセスプロセスにおける各メッセージに対し、応用されるＳＣＳを特定することによって、５Ｇ  ＮＲの非競合に基づいたランダムアクセスメカニズムでは、Ｍｓｇ．０〜Ｍｓｇ．２に異なるＳＣＳ設定を有し、ユーザ機器のアップリンク非同期が発生して再度にアクセスするプロセスにおいて、再度アクセスプロセスにおける各メッセージに対し、応用されるＳＣＳを特定することができる。よって、ランダムアクセスプロセスにおける各メッセージのＳＣＳが特定できないという従来技術の問題を解決し、５Ｇ  ＮＲのランダムアクセスメカニズムが正常に実行できることを保証する。
【０１１４】
図５に示すように、本開示の一部の実施例は、ユーザ機器に応用されるランダムアクセス方法を提供する。当該ランダムアクセス方法において、ステップ５１〜５４を含む。
【０１１５】
ステップ５１において、基地局からユーザ機器に対し、競合ランダムアクセスメカニズムに基づいて初期アクセスを行うと指示した場合、予め設定された第１ＳＣＳを用いて、第１ランダムアクセスプリアンブルメッセージを前記基地局に送信する。
【０１１６】
本開示の一部実施例は、基地局側で実行される競合に基づいたランダムアクセスプロセスである。ユーザ機器の初期アクセスが必要となると、基地局は、競合に基づいたランダムアクセスを行うか、それとも、非競合に基づいたランダムアクセスを行うかをユーザ機器に指示する。ここで、基地局からユーザ機器に対し、競合に基づいたランダムアクセスを行うと指示した場合、ランダムアクセスプリアンブルメッセージ（すなわちＭｓｇ．１）に用いられるプリアンブルは、予め定義されたプリアンブル集合からユーザ機器によってランダムに選択される。一方、基地局からユーザ機器に対し、非競合に基づいたランダムアクセスを行うと指示した場合、ランダムアクセスプリアンブルメッセージ（すなわちＭｓｇ．１）に用いられるプリアンブルは、基地局からユーザ機器に送信されるランダムアクセスプリアンブル指示メッセージ（すなわちＭｓｇ．０）で指示されるプリアンブルである。
【０１１７】
また、予め設定された第１ＳＣＳは、ＲＭＳＩによって統一的に設定される。
【０１１８】
ステップ５２において、前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信する。
【０１１９】
選択可能に、前記予め取り決められた第２ＳＣＳは、ＰＢＣＨの伝送に用いられるＳＣＳであり、または、ＲＭＳＩの伝送に用いられるＳＣＳである。
【０１２０】
選択可能に、前記ネットワークから設定された第３ＳＣＳは、ＲＭＳＩのうちのＰＲＡＣＨ設定パラメータに付帯される。
【０１２１】
すなわち、基地局からユーザ機器に対し、競合ランダムアクセスメカニズムに基づいて初期アクセスを行うと指示した場合、基地局からランダムアクセス応答メッセージ（すなわちＭｓｇ．２）の送信に用いられるＳＣＳの特定方式は、以下の３種類がある。
種類１：Ｍｓｇ．２に用いられるＳＣＳは、ＰＢＣＨの伝送に用いられるＳＣＳとは同じである。
種類２：Ｍｓｇ．２に用いられるＳＣＳは、ＲＭＳＩの伝送に用いられるＳＣＳとは同じである。
種類３：Ｍｓｇ．２に用いられるＳＣＳは、ＲＭＳＩのうちのＰＲＡＣＨ設定パラメータで設定される。
【０１２２】
ここで、上記３種類の方式について、基地局が、ＲＭＳＩ、ページング（Ｐａｇｉｎｇ）およびＲＡＲ（Ｒａｎｄｏｍ  Ａｃｃｅｓｓ  Ｒｅｓｐｏｎｓｅ）を統合的に考慮し、ＰＤＣＣＨチャネルを検索するＣＯＲＥＳＥＴ（Ｃｏｎｔｒｏｌ−ｒｅｓｏｕｒｃｅ  ｓｅｔ）を設計する際に、Ｍｓｇ．２のＳＣＳ設定は、ＰＢＣＨのＳＣＳとは異なるが、ＲＭＳＩ伝送のＳＣＳとは同じである。また、Ｍｓｇ．２のＳＣＳ設定は、ネットワークの実際の状況に応じて、ＲＭＳＩのうちのＰＲＡＣＨ設定パラメータで再設定することができる。
【０１２３】
また、Ｍｓｇ．２とＲＭＳＩがＰＤＳＣＨチャネルで搬送されるため、基地局は、ＲＭＳＩを伝送するＰＤＳＣＨとは同じであるＳＣＳを設定することができる。すなわち、選択可能に、基地局は、Ｍｓｇ．２のＳＣＳとして、ＲＭＳＩ伝送のＳＣＳとは同じであると初期設定する。よって、シグナリングを送信してユーザ機器に通知する必要がなく、シグナリングオーバヘッドを節約する。また、基地局は、Ｍｓｇ．２のＳＣＳの変更が必要であると判断すると、ＲＭＳＩのうちのＰＲＡＣＨ設定パラメータでＭｓｇ．２のＳＣＳを指示してＭｓｇ．２のＳＣＳを柔軟に設定することができ、または、ＰＢＣＨとは同じＳＣＳを使用するよう、ＲＲＣハイレイヤシグナリングまたはＲＭＳＩによってユーザ機器に通知する。
【０１２４】
ステップ５３において、前記第１ランダムアクセス応答メッセージに基づいて、予め取り決められた第４ＳＣＳまたはネットワークから設定された第５ＳＣＳを用いて、第１スケジューリング伝送メッセージを前記基地局に送信する。
【０１２５】
選択可能に、前記予め取り決められた第４ＳＣＳは、ＰＢＣＨの伝送に用いられるＳＣＳであり、または、ＲＭＳＩの伝送に用いられるＳＣＳである。
【０１２６】
選択可能に、前記ネットワークから設定された第５ＳＣＳは、ＲＭＳＩのうちのＰＲＡＣＨ設定パラメータに付帯され、または、前記第１ランダムアクセス応答メッセージに付帯される。
【０１２７】
すなわち、基地局からユーザ機器に対し、競合ランダムアクセスメカニズムに基づいて初期アクセスを行うと指示した場合、基地局からスケジューリング伝送メッセージ（すなわちＭｓｇ．３）の送信に用いられるＳＣＳの特定方式は、以下の４種類がある。
種類１：Ｍｓｇ．３に用いられるＳＣＳは、ＰＢＣＨの伝送に用いられるＳＣＳとは同じである。
種類２：Ｍｓｇ．３に用いられるＳＣＳは、ＲＭＳＩの伝送に用いられるＳＣＳとは同じである。
種類３：Ｍｓｇ．３に用いられるＳＣＳは、ＲＭＳＩのうちのＰＲＡＣＨ設定パラメータで設定される。
種類４：Ｍｓｇ．３に用いられるＳＣＳは、Ｍｓｇ．２に含まれるパラメータで指示される。
【０１２８】
Ｍｓｇ．３の４種類の特定方式について、さらに、基地局は、Ｍｓｇ．３のＳＣＳとして、ＲＭＳＩ伝送のＳＣＳとは同じであると初期設定する。よって、シグナリングを送信してユーザ機器に通知する必要がなく、シグナリングオーバヘッドを節約する。また、ネットワークにおいて、実際の必要性に応じて、ＲＭＳＩのうちのＰＲＡＣＨ設定パラメータでＭｓｇ．３のＳＣＳを再度指示することによって、Ｍｓｇ．３のＳＣＳを柔軟に設定することができ、または、ＰＢＣＨとは同じＳＣＳを使用するよう、ＲＲＣハイレイヤシグナリングまたはＲＭＳＩによってユーザ機器に通知し、または、Ｍｓｇ．２に含まれるパラメータでＭｓｇ．３のＳＣＳを指示する。
【０１２９】
ステップ５４において、前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させる。
【０１３０】
選択可能に、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【０１３１】
選択可能に、前記ネットワークから設定された第７ＳＣＳは、ＲＭＳＩのうちのＰＲＡＣＨ設定パラメータに付帯される。
【０１３２】
すなわち、基地局からユーザ機器に対し、競合ランダムアクセスメカニズムに基づいて初期アクセスを行うと指示した場合、基地局から衝突解決メッセージ（すなわちＭｓｇ．４）の送信に用いられるＳＣＳの特定方式は、以下の４種類がある。
種類１：Ｍｓｇ．４に用いられるＳＣＳは、ＰＢＣＨの伝送に用いられるＳＣＳとは同じである。
種類２：Ｍｓｇ．４に用いられるＳＣＳは、ＲＭＳＩの伝送に用いられるＳＣＳとは同じである。
種類３：Ｍｓｇ．４に用いられるＳＣＳは、Ｍｓｇ．２に用いられるＳＣＳとは同じである。
種類４：Ｍｓｇ．４に用いられるＳＣＳは、ＲＭＳＩのうちのＰＲＡＣＨ設定パラメータで設定される。
【０１３３】
Ｍｓｇ．４の４種類の特定方式について、Ｍｓｇ．２とＭｓｇ．４がＰＤＳＣＨチャネルで伝送されるため、さらに、基地局は、Ｍｓｇ．４のＳＣＳとして、Ｍｓｇ．２のＳＣＳとは同じであると初期設定する。よって、シグナリングを送信してユーザ機器に通知する必要がなく、シグナリングオーバヘッドを節約する。
【０１３４】
また、ネットワークにおいて、さらに、実際の必要性に応じて、ＲＭＳＩのうちのＰＲＡＣＨ設定パラメータでＭｓｇ．４のＳＣＳを再度指示することによって、Ｍｓｇ．４のＳＣＳを柔軟に設定することができ、または、ＰＢＣＨとは同じＳＣＳを使用しまたはＲＭＳＩ伝送のＳＣＳを使用するよう、ＲＲＣハイレイヤシグナリングまたはＲＭＳＩによってユーザ機器に通知する。
【０１３５】
選択可能に、上記ステップ５１〜５４を経て初期アクセスプロセスが完成した後に、前記方法では、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第１ランダムアクセスプリアンブル指示メッセージを、予め設定された第８ＳＣＳを用いて受信することと、
ここで、第８ＳＣＳは、ＰＢＣＨの伝送に用いられるＳＣＳを用いるように初期設定し、
前記第１ランダムアクセスプリアンブル指示メッセージに基づいて、予め設定された第９ＳＣＳを用いて第２ランダムアクセスプリアンブルメッセージを前記基地局に送信することと、
ここで、第９ＳＣＳは、ＲＭＳＩによって統一的に設定され、
前記基地局から前記第２ランダムアクセスプリアンブルメッセージに基づいて送信される第２ランダムアクセス応答メッセージを、前記第１ランダムアクセスプリアンブル指示メッセージの受信に応用されるＳＣＳを用いて受信して、アップリンク同期を完成させることと、
をさらに含む。
【０１３６】
選択可能に、上記ステップ５１〜５４を経て初期アクセスプロセスが完成した後に、前記方法では、
前記ユーザ機器がアップリンク非同期になり、かつ基地局から前記ユーザ機器に対し、競合ランダムアクセスメカニズムに基づいてランダムアクセスを行うと指示した場合、予め設定された第１ＳＣＳを用いて第３ランダムアクセスプリアンブルメッセージを前記基地局に送信することと、
ここで、第１ＳＣＳは、ＲＭＳＩによって統一的に設定され、
前記基地局から前記第３ランダムアクセスプリアンブルメッセージに基づいて送信される第３ランダムアクセス応答メッセージを、ＲＭＳＩの伝送に応用されるＳＣＳを用いて受信することと、
前記第３ランダムアクセス応答メッセージに基づいて、前記第１スケジューリング伝送メッセージの送信に用いられるＳＣＳを用いて第２スケジューリング伝送メッセージを前記基地局に送信することと、
前記基地局から前記第２スケジューリング伝送メッセージに基づいて送信される第２衝突解決メッセージを、前記第１衝突解決メッセージの受信に応用されるＳＣＳを用いて受信して、アップリンク同期を完成させることと、
をさらに含む。
【０１３７】
ＲＲＣ接続が確立すると、ユーザ機器に用いられる１つまたは複数のＢＷＰをＲＲＣシグナリングによって設定することができる。ここで、各ＢＷＰのＳＣＳは、ＲＲＣシグナリングによって設定されてもよい。活性化状態のＢＷＰでは、ＲＲＣ接続確立プロセスとは異なるＳＣＳを使用すると、ユーザ機器のアップリンクタイミング同期が失った（すなわちアップリンク非同期）場合、接続状態でランダムアクセスプロセスにおけるユーザ機器の行為を指定する必要がある。ここで、１つまたは複数のＢＷＰの設定にかかわらず、ＰＲＡＣＨのＳＣＳは、異なる搬送波で同じであるように設定される。
【０１３８】
ユーザ機器のアップリンク同期が失うと、ユーザ機器は、ＢＷＰおよび／またはパラメータ（ｎｕｍｅｒｏｌｏｇｙ）に関する専用ＲＲＣ設定をすべて解放する。ネットワークにおいてランダムアクセスプロセスでユーザ機器が識別されると、ネットワークから、１つまたは複数のＢＷＰおよび／またはパラメータ（ｎｕｍｅｒｏｌｏｇｙ）をユーザ機器に再設定する。
【０１３９】
ここで、ユーザ機器の初期アクセスには、競合に基づいたランダムアクセスメカニズムが用いられる場合、当該ユーザ機器は、アップリンク非同期が発生すると、競合に基づいたランダムアクセスメカニズムまたは非競合に基づいたランダムアクセスメカニズムを用いて、ランダムアクセスを再度に行う。
【０１４０】
ユーザ機器のアップリンク非同期が発生し、競合に基づいたランダムアクセスメカニズムで再度にアクセスする場合、ネットワークから、どのユーザ機器がＰＲＡＣＨチャネルでＭｓｇ．１を送信したかの識別ができない。よって、ユーザ機器は、ＣＯＲＥＳＥＴで、ＰＤＣＣＨにスケジューリングされるＭｓｇ．２を監視する。ここで、当該ＣＯＲＥＳＥＴは、ＰＢＣＨに付帯されるＭＩＢによって設定される。また、このランダムアクセスプロセスにおいて、Ｍｓｇ．２の初期設定として、ＲＭＳＩ伝送のＳＣＳを使用するが、ＰＵＳＣＨで送信されるＭｓｇ．３は、初期アクセスプロセスとは同じＳＣＳを使用し、Ｍｓｇ．４も同様に初期アクセスプロセスとは同じＳＣＳを使用する。
【０１４１】
ユーザ機器のアップリンク非同期が発生し、非競合に基づいたランダムアクセスメカニズムで再度にアクセスする場合、ＢＷＰの設定値にかかわらず、接続状態でのユーザ機器は、少なくとも、ＣＯＲＥＳＥＴに関連する検索空間を設定して、ＰＲＡＣＨ伝送をスケジューリングするＰＤＣＣＨ命令を監視する。よって、ＰＤＣＣＨ命令および対応するＭｓｇ．２をスケジューリングするＰＤＣＣＨは、同じ検索空間で監視され、すなわちＭｓｇ．２とＭｓｇ．０とは同じＳＣＳを使用する。ここで、ＲＭＳＩで提供されるＰＲＡＣＨ設定パラメータに基づいて、Ｍｓｇ．０のうちのＰＤＣＣＨ命令は、Ｍｓｇ．１のＳＣＳなどを含んだＰＲＡＣＨ伝送パラメータを指示している。
【０１４２】
また、上記プロセスによって、アップリンク同期のＲＲＣ接続再確立が成功する（競合に基づいたランダムアクセスか否かにかかわらず）と、ネットワークにおいて、設定されているＢＷＰでは、ダウンリンク割り当て専用のスケジューリングを復帰させる。
【０１４３】
以上の記載をまとめると、本開示の一部実施例において、予め取り決める方式またはネットワークから設定する方式で、ランダムアクセスプロセスにおける各メッセージに対し、応用されるＳＣＳを特定することによって、５Ｇ  ＮＲの競合に基づいたランダムアクセスメカニズムでは、Ｍｓｇ．１〜Ｍｓｇ．４に異なるＳＣＳ設定を有し、ユーザ機器のアップリンク非同期が発生して再度にアクセスするプロセスにおいて、再度アクセスプロセスにおける各メッセージに対し、応用されるＳＣＳを特定することができる。よって、ランダムアクセスプロセスにおける各メッセージのＳＣＳが特定できないという従来技術の問題を解決し、５Ｇ  ＮＲのランダムアクセスメカニズムが正常に実行できることを保証する。
【０１４４】
図６に示すように、本開示の一部の実施例は、ユーザ機器に応用されるランダムアクセス方法を提供する。当該ランダムアクセス方法において、ステップ６１〜６３を含む。
【０１４５】
ステップ６１において、基地局からユーザ機器に対し、非競合ランダムアクセスメカニズムに基づいて初期アクセスを行うと指示した場合、前記基地局から送信される第２ランダムアクセスプリアンブル指示メッセージを、予め設定された第８ＳＣＳを用いて受信する。
【０１４６】
本開示の一部実施例は、基地局側で実行される競合に基づいたランダムアクセスプロセスである。ユーザ機器の初期アクセスが必要となると、基地局は、競合に基づいたランダムアクセスを行うか、それとも、非競合に基づいたランダムアクセスを行うかをユーザ機器に指示する。ここで、基地局からユーザ機器に対し、競合に基づいたランダムアクセスを行うと指示した場合、ランダムアクセスプリアンブルメッセージ（すなわちＭｓｇ．１）に用いられるプリアンブルは、予め定義されたプリアンブル集合からユーザ機器によってランダムに選択される。一方、基地局からユーザ機器に対し、非競合に基づいたランダムアクセスを行うと指示した場合、ランダムアクセスプリアンブルメッセージ（すなわちＭｓｇ．１）に用いられるプリアンブルは、基地局からユーザ機器に送信されるランダムアクセスプリアンブル指示メッセージ（すなわちＭｓｇ．０）で指示されるプリアンブルである。
【０１４７】
選択可能に、第８ＳＣＳは、ＰＢＣＨの伝送に用いられるＳＣＳとは同じである。
【０１４８】
ステップ６２において、前記第２ランダムアクセスプリアンブル指示メッセージに基づいて、予め設定された第９ＳＣＳを用いて、第４ランダムアクセスプリアンブルメッセージを前記基地局に送信する。
【０１４９】
ここで、予め設定された第９ＳＣＳは、ＲＭＳＩによって統一的に設定される。
【０１５０】
ステップ６３において、前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させる。
【０１５１】
選択可能に、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【０１５２】
選択可能に、非競合に基づくランダムアクセスが非切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【０１５３】
すなわち、基地局からユーザ機器に対し、非競合ランダムアクセスメカニズムに基づいて初期アクセスを行うと指示した場合、今回のランダムアクセスが非切り替えプロセスに用いられる場合、基地局からランダムアクセス応答メッセージ（すなわちＭｓｇ．２）の送信に用いられるＳＣＳの特定方式は、以下の２種類がある。
種類１：Ｍｓｇ．２に用いられるＳＣＳは、ソースセルからのＭｓｇ．０のＳＣＳとは同じである。
種類２：Ｍｓｇ．２に用いられるＳＣＳは、Ｍｓｇ．０のうちのＰＲＡＣＨ設定パラメータで設定される。
【０１５４】
ここで、上記の２種類の方式について、さらに、非競合のランダムアクセスプロセスが非切り替えプロセスに用いられる場合、基地局は、Ｍｓｇ．２のＳＣＳとして、ソースセルからのＭｓｇ．０のＳＣＳとは同じであると初期設定する。よって、シグナリングを送信してユーザ機器に通知する必要がなく、シグナリングオーバヘッドを節約する。基地局は、Ｍｓｇ．２のＳＣＳの変更が必要であると判断すると、Ｍｓｇ．０のうちのＰＲＡＣＨ設定パラメータでＭｓｇ．２のＳＣＳを再設定することができ、Ｍｓｇ．２のＳＣＳを柔軟に設定することができる。
【０１５５】
選択可能に、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【０１５６】
さらに、切り替えプロセスにおける前記参照信号が同期信号ブロック参照信号である場合、前記予め取り決められた第１０ＳＣＳは、前記同期信号ブロック参照信号のＳＣＳであり、
切り替えプロセスにおける前記参照信号がチャネル状態情報参照信号である場合、前記予め取り決められた第１０ＳＣＳは、前記チャネル状態情報参照信号のＳＣＳである。
【０１５７】
選択可能に、非競合に基づくランダムアクセスがセル切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【０１５８】
すなわち、基地局からユーザ機器に対し、非競合ランダムアクセスメカニズムに基づいて初期アクセスを行うと指示した場合、今回のランダムアクセスが切り替えプロセスに用いられる場合、基地局からランダムアクセス応答メッセージ（すなわちＭｓｇ．２）の送信に用いられるＳＣＳの特定方式は、以下の３種類がある。
種類１：Ｍｓｇ．２に用いられるＳＣＳは、ソースセルからのＭｓｇ．０のＳＣＳとは同じである。
種類２：切り替えプロセスが同期信号ブロック参照信号受信電力（ＳＳ−ＲＳＲＰ）の測定によってトリガーされると、Ｍｓｇ．２のＳＣＳは、ターゲットセルの同期信号ブロック参照信号（ＳＳ）を測定するＳＣＳとは同じである。切り替えプロセスがチャネル状態情報参照信号受信電力（ＣＳＩ−ＲＳＲＰ）の測定によってトリガーされると、Ｍｓｇ．２のＳＣＳは、ターゲットセルのチャネル状態情報参照信号（ＣＳＩ−ＲＳ）を測定するＳＣＳとは同じである。
種類３：Ｍｓｇ．２に用いられるＳＣＳは、Ｍｓｇ．０のうちのＰＲＡＣＨ設定パラメータで設定される。
【０１５９】
ここで、上記の３種類の方式について、さらに、非競合のランダムアクセスプロセスが非切り替えプロセスに用いられる場合、基地局は、Ｍｓｇ．２のＳＣＳとして、ターゲットセルで切り替えプロセスをトリガーする参照信号とは同じＳＣＳを使用すると初期設定し、シグナリングオーバヘッドを節約する。Ｍｓｇ．０のうちのＰＲＡＣＨ設定パラメータで再設定する以外、Ｍｓｇ．２のＳＣＳを柔軟に設定することができる。
【０１６０】
初期設定の場合について、切り替えプロセスが同期信号ブロック参照信号受信電力（ＳＳ−ＲＳＲＰ）の測定によってトリガーされると、Ｍｓｇ．２のＳＣＳは、ターゲットセルの同期信号ブロック参照信号（ＳＳ）を測定するＳＣＳとは同じである。切り替えプロセスがチャネル状態情報参照信号受信電力（ＣＳＩ−ＲＳＲＰ）の測定によってトリガーされると、Ｍｓｇ．２のＳＣＳは、ターゲットセルのチャネル状態情報参照信号（ＣＳＩ−ＲＳ）を測定するＳＣＳとは同じである。
【０１６１】
選択可能に、上記ステップ６１〜６３を経て初期アクセスプロセスが完成すると、前記方法では、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第３ランダムアクセスプリアンブル指示メッセージを、予め設定された第８ＳＣＳを用いて受信することと、
前記第３ランダムアクセスプリアンブル指示メッセージに基づいて、予め設定された第９ＳＣＳを用いて第５ランダムアクセスプリアンブルメッセージを前記基地局に送信することと、
前記基地局から前記第５ランダムアクセスプリアンブルメッセージに基づいて送信される第５ランダムアクセス応答メッセージを、前記第３ランダムアクセスプリアンブル指示メッセージの受信に応用されるＳＣＳを用いて受信して、アップリンク同期を完成させることと、
をさらに含む。
【０１６２】
ＲＲＣ接続が確立すると、ユーザ機器に用いられる１つまたは複数のＢＷＰをＲＲＣシグナリングによって設定することができる。ここで、各ＢＷＰのＳＣＳは、ＲＲＣシグナリングによって設定されてもよい。活性化状態のＢＷＰでは、ＲＲＣ接続確立プロセスとは異なるＳＣＳを使用すると、ユーザ機器のアップリンクタイミング同期が失った（すなわちアップリンク非同期）場合、接続状態でランダムアクセスプロセスにおけるユーザ機器の行為を指定する必要がある。ここで、１つまたは複数のＢＷＰの設定にかかわらず、ＰＲＡＣＨのＳＣＳは、異なる搬送波で同じであるように設定される。
【０１６３】
ユーザ機器のアップリンク同期が失うと、ユーザ機器は、ＢＷＰおよび／またはパラメータ（ｎｕｍｅｒｏｌｏｇｙ）に関する専用ＲＲＣ設定をすべて解放する。ネットワークにおいてランダムアクセスプロセスでユーザ機器が識別されると、ネットワークから、１つまたは複数のＢＷＰおよび／またはパラメータ（ｎｕｍｅｒｏｌｏｇｙ）をユーザ機器に再設定する。
【０１６４】
ここで、ユーザ機器の初期アクセスには、非競合に基づいたランダムアクセスメカニズムが用いられる場合、当該ユーザ機器は、アップリンク非同期が発生すると、非競合に基づいたランダムアクセスメカニズムを用いて、ランダムアクセスを再度に行う必要がある。
【０１６５】
ユーザ機器のアップリンク非同期が発生し、非競合に基づいたランダムアクセスメカニズムで再度にアクセスする場合、ＢＷＰの設定値にかかわらず、接続状態でのユーザ機器は、少なくとも、ＣＯＲＥＳＥＴに関連する検索空間を設定して、ＰＲＡＣＨ伝送をスケジューリングするＰＤＣＣＨ命令を監視する。よって、ＰＤＣＣＨ命令および対応するＭｓｇ．２をスケジューリングするＰＤＣＣＨは、同じ検索空間で監視され、すなわちＭｓｇ．２とＭｓｇ．０とは同じＳＣＳを使用する。ここで、ＲＭＳＩで提供されるＰＲＡＣＨ設定パラメータに基づいて、Ｍｓｇ．０のうちのＰＤＣＣＨ命令は、Ｍｓｇ．１のＳＣＳなどを含んだＰＲＡＣＨ伝送パラメータを指示している。
【０１６６】
また、上記プロセスによって、アップリンク同期のＲＲＣ接続再確立が成功すると、ネットワークにおいて、設定されているＢＷＰでは、ダウンリンク割り当て専用のスケジューリングを復帰させる。
【０１６７】
以上の記載をまとめると、本開示の一部実施例において、予め取り決める方式またはネットワークから設定する方式で、ランダムアクセスプロセスにおける各メッセージに対し、応用されるＳＣＳを特定することによって、５Ｇ  ＮＲの非競合に基づいたランダムアクセスメカニズムでは、Ｍｓｇ．０〜Ｍｓｇ．２に異なるＳＣＳ設定を有し、ユーザ機器のアップリンク非同期が発生して再度にアクセスするプロセスにおいて、再度アクセスプロセスにおける各メッセージに対し、応用されるＳＣＳを特定することができる。よって、ランダムアクセスプロセスにおける各メッセージのＳＣＳが特定できないという従来技術の問題を解決し、５Ｇ  ＮＲのランダムアクセスメカニズムが正常に実行できることを保証する。
【０１６８】
なお、上記実施例１〜実施例４には、競合に基づいた初期ランダムアクセスプロセスと、その後にユーザ機器のアップリンク非同期になる場合の非競合に基づいたランダムアクセスプロセスとユーザ機器のアップリンク非同期になる場合の競合に基づいたランダムアクセスプロセス、および、非競合に基づいたランダムアクセスプロセスと、その後にユーザ機器のアップリンク非同期になる場合の非競合に基づいたランダムアクセスプロセスを含む。上記の異なるプロセスで現れる各メッセージを区別するために、同一種類のメッセージに対し、それぞれ異なる名称が用いられている。
【０１６９】
すなわち、上記記載に現れる「第１ランダムアクセスプリアンブルメッセージ」、「第２ランダムアクセスプリアンブルメッセージ」、「第３ランダムアクセスプリアンブルメッセージ」、「第４ランダムアクセスプリアンブルメッセージ」、「第５ランダムアクセスプリアンブルメッセージ」は、いずれもＭｓｇ．１を指す。
上記記載に現れる「第１ランダムアクセス応答メッセージ」、「第２ランダムアクセス応答メッセージ」、「第３ランダムアクセス応答メッセージ」、「第４ランダムアクセス応答メッセージ」、「第５ランダムアクセス応答メッセージ」は、いずれもＭｓｇ．２を指す。
上記記載に現れる「第１スケジューリング伝送メッセージ」、「第２スケジューリング伝送メッセージ」は、いずれもＭｓｇ．３を指す。
上記記載に現れる「第１衝突解決メッセージ」、「第２衝突解決メッセージ」は、いずれもＭｓｇ．４を指す。
上記記載に現れる「第１ランダムアクセスプリアンブル指示メッセージ」、「第２ランダムアクセスプリアンブル指示メッセージ」、「第３ランダムアクセスプリアンブル指示メッセージ」は、いずれもＭｓｇ．０を指す。
【０１７０】
本開示の一部の実施例は、基地局を提供する。図７に示すように、当該基地局７００は、
基地局からユーザ機器に対し、競合ランダムアクセスメカニズムに基づいて初期アクセスを行うと指示した場合、前記ユーザ機器から送信される第１ランダムアクセスプリアンブルメッセージを、予め設定された第１ＳＣＳを用いて受信するための第１メッセージ受信モジュール７０１と、
前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信するための第１メッセージ送信モジュール７０２と、
前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信するための第２メッセージ受信モジュール７０３と、
前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させるための第２メッセージ送信モジュール７０４と、
を含む。
【０１７１】
選択可能に、前記予め取り決められた第２ＳＣＳは、ＰＢＣＨの伝送に用いられるＳＣＳであり、または、ＲＭＳＩの伝送に用いられるＳＣＳである。
【０１７２】
選択可能に、前記ネットワークから設定された第３ＳＣＳは、ＲＭＳＩのうちのＰＲＡＣＨ設定パラメータに付帯される。
【０１７３】
選択可能に、前記予め取り決められた第４ＳＣＳは、ＰＢＣＨの伝送に用いられるＳＣＳであり、または、ＲＭＳＩの伝送に用いられるＳＣＳである。
【０１７４】
選択可能に、前記ネットワークから設定された第５ＳＣＳは、ＲＭＳＩのうちのＰＲＡＣＨ設定パラメータに付帯され、または、前記第１ランダムアクセス応答メッセージに付帯される。
【０１７５】
選択可能に、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【０１７６】
選択可能に、前記ネットワークから設定された第７ＳＣＳは、ＲＭＳＩのうちのＰＲＡＣＨ設定パラメータに付帯される。
【０１７７】
選択可能に、初期アクセスプロセスが完成した後に、前記基地局は、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第１ランダムアクセスプリアンブル指示メッセージを前記ユーザ機器に送信するための第３メッセージ送信モジュールと、
前記ユーザ機器から前記第１ランダムアクセスプリアンブル指示メッセージに基づいて送信される第２ランダムアクセスプリアンブルメッセージを、予め設定された第９ＳＣＳを用いて受信するための第３メッセージ受信モジュールと、
前記第２ランダムアクセスプリアンブルメッセージに基づいて、前記第１ランダムアクセスプリアンブル指示メッセージの送信に応用されるＳＣＳを用いて、第２ランダムアクセス応答メッセージを前記ユーザ機器に送信して、アップリンク同期を完成させるための第４メッセージ送信モジュールと、
をさらに含む。
【０１７８】
選択可能に、ランダム初期アクセスプロセスが完成した後に、前記基地局は、
前記ユーザ機器がアップリンク非同期になり、かつ基地局から前記ユーザ機器に対し、競合ランダムアクセスメカニズムに基づいてランダムアクセスを行うと指示した場合、前記ユーザ機器から送信される第３ランダムアクセスプリアンブルメッセージを、予め設定された第１ＳＣＳを用いて受信するための第４メッセージ受信モジュールと、
前記第３ランダムアクセスプリアンブルメッセージに基づいて、ＲＭＳＩの伝送に応用されるＳＣＳを用いて、第３ランダムアクセス応答メッセージを前記ユーザ機器に送信するための第５メッセージ送信モジュールと、
前記ユーザ機器から前記第３ランダムアクセス応答メッセージに基づいて送信される第２スケジューリング伝送メッセージを、前記第１スケジューリング伝送メッセージの受信に応用されるＳＣＳを用いて受信するための第５メッセージ受信モジュールと、
前記第２スケジューリング伝送メッセージに基づいて、前記第１衝突解決メッセージの送信に応用されるＳＣＳを用いて、第２衝突解決メッセージを前記ユーザ機器に送信して、アップリンク同期を完成させるため第６メッセージ送信モジュールと、
をさらに含む。
【０１７９】
以上の記載によれば、本開示の一部実施例において、予め取り決める方式またはネットワークから設定する方式で、ランダムアクセスプロセスにおける各メッセージに対し、応用されるＳＣＳを特定することによって、５Ｇ  ＮＲの競合に基づいたランダムアクセスメカニズムでは、Ｍｓｇ．１〜Ｍｓｇ．４に異なるＳＣＳ設定を有する。よって、ランダムアクセスプロセスにおける各メッセージのＳＣＳが特定できないという従来技術の問題を解決し、５Ｇ  ＮＲのランダムアクセスメカニズムが正常に実行できることを保証する。
【０１８０】
本開示の一部の実施例は、基地局をさらに提供する。図８に示すように、当該基地局８００は、
基地局からユーザ機器に対し、非競合ランダムアクセスメカニズムに基づいて初期アクセスを行うと指示した場合、予め設定された第８ＳＣＳを用いて、第２ランダムアクセスプリアンブル指示メッセージを前記ユーザ機器に送信するための第７メッセージ送信モジュール８０１と、
前記ユーザ機器から前記第２ランダムアクセスプリアンブル指示メッセージに基づいて送信される第４ランダムアクセスプリアンブルメッセージを、予め設定された第９ＳＣＳを用いて受信するための第６メッセージ受信モジュール８０２と、
前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させるための第８メッセージ送信モジュール８０３と、
を含む。
【０１８１】
選択可能に、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【０１８２】
選択可能に、非競合に基づくランダムアクセスが非切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【０１８３】
選択可能に、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【０１８４】
選択可能に、切り替えプロセスにおける前記参照信号が同期信号ブロック参照信号である場合、前記予め取り決められた第１０ＳＣＳは、前記同期信号ブロック参照信号のＳＣＳであり、切り替えプロセスにおける前記参照信号がチャネル状態情報参照信号である場合、前記予め取り決められた第１０ＳＣＳは、前記チャネル状態情報参照信号のＳＣＳである。
【０１８５】
選択可能に、非競合に基づくランダムアクセスがセル切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【０１８６】
選択可能に、初期アクセスプロセスが完成した後に、前記基地局は、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第３ランダムアクセスプリアンブル指示メッセージを前記ユーザ機器に送信するための第９メッセージ送信モジュールと、
前記ユーザ機器から前記第３ランダムアクセスプリアンブル指示メッセージに基づいて送信される第５ランダムアクセスプリアンブルメッセージを、予め設定された第９ＳＣＳを用いて受信するための第７メッセージ受信モジュールと、
前記第５ランダムアクセスプリアンブルメッセージに基づいて、前記第３ランダムアクセスプリアンブル指示メッセージの送信に応用されるＳＣＳを用いて、第５ランダムアクセス応答メッセージを前記ユーザ機器に送信して、アップリンク同期を完成させるための第１０メッセージ送信モジュールと、
をさらに含む。
【０１８７】
以上の記載によれば、本開示の一部実施例において、予め取り決める方式またはネットワークから設定する方式で、ランダムアクセスプロセスにおける各メッセージに対し、応用されるＳＣＳを特定することによって、５Ｇ  ＮＲの非競合に基づいたランダムアクセスメカニズムでは、Ｍｓｇ．０〜Ｍｓｇ．２に異なるＳＣＳ設定を有する。よって、ランダムアクセスプロセスにおける各メッセージのＳＣＳが特定できないという従来技術の問題を解決し、５Ｇ  ＮＲのランダムアクセスメカニズムが正常に実行できることを保証する。
【０１８８】
本開示の一部の実施例は、ユーザ機器をさらに提供する。図９に示すように、当該ユーザ機器９００は、
基地局からユーザ機器に対し、競合ランダムアクセスメカニズムに基づいて初期アクセスを行うと指示した場合、予め設定された第１ＳＣＳを用いて、第１ランダムアクセスプリアンブルメッセージを前記基地局に送信するための第１１メッセージ送信モジュール９０１と、
前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信するための第８メッセージ受信モジュール９０２と、
前記第１ランダムアクセス応答メッセージに基づいて、予め取り決められた第４ＳＣＳまたはネットワークから設定された第５ＳＣＳを用いて、第１スケジューリング伝送メッセージを前記基地局に送信するための第１２メッセージ送信モジュール９０３と、
前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させるための第９メッセージ受信モジュール９０４と、
を含む。
【０１８９】
選択可能に、前記予め取り決められた第２ＳＣＳは、ＰＢＣＨの伝送に用いられるＳＣＳであり、または、ＲＭＳＩの伝送に用いられるＳＣＳである。
【０１９０】
選択可能に、前記ネットワークから設定された第３ＳＣＳは、ＲＭＳＩのうちのＰＲＡＣＨ設定パラメータに付帯される。
【０１９１】
選択可能に、前記予め取り決められた第４ＳＣＳは、ＰＢＣＨの伝送に用いられるＳＣＳであり、または、ＲＭＳＩの伝送に用いられるＳＣＳである。
【０１９２】
選択可能に、前記ネットワークから設定された第５ＳＣＳは、ＲＭＳＩのうちのＰＲＡＣＨ設定パラメータに付帯され、または、前記第１ランダムアクセス応答メッセージに付帯される。
【０１９３】
選択可能に、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【０１９４】
選択可能に、前記ネットワークから設定された第７ＳＣＳは、ＲＭＳＩのうちのＰＲＡＣＨ設定パラメータに付帯される。
【０１９５】
選択可能に、初期アクセスプロセスが完成した後に、前記ユーザ機器は、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第１ランダムアクセスプリアンブル指示メッセージを、予め設定された第８ＳＣＳを用いて受信するための第１０メッセージ受信モジュールと、
前記第１ランダムアクセスプリアンブル指示メッセージに基づいて、予め設定された第９ＳＣＳを用いて第２ランダムアクセスプリアンブルメッセージを前記基地局に送信するための第１３メッセージ送信モジュールと、
前記基地局から前記第２ランダムアクセスプリアンブルメッセージに基づいて送信される第２ランダムアクセス応答メッセージを、前記第１ランダムアクセスプリアンブル指示メッセージの受信に応用されるＳＣＳを用いて受信して、アップリンク同期を完成させるための第１１メッセージ受信モジュールと、
をさらに含む。
【０１９６】
選択可能に、ランダム初期アクセスプロセスが完成した後に、前記ユーザ機器は、
前記ユーザ機器がアップリンク非同期になり、かつ基地局から前記ユーザ機器に対し、競合ランダムアクセスメカニズムに基づいてランダムアクセスを行うと指示した場合、予め設定された第１ＳＣＳを用いて第３ランダムアクセスプリアンブルメッセージを前記基地局に送信するための第１４メッセージ送信モジュールと、
前記基地局から前記第３ランダムアクセスプリアンブルメッセージに基づいて送信される第３ランダムアクセス応答メッセージを、ＲＭＳＩの伝送に応用されるＳＣＳを用いて受信するための第１２メッセージ受信モジュールと、
前記第３ランダムアクセス応答メッセージに基づいて、前記第１スケジューリング伝送メッセージの送信に用いられるＳＣＳを用いて第２スケジューリング伝送メッセージを前記基地局に送信するための第１５メッセージ送信モジュールと、
前記基地局から前記第２スケジューリング伝送メッセージに基づいて送信される第２衝突解決メッセージを、前記第１衝突解決メッセージの受信に応用されるＳＣＳを用いて受信して、アップリンク同期を完成させるための第１３メッセージ受信モジュールと、
をさらに含む。
【０１９７】
以上の記載によれば、本開示の一部実施例において、予め取り決める方式またはネットワークから設定する方式で、ランダムアクセスプロセスにおける各メッセージに対し、応用されるＳＣＳを特定することによって、５Ｇ  ＮＲの競合に基づいたランダムアクセスメカニズムでは、Ｍｓｇ．１〜Ｍｓｇ．４に異なるＳＣＳ設定を有する。よって、ランダムアクセスプロセスにおける各メッセージのＳＣＳが特定できないという従来技術の問題を解決し、５Ｇ  ＮＲのランダムアクセスメカニズムが正常に実行できることを保証する。
【０１９８】
本開示の一部の実施例は、ユーザ機器をさらに提供する。図１０に示すように、当該ユーザ機器１０００は、
基地局からユーザ機器に対し、非競合ランダムアクセスメカニズムに基づいて初期アクセスを行うと指示した場合、前記基地局から送信される第２ランダムアクセスプリアンブル指示メッセージを、予め設定された第８ＳＣＳを用いて受信するための第１４メッセージ受信モジュール１００１と、
前記第２ランダムアクセスプリアンブル指示メッセージに基づいて、予め設定された第９ＳＣＳを用いて、第４ランダムアクセスプリアンブルメッセージを前記基地局に送信するための第１６メッセージ送信モジュール１００２と、
前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させるための第１５メッセージ受信モジュール１００３と、
を含む。
【０１９９】
選択可能に、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【０２００】
選択可能に、非競合に基づくランダムアクセスが非切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【０２０１】
選択可能に、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【０２０２】
選択可能に、切り替えプロセスにおける前記参照信号が同期信号ブロック参照信号である場合、前記予め取り決められた第１０ＳＣＳは、前記同期信号ブロック参照信号のＳＣＳであり、切り替えプロセスにおける前記参照信号がチャネル状態情報参照信号である場合、前記予め取り決められた第１０ＳＣＳは、前記チャネル状態情報参照信号のＳＣＳである。
【０２０３】
選択可能に、非競合に基づくランダムアクセスがセル切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【０２０４】
選択可能に、初期アクセスプロセスが完成した後に、前記ユーザ機器は、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第３ランダムアクセスプリアンブル指示メッセージを、予め設定された第８ＳＣＳを用いて受信するための第１６メッセージ受信モジュールと、
前記第３ランダムアクセスプリアンブル指示メッセージに基づいて、予め設定された第９ＳＣＳを用いて第５ランダムアクセスプリアンブルメッセージを前記基地局に送信するための第１７メッセージ送信モジュールと、
前記基地局から前記第５ランダムアクセスプリアンブルメッセージに基づいて送信される第５ランダムアクセス応答メッセージを、前記第３ランダムアクセスプリアンブル指示メッセージの受信に応用されるＳＣＳを用いて受信して、アップリンク同期を完成させるための第１７メッセージ受信モジュールと、
をさらに含む。
【０２０５】
本開示の一部実施例において、予め取り決める方式またはネットワークから設定する方式で、ランダムアクセスプロセスにおける各メッセージに対し、応用されるＳＣＳを特定することによって、５Ｇ  ＮＲの非競合に基づいたランダムアクセスメカニズムでは、Ｍｓｇ．０〜Ｍｓｇ．２に異なるＳＣＳ設定を有する。よって、ランダムアクセスプロセスにおける各メッセージのＳＣＳが特定できないという従来技術の問題を解決し、５Ｇ  ＮＲのランダムアクセスメカニズムが正常に実行できることを保証する。
【０２０６】
図１１に示すように、本開示の一部の実施例は、第１メモリ１１２０と、第１プロセッサ１１００と、前記第１メモリ１１２０に記憶されて前記第１プロセッサで実行可能なコンピュータプログラムを含む基地局を提供する。
第１プロセッサ１１００は、第１メモリ１１２０からプログラムを読み取って、下記のように第１トランシーバ１１１０を制御する。基地局からユーザ機器に対し、競合ランダムアクセスメカニズムに基づいて初期アクセスを行うと指示した場合、まず、前記ユーザ機器から送信される第１ランダムアクセスプリアンブルメッセージを、予め設定された第１ＳＣＳを用いて受信する。次に、前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信する。さらに、前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信する。最後に、前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させる。
【０２０７】
ここで、図１１において、バスアーキテクチャは、任意数の相互接続するバスとブリッジを含み、具体的に、第１プロセッサ１１００をはじめとする１つ又は複数のプロセッサと第１メモリ１１２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。第１トランシーバ１１１０は、複数の部品であってもよく、即ち送信機と受信機を含み、伝送媒体でほかの各種類の装置と通信するユニットとして提供される。第１プロセッサ１１００は、バスアーキテクチャと通常の処理を管理する。第１メモリ１１２０は、第１プロセッサ１１００による操作実行に使用されるデータを記憶できる。
【０２０８】
ここで、前記予め取り決められた第２ＳＣＳは、ＰＢＣＨの伝送に用いられるＳＣＳであり、または、ＲＭＳＩの伝送に用いられるＳＣＳである。
【０２０９】
ここで、前記ネットワークから設定された第３ＳＣＳは、ＲＭＳＩのうちのＰＲＡＣＨ設定パラメータに付帯される。
【０２１０】
ここで、前記予め取り決められた第４ＳＣＳは、ＰＢＣＨの伝送に用いられるＳＣＳであり、または、ＲＭＳＩの伝送に用いられるＳＣＳである。
【０２１１】
ここで、前記ネットワークから設定された第５ＳＣＳは、ＲＭＳＩのうちのＰＲＡＣＨ設定パラメータに付帯され、または、前記第１ランダムアクセス応答メッセージに付帯される。
【０２１２】
ここで、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【０２１３】
ここで、前記ネットワークから設定された第７ＳＣＳは、ＲＭＳＩのうちのＰＲＡＣＨ設定パラメータに付帯される。
【０２１４】
ここで、初期アクセスプロセスが完成した後に、第１トランシーバ１１１０は、さらに、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第１ランダムアクセスプリアンブル指示メッセージを前記ユーザ機器に送信することと、
前記ユーザ機器から前記第１ランダムアクセスプリアンブル指示メッセージに基づいて送信される第２ランダムアクセスプリアンブルメッセージを、予め設定された第９ＳＣＳを用いて受信することと、
前記第２ランダムアクセスプリアンブルメッセージに基づいて、前記第１ランダムアクセスプリアンブル指示メッセージの送信に応用されるＳＣＳを用いて、第２ランダムアクセス応答メッセージを前記ユーザ機器に送信して、アップリンク同期を完成させることと、
に用いられる。
【０２１５】
ここで、ランダム初期アクセスプロセスが完成した後に、第１トランシーバ１１１０は、さらに、
前記ユーザ機器がアップリンク非同期になり、かつ基地局から前記ユーザ機器に対し、競合ランダムアクセスメカニズムに基づいてランダムアクセスを行うと指示した場合、前記ユーザ機器から送信される第３ランダムアクセスプリアンブルメッセージを、予め設定された第１ＳＣＳを用いて受信することと、
前記第３ランダムアクセスプリアンブルメッセージに基づいて、ＲＭＳＩの伝送に応用されるＳＣＳを用いて、第３ランダムアクセス応答メッセージを前記ユーザ機器に送信することと、
前記ユーザ機器から前記第３ランダムアクセス応答メッセージに基づいて送信される第２スケジューリング伝送メッセージを、前記第１スケジューリング伝送メッセージの受信に応用されるＳＣＳを用いて受信することと、
前記第２スケジューリング伝送メッセージに基づいて、前記第１衝突解決メッセージの送信に応用されるＳＣＳを用いて、第２衝突解決メッセージを前記ユーザ機器に送信して、アップリンク同期を完成させることと、
に用いられる。
【０２１６】
また、本開示の一部実施例の別の方面において、第１プロセッサ１１００は、さらに、第１メモリ１１２０からプログラムを読み取って、下記のように第１トランシーバ１１１０を制御する。基地局からユーザ機器に対し、非競合ランダムアクセスメカニズムに基づいて初期アクセスを行うと指示した場合、まず、予め設定された第８ＳＣＳを用いて、第２ランダムアクセスプリアンブル指示メッセージを前記ユーザ機器に送信する。次に、前記ユーザ機器から前記第２ランダムアクセスプリアンブル指示メッセージに基づいて送信される第４ランダムアクセスプリアンブルメッセージを、予め設定された第９ＳＣＳを用いて受信する。最後に、前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させる。
【０２１７】
ここで、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【０２１８】
ここで、非競合に基づくランダムアクセスが非切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【０２１９】
ここで、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【０２２０】
ここで、切り替えプロセスにおける前記参照信号が同期信号ブロック参照信号である場合、前記予め取り決められた第１０ＳＣＳは、前記同期信号ブロック参照信号のＳＣＳであり、切り替えプロセスにおける前記参照信号がチャネル状態情報参照信号である場合、前記予め取り決められた第１０ＳＣＳは、前記チャネル状態情報参照信号のＳＣＳである。
【０２２１】
ここで、非競合に基づくランダムアクセスがセル切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【０２２２】
ここで、初期アクセスプロセスが完成した後に、第１トランシーバ１１１０は、さらに、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第３ランダムアクセスプリアンブル指示メッセージを前記ユーザ機器に送信することと、
前記ユーザ機器から前記第３ランダムアクセスプリアンブル指示メッセージに基づいて送信される第５ランダムアクセスプリアンブルメッセージを、予め設定された第９ＳＣＳを用いて受信することと、
前記第５ランダムアクセスプリアンブルメッセージに基づいて、前記第３ランダムアクセスプリアンブル指示メッセージの送信に応用されるＳＣＳを用いて、第５ランダムアクセス応答メッセージを前記ユーザ機器に送信して、アップリンク同期を完成させることと、
に用いられる。
【０２２３】
上記の目的をさらに実現するために、図１２に示すように、本開示は、第２プロセッサ１２１０と、バスインタフェース１２２０を介して前記第２プロセッサ１２１０に接続され、前記第２プロセッサ１２１０の操作実行に用いられるプログラムとデータを記憶するための第２メモリ１２３０と、バスインタフェース１２２０を介して前記第２プロセッサ１２１０に接続され、第２プロセッサ１２１０による制御でデータを送受信するための第２トランシーバ１２４０とを含むユーザ機器をさらに提供する。
【０２２４】
ここで、本開示の一部実施例の一方面において、第２トランシーバ１２４０は、基地局からユーザ機器に対し、競合ランダムアクセスメカニズムに基づいて初期アクセスを行うと指示した場合、まず、予め設定された第１ＳＣＳを用いて、第１ランダムアクセスプリアンブルメッセージを前記基地局に送信する。次に、前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信する。さらに、前記第１ランダムアクセス応答メッセージに基づいて、予め取り決められた第４ＳＣＳまたはネットワークから設定された第５ＳＣＳを用いて、第１スケジューリング伝送メッセージを前記基地局に送信する。最後に、前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させる。
【０２２５】
ここで、前記予め取り決められた第２ＳＣＳは、ＰＢＣＨの伝送に用いられるＳＣＳであり、または、ＲＭＳＩの伝送に用いられるＳＣＳである。
【０２２６】
ここで、前記ネットワークから設定された第３ＳＣＳは、ＲＭＳＩのうちのＰＲＡＣＨ設定パラメータに付帯される。
【０２２７】
ここで、前記予め取り決められた第４ＳＣＳは、ＰＢＣＨの伝送に用いられるＳＣＳであり、または、ＲＭＳＩの伝送に用いられるＳＣＳである。
【０２２８】
ここで、前記ネットワークから設定された第５ＳＣＳは、ＲＭＳＩのうちのＰＲＡＣＨ設定パラメータに付帯され、または、前記第１ランダムアクセス応答メッセージに付帯される。
【０２２９】
ここで、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【０２３０】
ここで、前記ネットワークから設定された第７ＳＣＳは、ＲＭＳＩのうちのＰＲＡＣＨ設定パラメータに付帯される。
【０２３１】
ここで、初期アクセスプロセスが完成した後に、第２トランシーバ１２４０は、さらに、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第１ランダムアクセスプリアンブル指示メッセージを、予め設定された第８ＳＣＳを用いて受信することと、
前記第１ランダムアクセスプリアンブル指示メッセージに基づいて、予め設定された第９ＳＣＳを用いて第２ランダムアクセスプリアンブルメッセージを前記基地局に送信することと、
前記基地局から前記第２ランダムアクセスプリアンブルメッセージに基づいて送信される第２ランダムアクセス応答メッセージを、前記第１ランダムアクセスプリアンブル指示メッセージの受信に応用されるＳＣＳを用いて受信して、アップリンク同期を完成させることと、に用いられる。
【０２３２】
ここで、ランダム初期アクセスプロセスが完成した後に、第２トランシーバ１２４０は、さらに、
前記ユーザ機器がアップリンク非同期になり、かつ基地局から前記ユーザ機器に対し、競合ランダムアクセスメカニズムに基づいてランダムアクセスを行うと指示した場合、予め設定された第１ＳＣＳを用いて第３ランダムアクセスプリアンブルメッセージを前記基地局に送信することと、
前記基地局から前記第３ランダムアクセスプリアンブルメッセージに基づいて送信される第３ランダムアクセス応答メッセージを、ＲＭＳＩの伝送に応用されるＳＣＳを用いて受信することと、
前記第３ランダムアクセス応答メッセージに基づいて、前記第１スケジューリング伝送メッセージの送信に用いられるＳＣＳを用いて第２スケジューリング伝送メッセージを前記基地局に送信することと、
前記基地局から前記第２スケジューリング伝送メッセージに基づいて送信される第２衝突解決メッセージを、前記第１衝突解決メッセージの受信に応用されるＳＣＳを用いて受信して、アップリンク同期を完成させることと、
に用いられる。
【０２３３】
本開示の一部実施例の別の方面において、第２トランシーバ１２４０は、さらに、基地局からユーザ機器に対し、非競合ランダムアクセスメカニズムに基づいて初期アクセスを行うと指示した場合、まず、前記基地局から送信される第２ランダムアクセスプリアンブル指示メッセージを、予め設定された第８ＳＣＳを用いて受信する。次に、前記第２ランダムアクセスプリアンブル指示メッセージに基づいて、予め設定された第９ＳＣＳを用いて、第４ランダムアクセスプリアンブルメッセージを前記基地局に送信する。最後に、前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させる。
【０２３４】
ここで、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【０２３５】
ここで、非競合に基づくランダムアクセスが非切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【０２３６】
ここで、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【０２３７】
ここで、切り替えプロセスにおける前記参照信号が同期信号ブロック参照信号である場合、前記予め取り決められた第１０ＳＣＳは、前記同期信号ブロック参照信号のＳＣＳであり、切り替えプロセスにおける前記参照信号がチャネル状態情報参照信号である場合、前記予め取り決められた第１０ＳＣＳは、前記チャネル状態情報参照信号のＳＣＳである。
【０２３８】
ここで、非競合に基づくランダムアクセスがセル切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【０２３９】
ここで、初期アクセスプロセスが完成した後に、第２トランシーバ１２４０は、さらに、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第３ランダムアクセスプリアンブル指示メッセージを、予め設定された第８ＳＣＳを用いて受信することと、
前記第３ランダムアクセスプリアンブル指示メッセージに基づいて、予め設定された第９ＳＣＳを用いて第５ランダムアクセスプリアンブルメッセージを前記基地局に送信することと、
前記基地局から前記第５ランダムアクセスプリアンブルメッセージに基づいて送信される第５ランダムアクセス応答メッセージを、前記第３ランダムアクセスプリアンブル指示メッセージの受信に応用されるＳＣＳを用いて受信して、アップリンク同期を完成させることと、
に用いられる。
【０２４０】
なお、図１２において、バスアーキテクチャは、任意数の相互接続するバスとブリッジを含み、具体的に、第２プロセッサ１２１０をはじめとする１つ又は複数のプロセッサと第２メモリ１２３０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。第２トランシーバ１２４０は、複数の部品であってもよく、即ち送信機と受信機を含み、伝送媒体でほかの各種類の装置と通信するユニットとして提供される。ユーザ端末によっては、ユーザインタフェース１２５０は、内部接続や外部接続する機器のインタフェースであってもよい。接続する機器は、キーパッド、ディスプレイ、スピーカ、マイクロフォン、ジョイスティックなどを含むが、それらに限られない。第２プロセッサ１２１０は、バスアーキテクチャと通常の処理を管理する。第２メモリ１２３０は、第２プロセッサ１２１０による操作実行に使用されるデータを記憶できる。
【０２４１】
上記実施例を実現するすべてまたは一部のステップは、ハードウェアによって実現されてもよく、コンピュータプログラムで関連ハードウェアに指示して行ってもよい。前記のコンピュータプログラムは、上記方法の一部またはすべてのステップを実行する指令を含む。かつ当該コンピュータプログラムは、読み取り可能な記憶媒体に格納される。記憶媒体は、揮発性の記憶媒体または非揮発性の記憶媒体など、あらゆる形態の記憶媒体である。
【０２４２】
なお、本開示の装置と方法において、明らかに、各部品または各ステップは、分解および／または再度の組み合わせが可能である。これらの分解および／または再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、または、互いに独立に実行されてもよい。当業者にとって、本開示の方法および装置のすべてまたは任意のステップや部品は、任意の計算装置（プロセッサ、記憶媒体などを含む）や計算装置のネットワークでハードウェア、ファームウェア、ソフトウェアまたはそれらの組み合わせによって実現されうることが理解できる。これは、当業者が本開示の説明を閲読して基本的なプログラミング技能を活用して実現できることである。
【０２４３】
したがって、本開示の目的は、任意の計算装置で１つまたは一連のプログラムを実行することによっても実現されうる。前記計算装置は、周知されている汎用装置である。したがって、本開示の目的は、前記方法または装置を実現するプログラムコードを含むプログラムプロダクトの提供のみでも実現されうる。すなわち、このようなプログラムプロダクトも本開示を構成し、しかもこのようなプログラムプロダクトを記憶した記憶媒体も本開示を構成する。明らかに、前記記憶媒体は、任意の周知される記憶媒体または将来開発されうる任意の記憶媒体である。なお、本開示の装置と方法において、各部品または各ステップは、分解および／または再度の組み合わせが可能である。これらの分解および／または再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、または、互いに独立に実行されてもよい。
【０２４４】
本開示の一部実施例は、コンピュータプログラムが記憶されているコンピュータ読み取り可能な記憶媒体をさらに提供する。
当該プログラムがプロセッサによって実行されると、
基地局からユーザ機器に対し、競合ランダムアクセスメカニズムに基づいて初期アクセスを行うと指示した場合、前記ユーザ機器から送信される第１ランダムアクセスプリアンブルメッセージを、予め設定された第１ＳＣＳを用いて受信するステップと、
前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信するステップと、
前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信するステップと、
前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させるステップと、
を実現する。
【０２４５】
ここで、前記予め取り決められた第２ＳＣＳは、ＰＢＣＨの伝送に用いられるＳＣＳであり、または、ＲＭＳＩの伝送に用いられるＳＣＳである。
【０２４６】
ここで、前記ネットワークから設定された第３ＳＣＳは、ＲＭＳＩのうちのＰＲＡＣＨ設定パラメータに付帯される。
【０２４７】
ここで、前記予め取り決められた第４ＳＣＳは、ＰＢＣＨの伝送に用いられるＳＣＳであり、または、ＲＭＳＩの伝送に用いられるＳＣＳである。
【０２４８】
ここで、前記ネットワークから設定された第５ＳＣＳは、ＲＭＳＩのうちのＰＲＡＣＨ設定パラメータに付帯され、または、前記第１ランダムアクセス応答メッセージに付帯される。
【０２４９】
ここで、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【０２５０】
ここで、前記ネットワークから設定された第７ＳＣＳは、ＲＭＳＩのうちのＰＲＡＣＨ設定パラメータに付帯される。
【０２５１】
ここで、初期アクセスプロセスが完成した後に、上記ステップは、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第１ランダムアクセスプリアンブル指示メッセージを前記ユーザ機器に送信することと、
前記ユーザ機器から前記第１ランダムアクセスプリアンブル指示メッセージに基づいて送信される第２ランダムアクセスプリアンブルメッセージを、予め設定された第９ＳＣＳを用いて受信することと、
前記第２ランダムアクセスプリアンブルメッセージに基づいて、前記第１ランダムアクセスプリアンブル指示メッセージの送信に応用されるＳＣＳを用いて、第２ランダムアクセス応答メッセージを前記ユーザ機器に送信して、アップリンク同期を完成させることと、
をさらに含む。
【０２５２】
ここで、ランダム初期アクセスプロセスが完成した後に、上記ステップは、
前記ユーザ機器がアップリンク非同期になり、かつ基地局から前記ユーザ機器に対し、競合ランダムアクセスメカニズムに基づいてランダムアクセスを行うと指示した場合、前記ユーザ機器から送信される第３ランダムアクセスプリアンブルメッセージを、予め設定された第１ＳＣＳを用いて受信することと、
前記第３ランダムアクセスプリアンブルメッセージに基づいて、ＲＭＳＩの伝送に応用されるＳＣＳを用いて、第３ランダムアクセス応答メッセージを前記ユーザ機器に送信することと、
前記ユーザ機器から前記第３ランダムアクセス応答メッセージに基づいて送信される第２スケジューリング伝送メッセージを、前記第１スケジューリング伝送メッセージの受信に応用されるＳＣＳを用いて受信することと、
前記第２スケジューリング伝送メッセージに基づいて、前記第１衝突解決メッセージの送信に応用されるＳＣＳを用いて、第２衝突解決メッセージを前記ユーザ機器に送信して、アップリンク同期を完成させることと、
をさらに含む。
【０２５３】
本開示の一部実施例は、コンピュータプログラムが記憶されているコンピュータ読み取り可能な記憶媒体をさらに提供する。
当該プログラムがプロセッサによって実行されると、
基地局からユーザ機器に対し、非競合ランダムアクセスメカニズムに基づいて初期アクセスを行うと指示した場合、予め設定された第８ＳＣＳを用いて、第２ランダムアクセスプリアンブル指示メッセージを前記ユーザ機器に送信するステップと、
前記ユーザ機器から前記第２ランダムアクセスプリアンブル指示メッセージに基づいて送信される第４ランダムアクセスプリアンブルメッセージを、予め設定された第９ＳＣＳを用いて受信するステップと、
前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させるステップと、
を実現する。
【０２５４】
ここで、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【０２５５】
ここで、非競合に基づくランダムアクセスが非切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【０２５６】
ここで、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【０２５７】
ここで、切り替えプロセスにおける前記参照信号が同期信号ブロック参照信号である場合、前記予め取り決められた第１０ＳＣＳは、前記同期信号ブロック参照信号のＳＣＳであり、切り替えプロセスにおける前記参照信号がチャネル状態情報参照信号である場合、前記予め取り決められた第１０ＳＣＳは、前記チャネル状態情報参照信号のＳＣＳである。
【０２５８】
ここで、非競合に基づくランダムアクセスがセル切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【０２５９】
ここで、初期アクセスプロセスが完成した後に、上記ステップは、
前記ユーザ機器がアップリンク非同期になり、かつ基地局から前記ユーザ機器に対し、非競合ランダムアクセスメカニズムに基づいてランダムアクセスを行うと指示した場合、予め設定された第８ＳＣＳを用いて、第３ランダムアクセスプリアンブル指示メッセージを前記ユーザ機器に送信することと、
前記ユーザ機器から前記第３ランダムアクセスプリアンブル指示メッセージに基づいて送信される第５ランダムアクセスプリアンブルメッセージを、予め設定された第９ＳＣＳを用いて受信することと、
前記第５ランダムアクセスプリアンブルメッセージに基づいて、前記第３ランダムアクセスプリアンブル指示メッセージの送信に応用されるＳＣＳを用いて、第５ランダムアクセス応答メッセージを前記ユーザ機器に送信して、アップリンク同期を完成させることと、
をさらに含む。
【０２６０】
本開示の一部の実施例は、コンピュータプログラムが記憶されているコンピュータ読み取り可能な記憶媒体をさらに提供する。
当該プログラムがプロセッサによって実行されると、
基地局からユーザ機器に対し、競合ランダムアクセスメカニズムに基づいて初期アクセスを行うと指示した場合、予め設定された第１ＳＣＳを用いて、第１ランダムアクセスプリアンブルメッセージを前記基地局に送信するステップと、
前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信するステップと、
前記第１ランダムアクセス応答メッセージに基づいて、予め取り決められた第４ＳＣＳまたはネットワークから設定された第５ＳＣＳを用いて、第１スケジューリング伝送メッセージを前記基地局に送信するステップと、
前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させるステップと、
を実現する。
【０２６１】
ここで、前記予め取り決められた第２ＳＣＳは、ＰＢＣＨの伝送に用いられるＳＣＳであり、または、ＲＭＳＩの伝送に用いられるＳＣＳである。
【０２６２】
ここで、前記ネットワークから設定された第３ＳＣＳは、ＲＭＳＩのうちのＰＲＡＣＨ設定パラメータに付帯される。
【０２６３】
ここで、前記予め取り決められた第４ＳＣＳは、ＰＢＣＨの伝送に用いられるＳＣＳであり、または、ＲＭＳＩの伝送に用いられるＳＣＳである。
【０２６４】
ここで、前記ネットワークから設定された第５ＳＣＳは、ＲＭＳＩのうちのＰＲＡＣＨ設定パラメータに付帯され、または、前記第１ランダムアクセス応答メッセージに付帯される。
【０２６５】
ここで、前記予め取り決められた第６ＳＣＳは、ＰＢＣＨの伝送に用いられるＳＣＳであり、または、ＲＭＳＩの伝送に用いられるＳＣＳであり、または、前記第１ランダムアクセス応答メッセージに応用されるＳＣＳである。
【０２６６】
ここで、前記ネットワークから設定された第７ＳＣＳは、ＲＭＳＩのうちのＰＲＡＣＨ設定パラメータに付帯される。
【０２６７】
ここで、初期アクセスプロセスが完成した後に、上記ステップは、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第１ランダムアクセスプリアンブル指示メッセージを、予め設定された第８ＳＣＳを用いて受信することと、
前記第１ランダムアクセスプリアンブル指示メッセージに基づいて、予め設定された第９ＳＣＳを用いて第２ランダムアクセスプリアンブルメッセージを前記基地局に送信することと、
前記基地局から前記第２ランダムアクセスプリアンブルメッセージに基づいて送信される第２ランダムアクセス応答メッセージを、前記第１ランダムアクセスプリアンブル指示メッセージの受信に応用されるＳＣＳを用いて受信して、アップリンク同期を完成させることと、
をさらに含む。
【０２６８】
ここで、ランダム初期アクセスプロセスが完成した後に、上記ステップは、
前記ユーザ機器がアップリンク非同期になり、かつ基地局から前記ユーザ機器に対し、競合ランダムアクセスメカニズムに基づいてランダムアクセスを行うと指示した場合、予め設定された第１ＳＣＳを用いて第３ランダムアクセスプリアンブルメッセージを前記基地局に送信することと、
前記基地局から前記第３ランダムアクセスプリアンブルメッセージに基づいて送信される第３ランダムアクセス応答メッセージを、ＲＭＳＩの伝送に応用されるＳＣＳを用いて受信することと、
前記第３ランダムアクセス応答メッセージに基づいて、前記第１スケジューリング伝送メッセージの送信に用いられるＳＣＳを用いて第２スケジューリング伝送メッセージを前記基地局に送信することと、
前記基地局から前記第２スケジューリング伝送メッセージに基づいて送信される第２衝突解決メッセージを、前記第１衝突解決メッセージの受信に応用されるＳＣＳを用いて受信して、アップリンク同期を完成させることと、
をさらに含む。
【０２６９】
本開示の一部の実施例は、コンピュータプログラムが記憶されているコンピュータ読み取り可能な記憶媒体をさらに提供する。
当該プログラムがプロセッサによって実行されると、
基地局からユーザ機器に対し、非競合ランダムアクセスメカニズムに基づいて初期アクセスを行うと指示した場合、前記基地局から送信される第２ランダムアクセスプリアンブル指示メッセージを、予め設定された第８ＳＣＳを用いて受信するステップと、
前記第２ランダムアクセスプリアンブル指示メッセージに基づいて、予め設定された第９ＳＣＳを用いて、第４ランダムアクセスプリアンブルメッセージを前記基地局に送信するステップと、
前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させるステップと、
を実現する。
【０２７０】
ここで、非競合に基づくランダムアクセスが非切り替えプロセスに用いられる場合、前記予め取り決められた第１０ＳＣＳは、ソースセルから前記第２ランダムアクセスプリアンブル指示メッセージの送信に応用されるＳＣＳである。
【０２７１】
ここで、非競合に基づくランダムアクセスが非切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【０２７２】
ここで、非競合に基づくランダムアクセスがセル切り替えプロセスに用いられる場合、前記予め取り決められた第１０ＳＣＳは、ソースセルから前記第２ランダムアクセスプリアンブル指示メッセージの送信に応用されるＳＣＳであり、または、ターゲットセルで切り替えプロセスをトリガーする参照信号のＳＣＳである。
【０２７３】
ここで、切り替えプロセスにおける前記参照信号が同期信号ブロック参照信号である場合、前記予め取り決められた第１０ＳＣＳは、前記同期信号ブロック参照信号のＳＣＳであり、切り替えプロセスにおける前記参照信号がチャネル状態情報参照信号である場合、前記予め取り決められた第１０ＳＣＳは、前記チャネル状態情報参照信号のＳＣＳである。
【０２７４】
ここで、非競合に基づくランダムアクセスがセル切り替えプロセスに用いられる場合、前記ネットワークから設定された第１１ＳＣＳは、前記第２ランダムアクセスプリアンブル指示メッセージのうちのＰＲＡＣＨ設定パラメータに付帯される。
【０２７５】
ここで、初期アクセスプロセスが完成した後に、上記ステップは、
前記ユーザ機器がアップリンク非同期になり、かつ基地局から前記ユーザ機器に対し、非競合ランダムアクセスメカニズムに基づいてランダムアクセスを行うと指示した場合、前記基地局から送信される第３ランダムアクセスプリアンブル指示メッセージを、予め設定された第８ＳＣＳを用いて受信することと、
前記第３ランダムアクセスプリアンブル指示メッセージに基づいて、予め設定された第９ＳＣＳを用いて第５ランダムアクセスプリアンブルメッセージを前記基地局に送信することと、
前記基地局から前記第５ランダムアクセスプリアンブルメッセージに基づいて送信される第５ランダムアクセス応答メッセージを、前記第３ランダムアクセスプリアンブル指示メッセージの受信に応用されるＳＣＳを用いて受信して、アップリンク同期を完成させることと、
をさらに含む。
【０２７６】
以上記載されたのは、本開示の選択可能な実施形態である。なお、当業者は、本開示に記載されている原理を逸脱せずに様々な改良や修飾をすることもできる。これらの改良や修飾も、本開示の保護範囲内にある。
【手続補正２】
【補正対象書類名】特許請求の範囲
【補正対象項目名】全文
【補正方法】変更
【補正の内容】
【特許請求の範囲】
【請求項１】
基地局に応用されるランダムアクセス方法において、
基地局からユーザ機器に対し、競合ランダムアクセスメカニズムに基づいて初期アクセスを行うと指示した場合、前記ユーザ機器から送信される第１ランダムアクセスプリアンブルメッセージを、予め設定された第１ＳＣＳ（Ｓｕｂ  Ｃａｒｒｉｅｒ  Ｓｐａｃｉｎｇ）を用いて受信することと、
前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信することと、
前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信することと、
前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させることと、
を含む、ランダムアクセス方法。
【請求項２】
前記予め取り決められた第２ＳＣＳは、
ＰＢＣＨ（Ｐｈｙｓｉｃａｌ  Ｂｒｏａｄｃａｓｔ  Ｃｈａｎｎｅｌ）の伝送に用いられるＳＣＳであり、または、ＲＭＳＩ（Ｒｅｍａｉｎｉｎｇ  Ｓｙｓｔｅｍ  Ｉｎｆｏｒｍａｔｉｏｎ）の伝送に用いられるＳＣＳである、請求項１に記載の方法。
【請求項３】
前記ネットワークから設定された第５ＳＣＳは、
ＲＭＳＩのうちのＰＲＡＣＨ（Ｐｈｙｓｉｃａｌ  Ｒａｎｄｏｍ  Ａｃｃｅｓｓ  Ｃｈａｎｎｅｌ）設定パラメータに付帯され、または、前記第１ランダムアクセス応答メッセージに付帯される、請求項１に記載の方法。
【請求項４】
前記予め取り決められた第６ＳＣＳは、
ＰＢＣＨの伝送に用いられるＳＣＳであり、または、ＲＭＳＩの伝送に用いられるＳＣＳであり、または、前記第１ランダムアクセス応答メッセージに応用されるＳＣＳである、請求項１に記載の方法。
【請求項５】
基地局に応用されるランダムアクセス方法において、
基地局からユーザ機器に対し、非競合ランダムアクセスメカニズムに基づいて初期アクセスを行うと指示した場合、予め設定された第８ＳＣＳを用いて、第２ランダムアクセスプリアンブル指示メッセージを前記ユーザ機器に送信することと、
前記ユーザ機器から前記第２ランダムアクセスプリアンブル指示メッセージに基づいて送信される第４ランダムアクセスプリアンブルメッセージを、予め設定された第９ＳＣＳを用いて受信することと、
前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させることと、
を含む、ランダムアクセス方法。
【請求項６】
ユーザ機器に応用されるランダムアクセス方法において、
基地局からユーザ機器に対し、競合ランダムアクセスメカニズムに基づいて初期アクセスを行うと指示した場合、予め設定された第１ＳＣＳを用いて、第１ランダムアクセスプリアンブルメッセージを前記基地局に送信することと、
前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信することと、
前記第１ランダムアクセス応答メッセージに基づいて、予め取り決められた第４ＳＣＳまたはネットワークから設定された第５ＳＣＳを用いて、第１スケジューリング伝送メッセージを前記基地局に送信することと、
前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させることと、
を含む、ランダムアクセス方法。
【請求項７】
前記予め取り決められた第２ＳＣＳは、
ＰＢＣＨの伝送に用いられるＳＣＳであり、または、ＲＭＳＩの伝送に用いられるＳＣＳである、請求項６に記載の方法。
【請求項８】
前記ネットワークから設定された第５ＳＣＳは、
ＲＭＳＩのうちのＰＲＡＣＨ設定パラメータに付帯され、または、前記第１ランダムアクセス応答メッセージに付帯される、請求項６に記載の方法。
【請求項９】
ユーザ機器に応用されるランダムアクセス方法において、
基地局からユーザ機器に対し、非競合ランダムアクセスメカニズムに基づいて初期アクセスを行うと指示した場合、前記基地局から送信される第２ランダムアクセスプリアンブル指示メッセージを、予め設定された第８ＳＣＳを用いて受信することと、
前記第２ランダムアクセスプリアンブル指示メッセージに基づいて、予め設定された第９ＳＣＳを用いて、第４ランダムアクセスプリアンブルメッセージを前記基地局に送信することと、
前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させることと、
を含む、ランダムアクセス方法。
【請求項１０】
非競合に基づくランダムアクセスが非切り替えプロセスに用いられる場合、
前記ネットワークから設定された第１１ＳＣＳは、
前記第２ランダムアクセスプリアンブル指示メッセージのうちのＰＲＡＣＨ設定パラメータに付帯される、請求項９に記載の方法。
【請求項１１】
非競合に基づくランダムアクセスがセル切り替えプロセスに用いられる場合、
前記ネットワークから設定された第１１ＳＣＳは、
前記第２ランダムアクセスプリアンブル指示メッセージのうちのＰＲＡＣＨ設定パラメータに付帯される、請求項９に記載の方法。
【請求項１２】
基地局であって、
基地局からユーザ機器に対し、競合ランダムアクセスメカニズムに基づいて初期アクセスを行うと指示した場合、前記ユーザ機器から送信される第１ランダムアクセスプリアンブルメッセージを、予め設定された第１ＳＣＳを用いて受信するための第１メッセージ受信モジュールと、
前記第１ランダムアクセスプリアンブルメッセージに基づいて、予め取り決められた第２ＳＣＳまたはネットワークから設定された第３ＳＣＳを用いて、第１ランダムアクセス応答メッセージを前記ユーザ機器に送信するための第１メッセージ送信モジュールと、
前記ユーザ機器から前記第１ランダムアクセス応答メッセージに基づいて送信される第１スケジューリング伝送メッセージを、予め取り決められた第４ＳＣＳまたはネットワークから設定された第５ＳＣＳを用いて受信するための第２メッセージ受信モジュールと、
前記第１スケジューリング伝送メッセージに基づいて、予め取り決められた第６ＳＣＳまたはネットワークから設定された第７ＳＣＳを用いて、第１衝突解決メッセージを前記ユーザ機器に送信して、初期アクセスプロセスを完成させるための第２メッセージ送信モジュールと、
を含む、基地局。
【請求項１３】
基地局であって、
基地局からユーザ機器に対し、非競合ランダムアクセスメカニズムに基づいて初期アクセスを行うと指示した場合、予め設定された第８ＳＣＳを用いて、第２ランダムアクセスプリアンブル指示メッセージを前記ユーザ機器に送信するための第７メッセージ送信モジュールと、
前記ユーザ機器から前記第２ランダムアクセスプリアンブル指示メッセージに基づいて送信される第４ランダムアクセスプリアンブルメッセージを、予め設定された第９ＳＣＳを用いて受信するための第６メッセージ受信モジュールと、
前記第４ランダムアクセスプリアンブルメッセージに基づいて、予め取り決められた第１０ＳＣＳまたはネットワークから設定された第１１ＳＣＳを用いて、第４ランダムアクセス応答メッセージを前記ユーザ機器に送信して、初期アクセスプロセスを完成させるための第８メッセージ送信モジュールとを含む、基地局。
【請求項１４】
ユーザ機器であって、
基地局からユーザ機器に対し、競合ランダムアクセスメカニズムに基づいて初期アクセスを行うと指示した場合、予め設定された第１ＳＣＳを用いて、第１ランダムアクセスプリアンブルメッセージを前記基地局に送信するための第１１メッセージ送信モジュールと、
前記基地局から前記第１ランダムアクセスプリアンブルメッセージに基づいて送信される第１ランダムアクセス応答メッセージを、予め取り決められた第２ＳＣＳまたはネットワークから設定された第３ＳＣＳを用いて受信するための第８メッセージ受信モジュールと、
前記第１ランダムアクセス応答メッセージに基づいて、予め取り決められた第４ＳＣＳまたはネットワークから設定された第５ＳＣＳを用いて、第１スケジューリング伝送メッセージを前記基地局に送信するための第１２メッセージ送信モジュールと、
前記基地局から前記第１スケジューリング伝送メッセージに基づいて送信される第１衝突解決メッセージを、予め取り決められた第６ＳＣＳまたはネットワークから設定された第７ＳＣＳを用いて受信して、初期アクセスプロセスを完成させるための第９メッセージ受信モジュールと、
を含む、ユーザ機器。
【請求項１５】
ユーザ機器であって、
基地局からユーザ機器に対し、非競合ランダムアクセスメカニズムに基づいて初期アクセスを行うと指示した場合、前記基地局から送信される第２ランダムアクセスプリアンブル指示メッセージを、予め設定された第８ＳＣＳを用いて受信するための第１４メッセージ受信モジュールと、
前記第２ランダムアクセスプリアンブル指示メッセージに基づいて、予め設定された第９ＳＣＳを用いて、第４ランダムアクセスプリアンブルメッセージを前記基地局に送信するための第１６メッセージ送信モジュールと、
前記基地局から前記第４ランダムアクセスプリアンブルメッセージに基づいて送信される第４ランダムアクセス応答メッセージを、予め取り決められた第１０ＳＣＳまたはネットワークから設定された第１１ＳＣＳを用いて受信して、初期アクセスプロセスを完成させるための第１５メッセージ受信モジュールと、
を含む、ユーザ機器。
【国際調査報告】
2020530737.tif 000015
2020530737.tif 000016
2020530737.tif 000017
2020530737.tif 000018